(57)【要約】【課題】本発明は、プレイリストに従いユーザが所望していると思われるコンテンツを提供するようにする。【解決手段】本発明は、複数のコンテンツデータの再生順序を規定したプレイリストの再構成を要求する再構成要求情報を生成し、当該生成した再構成要求情報に応じて、プレイリスト生成規則と、当該プレイリスト生成規則に合致するコンテンツデータの識別情報とを有するプレイリストの少なくとも一部を、装置使用状況に応じたプレイリスト生成規則を有するプレイリストに再構成するようにしたことにより、装置使用状況を反映させたプレイリスト生成規則に従い、ユーザが所望していると思われるコンテンツのコンテンツデータを登録したプレイリストを用意することができ、かくしてプレイリストに従いユーザが所望していると思われるコンテンツを提供することができる。【選択図】図２
2008047269.tif 000002
【特許請求の範囲】
【請求項１】
コンテンツデータ記憶部に記憶される複数のコンテンツデータを、当該コンテンツデータの再生順序を規定したプレイリストに従い再生可能な再生装置において、
プレイリスト生成規則と、当該プレイリスト生成規則に合致する上記コンテンツデータの識別情報とを有する上記プレイリストを記憶するプレイリスト記憶部と、
上記プレイリストの再構成を要求する再構成要求情報を生成する要求情報生成部と、
上記要求情報生成部により生成された上記再構成要求情報に応じて、上記プレイリスト記憶部に記憶される上記プレイリストの少なくとも一部を、装置使用状況に応じた上記プレイリスト生成規則を有するプレイリストに再構成するプレイリスト再構成部と
を具えることを特徴とする再生装置。
【請求項２】
計時部
を具え、
上記要求情報生成部は、
上記計時部による計時に基づき、第１の季節から第２の季節への変化を検出したときに上記再構成要求情報を生成し、
上記プレイリスト再構成部は、
上記再構成要求情報に応じて、上記プレイリスト記憶部に記憶される上記第１の季節に関わる上記プレイリスト生成規則を有する上記プレイリストを、上記第２の季節に関わる上記プレイリスト生成規則を有する上記プレイリストに再構成する
ことを特徴とする請求項１に記載の再生装置。
【請求項３】
操作部
を具え、
上記要求情報生成部は、
上記操作部に対する操作を検出したときに上記再構成要求情報を生成し、
上記プレイリスト再構成部は、
上記再構成要求情報に応じて、上記プレイリスト記憶部に記憶される上記プレイリストの少なくとも一部を、上記装置使用状況に応じた上記プレイリスト生成規則を有する上記プレイリストに再構成する
ことを特徴とする請求項１に記載の再生装置。
【請求項４】
複数の上記コンテンツデータの当該コンテンツデータ単位でのデータ再生履歴を取得するデータ再生履歴取得部と、
上記データ再生履歴に応じて上記コンテンツデータのデータ属性情報に重み付けを行うデータ属性重付部と
を具え、
上記プレイリスト再構成部は、
上記再構成要求情報に応じて、上記プレイリスト記憶部に記憶される上記プレイリストの少なくとも一部を、上記データ属性重付部により重み付けされた上記データ属性情報に応じた上記プレイリスト生成規則を有する上記プレイリストに再構成する
ことを特徴とする請求項３に記載の再生装置。
【請求項５】
上記プレイリストの上記コンテンツデータの再生でのリスト利用履歴を取得するリスト利用履歴取得部と、
上記リスト利用履歴に応じて上記プレイリストのリスト属性情報を更新するリスト属性更新部と
を具え、
上記プレイリスト再構成部は、
上記再構成要求情報に応じて、上記プレイリスト記憶部に記憶される上記プレイリストの少なくとも一部を、上記リスト属性更新部により更新された上記リスト属性情報に応じた上記プレイリスト生成規則を有する上記プレイリストに再構成する
ことを特徴とする請求項３に記載の再生装置。
【請求項６】
外部装置と通信する通信部
を具え、
上記要求情報生成部は、
上記通信部を介して上記外部装置から上記プレイリストの再構成要求を受け付けたときに上記再構成要求情報を生成し、
上記プレイリスト再構成部は、
上記再構成要求情報に応じて、上記プレイリスト記憶部に記憶される上記プレイリストの少なくとも一部を、上記装置使用状況に応じた上記プレイリスト生成規則を有する上記プレイリストに再構成する
ことを特徴とする請求項１に記載の再生装置。
【請求項７】
複数の上記コンテンツデータの当該コンテンツデータ単位でのデータ再生履歴を取得するデータ再生履歴取得部と、
上記データ再生履歴に応じて上記コンテンツデータのデータ属性情報に重み付けを行うデータ属性重付部と
を具え、
上記プレイリスト再構成部は、
上記再構成要求情報に応じて、上記プレイリスト記憶部に記憶される上記プレイリストの少なくとも一部を、上記データ属性重付部により重み付けされた上記データ属性情報に応じた上記プレイリスト生成規則を有する上記プレイリストに再構成する
ことを特徴とする請求項６に記載の再生装置。
【請求項８】
上記プレイリストの上記コンテンツデータの再生でのリスト利用履歴を取得するリスト利用履歴取得部と、
上記リスト利用履歴に応じて上記プレイリストのリスト属性情報を更新するリスト属性更新部と
を具え、
上記プレイリスト再構成部は、
上記再構成要求情報に応じて、上記プレイリスト記憶部に記憶される上記プレイリストの少なくとも一部を、上記リスト属性更新部により更新された上記リスト属性情報に応じた上記プレイリスト生成規則を有する上記プレイリストに再構成する
ことを特徴とする請求項６に記載の再生装置。
【請求項９】
上記通信部は、
上記外部装置から上記プレイリスト生成規則と、当該プレイリスト生成規則に合致する上記コンテンツデータの上記識別情報とを有する上記プレイリストを受信し、
上記プレイリスト再構成部は、
上記再構成要求情報に応じて、上記通信部により受信された上記プレイリストが、上記装置使用状況に応じた上記プレイリスト生成規則を有するとき、当該受信された上記プレイリストを上記プレイリスト記憶部に記憶する
ことを特徴とする請求項６に記載の再生装置。
【請求項１０】
上記通信部は、
上記外部装置から上記コンテンツデータの上記データ属性情報と、当該コンテンツデータの上記識別情報とを有するコンテンツリストを受信し、
上記プレイリスト再構成部は、
上記再構成要求情報に応じて、上記通信部により受信された上記コンテンツリストを用いて、上記装置使用状況に応じた上記プレイリスト生成規則に合致する上記データ属性情報を有する上記コンテンツデータの上記識別情報を検出し、当該検出した上記識別情報を含む上記プレイリストを上記プレイリスト記憶部に記憶する
ことを特徴とする請求項６に記載の再生装置。
【請求項１１】
上記プレイリスト再構成部は、
上記再構成要求情報に応じて、上記装置使用状況に応じた上記プレイリスト生成規則を有する上記プレイリストを上記プレイリスト記憶部にさらに記憶する
ことを特徴とする請求項１に記載の再生装置。
【請求項１２】
上記プレイリスト再構成部は、
上記再構成要求情報に応じて、上記プレイリスト記憶部に記憶される複数の上記プレイリストに含まれる上記プレイリスト生成規則を、上記装置使用状況に応じて再構成する
ことを特徴とする請求項１に記載の再生装置。
【請求項１３】
上記要求情報生成部は、
装置使用場所が第１の装置使用場所から第２の装置使用場所へと変化したことを検出したときに上記再構成要求情報を生成し、
上記プレイリスト再構成部は、
上記再構成要求情報に応じて、上記プレイリスト記憶部に記憶される上記第１の装置使用場所に関わる上記プレイリスト生成規則を有する上記プレイリストを、上記第２の装置使用場所に関わる上記プレイリスト生成規則を有する上記プレイリストに再構成する
ことを特徴とする請求項１に記載の再生装置。
【請求項１４】
上記要求情報生成部は、
第１の装置使用状況に関わる上記プレイリスト生成規則を有する上記プレイリストに従い１つの上記コンテンツデータが再生される毎に上記装置使用状況を検出するようにして、当該装置使用状況が上記第１の装置使用状況から第２の装置使用状況へと変化したことを検出したときに上記再構成要求情報を生成し、
上記プレイリスト再構成部は、
上記再構成要求情報に応じて、第１の装置使用状況に関わる上記プレイリスト生成規則を有する上記プレイリストを、上記第２の装置使用状況に関わる上記プレイリスト生成規則を有する上記プレイリストに再構成する
ことを特徴とする請求項１に記載の再生装置。
【請求項１５】
複数のコンテンツデータの再生順序を規定したプレイリストの再構成を要求する再構成要求情報を生成する要求情報生成ステップと、
上記再構成要求情報に応じて、プレイリスト生成規則と、当該プレイリスト生成規則に合致する上記コンテンツデータの識別情報とを有する上記プレイリストの少なくとも一部を、装置使用状況に応じた上記プレイリスト生成規則を有するプレイリストに再構成するプレイリスト再構成ステップと
を具えることを特徴とする再生方法。
【請求項１６】
コンピュータに対し、
複数のコンテンツデータの再生順序を規定したプレイリストの再構成を要求する再構成要求情報を生成する要求情報生成ステップと、
上記再構成要求情報に応じて、プレイリスト生成規則と、当該プレイリスト生成規則に合致する上記コンテンツデータの識別情報とを有する上記プレイリストの少なくとも一部を、コンピュータ使用状況に応じた上記プレイリスト生成規則を有するプレイリストに再構成するプレイリスト再構成ステップと
を実行させるための再生プログラム。
【発明の詳細な説明】
【技術分野】
【０００１】
本発明は再生装置、再生方法及び再生プログラムに関し、例えばコンテンツデータとしての音楽データの再生順序を規定するプレイリストに従い音楽データを再生する再生装置に適用して好適なものである。
【背景技術】
【０００２】
従来のサーバは、複数のプレイリストを保持すると共に、これらプレイリストをクライアントにも保持させていた。そしてサーバは、クライアントからプレイリストに従い音楽データが再生要求されると、当該再生要求された音楽データをクライアントに送信し音楽として出力させてユーザに聴取させていた。またサーバは、外部から新たな音楽データを取得すると、新規プレイリストを生成して当該取得した音楽データを登録していた。そしてサーバは、この後、外部から新たな音楽データを取得する毎に、これを新規プレイリストに追加登録することで、クライアントに対し新規プレイリストに従って新たな音楽データも再生要求させていた（例えば、特許文献１参照）。
【特許文献１】特開２００３−１６２２８５公報（第２１頁、第２６頁、第３２頁、図５０）
【発明の開示】
【発明が解決しようとする課題】
【０００３】
ところでかかる構成のサーバは、例えば音楽データ毎の再生要求の回数に応じて、すでにプレイリストで規定している音楽データの再生順序を、再生要求の回数の多いものほど再生の順序が先となるように並び替えていた。またサーバは、例えば所定の時間帯に所定回数以上再生要求された音楽データが存在するときには、新たなプレイリストを生成して当該所定回数以上再生要求された音楽データを登録し、その後も所定の時間帯に所定回数以上再生要求された音楽データが存在するときには、これを新たなプレイリストに追加登録していた。このようにしてサーバは、プレイリストの内容を適宜更新していた。
【０００４】
ところがサーバは、音楽データに対する再生要求の回数の多さに応じて、プレイリストで規定する再生順序を単に並び替え、また新たなプレイリストに音楽データを単に追加登録している。このためサーバは、これらプレイリストに登録されている複数の音楽データの中に、あまり再生要求されてはいない音楽データが存在しても、これらプレイリストに対して、そのあまり再生要求されてはいない音楽データを登録したままにしている。従ってサーバは、プレイリストに従い音楽データを再生する場合、ユーザによってあまり聴かれてはいなかった音楽の音楽データも再生することになり、ユーザに対し聴きたいと思われている音楽を提供しているとは言い難い問題があった。
【０００５】
本発明は以上の点を考慮してなされたもので、プレイリストに従いユーザが所望していると思われるコンテンツを提供し得る再生装置、再生方法及び再生プログラムを提案しようとするものである。
【課題を解決するための手段】
【０００６】
かかる課題を解決するため本発明においては、複数のコンテンツデータの再生順序を規定したプレイリストの再構成を要求する再構成要求情報を生成し、当該生成した再構成要求情報に応じて、プレイリスト生成規則と、当該プレイリスト生成規則に合致するコンテンツデータの識別情報とを有するプレイリストの少なくとも一部を、装置使用状況に応じたプレイリスト生成規則を有するプレイリストに再構成するようにした。
【０００７】
従って本発明では、装置使用状況を反映させたプレイリスト生成規則に従い、ユーザが所望していると思われるコンテンツのコンテンツデータを登録したプレイリストを用意することができる。
【発明の効果】
【０００８】
本発明によれば、複数のコンテンツデータの再生順序を規定したプレイリストの再構成を要求する再構成要求情報を生成し、当該生成した再構成要求情報に応じて、プレイリスト生成規則と、当該プレイリスト生成規則に合致するコンテンツデータの識別情報とを有するプレイリストの少なくとも一部を、装置使用状況に応じたプレイリスト生成規則を有するプレイリストに再構成するようにしたことにより、装置使用状況を反映させたプレイリスト生成規則に従い、ユーザが所望していると思われるコンテンツのコンテンツデータを登録したプレイリストを用意することができ、かくしてプレイリストに従いユーザが所望していると思われるコンテンツを提供し得る再生装置、再生方法及び再生プログラムを実現することができる。
【発明を実施するための最良の形態】
【０００９】
以下図面について、本発明の一実施の形態を詳述する。
【００１０】
（１）第１の実施の形態
（１−１）第１の実施の形態による再生装置の概要
図１において、１は全体として第１の実施の形態による再生装置の構成の概要を示す。再生装置１は、図示しないコンテンツデータ記憶部に記憶される複数のコンテンツデータを、当該コンテンツデータの再生順序を規定したプレイリストに従い再生し得るようになされている。このような再生装置１においてプレイリスト記憶部２は、プレイリスト生成規則と、当該プレイリスト生成規則に合致するコンテンツデータの識別情報とを有するプレイリストを記憶している。また再生装置１において要求情報生成部３は、プレイリストの再構成を要求する再構成要求情報を生成する。そして再生装置１においてプレイリスト再構成部４は、要求情報生成部３により生成された再構成要求情報に応じて、プレイリスト記憶部２に記憶されるプレイリストの少なくとも一部を、装置使用状況に応じたプレイリスト生成規則を有するプレイリストに再構成する。かかる構成により再生装置１は、装置使用状況を反映させたプレイリスト生成規則に従い、ユーザが所望していると思われるコンテンツデータを登録したプレイリストを用意することができ、かくしてプレイリストに従いユーザが所望していると思われるコンテンツデータを提供することができる。
【００１１】
（１−２）第１の実施の形態による再生装置の詳細構成
次いで図２を用いて、再生装置１０の機能回路ブロックによる詳細なハードウェア構成を説明する。かかる再生装置１０は、再生部１１によりＣＤ（Compact Disc）等の記録媒体から音楽データを再生する媒体再生機能や、当該記録媒体に記録されている音楽データを録音する録音機能、プレイリストを利用した音楽データの再生機能（以下、これをリスト利用再生機能と呼ぶ）等の各種機能を実現し得るようになされている。
【００１２】
ここで再生装置１０の操作部１２は、例えば図３に示すような直方体状のリモートコントローラＲＭ１を有している。かかるリモートコントローラＲＭ１の正面一端側には、再生装置１０の電源をオン／オフするためのトグル式の電源ボタンＲＭ１Ａと、再生中の音楽の音量を調節するための音量調節ボタンＲＭ１Ｂと、後述するプレイリストの再構成を要求するための再構成要求ボタンＲＭ１Ｃとが配置されている。またリモートコントローラＲＭ１の正面中央部には、上述した各種機能を切り替えて選択させるためのトグル式の機能選択ボタンＲＭ１Ｄと、各種設定項目を呼び出すための設定ボタンＲＭ１Ｅとが配置されている。これに加えてリモートコントローラＲＭ１の正面中央部には、それぞれ頂点を一端側及び他端側に向けた三角形状を有し、表示画面上で上方向及び下方向を選択させるための上方向選択ボタンＲＭ１Ｆ及び下方向選択ボタンＲＭ１Ｇと、それぞれ頂点を左側及び右側に向けた三角形状を有し、当該表示画面上で左方向及び右方向を選択させるための左方向選択ボタンＲＭ１Ｈ及び右方向選択ボタンＲＭ１Ｉと、例えば表示画面上で種々の選択を決定させるための決定ボタンＲＭ１Ｊとが配置されている。
【００１３】
さらにリモートコントローラＲＭ１の正面他端寄りには、音楽データの再生を制御するための再生開始ボタンＲＭ１Ｋ、再生停止ボタンＲＭ１Ｌ、早送ボタンＲＭ１Ｍ、巻戻ボタンＲＭ１Ｎ、曲送ボタンＲＭ１Ｏ、曲戻ボタンＲＭ１Ｐ及び一時停止ボタンＲＭ１Ｑが配置されている。従って再生装置１０では、ユーザに対し、操作部１２のリモートコントローラＲＭにおいて機能選択ボタンＲＭ１Ｄを押下操作させる簡易な操作で、上述した各種機能を容易に選択させ得るようになされている。
【００１４】
すなわち再生装置１０において再生部１１は、ユーザによる操作部１２の操作に応じて媒体再生機能を選択する媒体再生機能選択命令が与えられると、再生装置１０に装填された記録媒体から、これに記録されている音楽データを再生し音楽として出力する。これにより再生部１１は、ユーザに対し音楽を聴かせることができるようになされている。
【００１５】
また再生部１１は、ユーザによる操作部１２の操作に応じて録音機能を選択する録音機能選択命令が与えられると、記録媒体から音楽データを読み出して所定の圧縮符号化方式で圧縮符号化してコンテンツデータ記憶部１３に送出する。これによりコンテンツデータ記憶部１３は、再生部１１から与えられたＡＴＲＡＣ３（Adaptive Transform Acoustic Coding 3）、ＡＡＣ（Advanced Audio Coding ）、ＷＭＡ（Windows （登録商標）Media Audio ）、ＲｅａｌＡＵＤＩＯ  Ｇ２  Ｍｕｓｉｃ  Ｃｏｄｅｃ、ＭＰ３（MPEG Audio Layer-3）フォーマット等の音楽データを記憶する。
【００１６】
これに加えて通信部１４は、ネットワークＮＴ上の外部装置１５と通信し得るようになされている。外部装置１５は、再生装置１０に対し音楽データ等の種々のデータや各種情報等を、より的確に送信するためのＴＣＰ／ＩＰ（Transmission Control Protocol/Internet Protocol ）に従った第１の送信形態と、より高速に送信するためのＵＤＰ／ＩＰ（User Datagram Protocol/Internet Protocol）に従った第２の送信形態との何れの送信形態でも送信し得るようになされている。そして外部装置１５は、再生装置１０により種々のデータや各種情報が、一時的や永続的に保存することを目的として要求されたときには、第１の送信形態でこれら種々のデータや各種情報を送信している。また外部装置１５は、再生装置１０により音楽データが、保存はせずに受信しながら再生処理すること（以下、このような受信しながら保存はせず再生処理することをストリーミング再生と呼ぶ）を目的として要求されたときには、第２の送信形態で音楽データを送信している。
【００１７】
従って通信部１４は、ユーザによる操作部１２の操作に応じて、ネットワークＮＴを利用し音楽データをコンテンツデータ記憶部１３へ保存することを目的として受信すること（以下、このような保存を目的として受信することをダウンロードと呼ぶ）を要求するダウンロード要求が与えられると、所望の音楽データのダウンロードを要求するダウンロード要求信号をネットワークＮＴ上の外部装置１５に送信する。その結果、通信部１４は、外部装置１５から第１の送信形態で所定フォーマットの音楽データが返信されると、その音楽データをダウンロードしてコンテンツデータ記憶部１３に送出する。これによりコンテンツデータ記憶部１３は、外部装置１５からダウンロードされた音楽データを記憶する。
【００１８】
因みに通信部１４は、後述するようにユーザによる操作部１２の操作に応じて、ネットワークＮＴを利用した音楽データのストリーミング再生を要求するストリーミング再生要求が与えられると、ストリーミング要求信号をネットワークＮＴ上の外部装置１５に送信する。その結果、通信部１４は、外部装置１５から第２の送信形態で所定フォーマットの音楽データが返信されると、その音楽データを受信しながら再生部１１に送出する。これにより再生部１１は、通信部１４から与えられる音楽データをストリーミング再生する。
【００１９】
ここで図４に示すように、コンテンツデータ記憶部１３には、音楽データ管理用のデータベース（以下、これをコンテンツデータベースと呼ぶ）ＣＤＢ１が構築されている。そしてコンテンツデータ記憶部１３は、コンテンツデータベースＣＤＢ１に対し、複数の音楽データＤ１を管理するための複数の音楽データ管理情報ＣＡを記憶している。
【００２０】
この場合、各音楽データ管理情報ＣＡは、それぞれ上述した録音や外部装置１５からのダウンロードによって記憶された１つの音楽データＤ１と、当該１つの音楽データＤ１に関連する関連情報（以下、これをデータ関連情報と呼ぶ）ＤＲＥとを有している。そしてデータ関連情報ＤＲＥは、対応する音楽データＤ１の属性情報（以下、これをデータ属性情報と呼ぶ）ＤＡＴと、その音楽データＤ１の中の、当該音楽データＤ１に基づく音楽の例えば「さび」と呼ばれる特徴部分に対応する位置（例えば、「さび」の始まりに対応する位置であり、以下これを特徴位置と呼ぶ）を示す特徴位置情報ＳＰとを有している。
【００２１】
またデータ属性情報ＤＡＴには、対応する音楽データＤ１固有のＩＤ（IDentification）、音楽のタイトル（以下、これを音楽タイトルと呼ぶ）、アーティストの名称（以下、これをアーティスト名と呼ぶ）、音楽の属するジャンルの名称（以下、これをジャンル名と呼ぶ）、当該音楽データＤ１の記憶日時、音楽データＤ１全体の再生時間等を示す各種情報や音楽データＤ１の収録されたアルバムのジャケット写真の画像データ（以下、これをジャケット写真画像データと呼ぶ）が含まれている。さらにデータ属性情報ＤＡＴには、対応する音楽データＤ１を周波数解析等によって分析することにより、その音楽データＤ１に基づく音楽の印象（例えば、曲のテンポや音色等）を数値化して得られた（音楽全体に対する印象や、「さび」の部分のように１又は複数の部分毎の印象を数値化して得られた）印象値情報や音楽の歌詞に含まれている特徴的な単語等を示す各種情報も含まれている。
【００２２】
因みにデータ属性情報ＤＡＴは、記録媒体からの音楽データＤ１の読み出し時に外部の情報提供装置（図示せず）からダウンロードされ、また外部装置１５から音楽データＤ１と共にダウンロードされている。ただし印象値情報については、外部装置１５から音楽データＤ１と共にダウンロードされる場合もあるし、再生装置１０の例えば再生部１１により音楽データＤ１を分析して生成する場合もある。
【００２３】
これに加えてプレイリスト記憶部１６は、例えばラジオ放送局を選局するためのチャンネルのように、プレイリストＰＬ１を選択するために当該プレイリストＰＬ１を割当可能な複数のチャンネルをリスト化して示すチャンネルリストＣＬを記憶している。因みに、かかるチャンネルリストＣＬには、複数のチャンネルそれぞれを個別に識別可能な識別情報としてのチャンネル番号ＣＮが、所定の順番（例えば、複数のチャンネル番号ＣＮが順次大きくなるような順番）で並べて格納されている。
【００２４】
またプレイリスト記憶部１６は、それぞれ複数の音楽データＤ１の再生順序を規定する複数種類のプレイリストＰＬ１を記憶している。ところで複数のチャンネルには、それぞれ１つのプレイリストＰＬ１のみを割り当てるように規定されている。しかしながらプレイリスト記憶部１６は、プレイリストＰＬ１の記憶数が特には制限されていない。このためプレイリスト記憶部１６は、チャンネルに割り当てられているプレイリストＰＬ１を記憶すると共に、チャンネルに割り当てられてはいないプレイリストＰＬ１も記憶し得るようになされている。
【００２５】
そしてプレイリストＰＬ１は、当該プレイリストＰＬ１の属性情報（以下、これをリスト属性情報と呼ぶ）ＬＡＴを有している。またプレイリストＰＬ１は、当該プレイリストＰＬ１に従って再生可能な複数の音楽データＤ１をそれぞれ登録する音楽登録情報ＴＲが、これら複数の音楽データＤ１に対し予め選定された再生順序に従って並べられて格納されている。
【００２６】
ただし再生装置１０は、プレイリスト記憶部１６に記憶しているプレイリストＰＬ１を利用して音楽データＤ１を再生し得るものの、例えばネットワークＮＴ上の外部装置１５に設けられたプレイリスト記憶部（図示せず）に記憶されているプレイリストＰＬ２も音楽データＤ１の再生に利用し得るようになされている。また再生装置１０は、このようなプレイリストＰＬ１及びＰＬ２を利用して、コンテンツデータ記憶部１３に記憶している音楽データＤ１を再生し得ると共に、外部装置１５に設けられたコンテンツデータ記憶部（図示せず）内のコンテンツデータベースＣＤＢ２に記憶されている音楽データＤ１も再生し得るようになされている。このためプレイリスト記憶部１６に記憶されているプレイリストＰＬ１の中には、リスト属性情報ＬＡＴのみから構成され、かかるリスト属性情報ＬＡＴにより、外部装置１５に記憶保持されたプレイリストＰＬ２を指定するようになされたプレイリストＰＬ１も存在している。
【００２７】
ここでリスト属性情報ＬＡＴには、対応するプレイリストＰＬ１の、チャンネルに対する割り当ての有無を示すチャンネル割当情報ＣＨＡが含まれている。ただしリスト属性情報ＬＡＴには、対応するプレイリストＰＬ１がチャンネルに割り当てられている場合、そのチャンネルのチャンネル番号ＣＮも示すチャンネル割当情報ＣＨＡが含まれている。またリスト属性情報ＬＡＴには、対応するプレイリストＰＬ１の名称（以下、これをリスト名と呼ぶ）を示すリスト名情報ＬＮも含まれている。因みにリスト名は、プレイリストＰＬ１がチャンネルに割り当てられているときには、そのチャンネルの名称にもなるものである。
【００２８】
さらにリスト属性情報ＬＡＴには、対応するプレイリストＰＬ１の構成に対する具体的な説明文のテキストデータ等からなるリスト詳細情報ＬＤも含まれている。さらにリスト属性情報ＬＡＴには、対応するプレイリストＰＬ１に登録されている複数の音楽データＤ１を、予め規定された再生順序に従い再生する通常再生形態と、当該複数の音楽データＤ１を予め規定された再生順序を無作為に並べ替えた他の順序で再生するシャッフル再生形態との何れの再生形態で再生するかを示す再生形態情報ＰＭも含まれている。因みに、かかる再生形態は、例えばユーザに対し適宜選定させ得るようになされている。
【００２９】
さらにリスト属性情報ＬＡＴには、対応するプレイリストＰＬ１に対する音楽データＤ１の再生への利用の有無を示す再生利用設定情報ＬＳも含まれている。因みにプレイリストＰＬ１に対する音楽データＤ１の再生への利用の有無については、例えばユーザに対し任意に選定させ得るようになされている。
【００３０】
これに加えてリスト属性情報ＬＡＴには、対応するプレイリストＰＬ１の形式を示す形式情報ＬＴも含まれている。すなわち、リスト属性情報ＬＡＴには、対応するプレイリストＰＬ１が音楽登録情報ＴＲを有し、かつ再生装置１０のプレイリスト記録部１６に記憶されている場合、このことを表す形式情報ＬＴが含まれている。またリスト属性情報ＬＡＴには、対応するプレイリストＰＬ１が当該リスト属性情報ＬＡＴのみから構成されている場合、このことを表し、かつ外部装置１５に記憶された他のプレイリストＰＬ２を指定する（例えば、他のプレイリストＰＬ２のネットワークアドレスを含む）形式情報ＬＴが含まれている。すなわち、プレイリストＰＬ１は、リスト属性情報ＬＡＴのみから構成されている場合でも、基本的には音楽登録情報を有してはいないだけで、リスト属性情報ＬＡＴが他のプレイリストＰＬ１のリスト属性情報ＬＡＴとほぼ同様に構成されている。
【００３１】
一方、プレイリストＰＬ１に格納された音楽登録情報ＴＲは、当該プレイリストＰＬ１に登録された音楽データＤ１毎に生成されている。そして音楽登録情報ＴＲには、登録された音楽データＤ１に対する再生の有無を示す再生設定情報ＰＳが含まれている。因みにプレイリストＰＬ１に登録されている個々の音楽データＤ１に対する再生の有無については、例えばユーザに対し任意に選定させ得るようになされている。また音楽登録情報ＴＲには、登録された音楽データＤ１の記憶場所（コンテンツデータ記憶部１３での記憶場所を示す記憶アドレスや、外部装置１５での記憶場所を示すネットワークアドレスである）のように当該音楽データＤ１を再生可能なように識別して指示する情報（以下、これをコンテンツ識別情報と呼ぶ）ＭＩＤも含まれている。
【００３２】
因みに外部装置１５のプレイリスト記憶部に記憶されているプレイリストＰＬ２についても、再生装置１０のプレイリスト記憶部１６に記憶されているプレイリストＰＬ１と同様にリスト属性情報ＬＡＴと複数の音楽登録情報ＴＲとが格納されて構成されている。そして外部装置１５のプレイリスト記憶部に記憶されているプレイリストＰＬ２のリスト属性情報ＬＡＴには、外部装置１５のプレイリスト記録部に記憶されていることを表す形式情報ＬＴが含まれていることを除いて、当該プレイリストＰＬ２を再生装置１０側から指定するためのプレイリストＰＬ１のリスト属性情報ＬＡＴとほぼ同じ情報が含まれている。
【００３３】
ところで、かかる構成のプレイリストＰＬ１及びＰＬ２としては、コンテンツデータ記憶部１３や外部装置１５のコンテンツデータベースＣＤＢ１及びＣＤＢ２に新たな音楽データＤ１が記憶される毎に、その音楽データＤ１を自動的に登録するようにして、適宜登録内容が更新されるものがある。またプレイリストＰＬ１及びＰＬ２としては、任意に選定された音楽の印象や音楽のイメージ、アーティスト、ジャンル等で音楽データＤ１を収集するようなプレイリスト生成規則に従い、かかるプレイリスト生成規則に合致した複数の音楽データＤ１を自動的に登録するようにして生成されたものもある。さらにプレイリストＰＬ１及びＰＬ２としては、コンテンツデータベースＣＤＢ１及びＣＤＢ２に記憶された全ての音楽データＤ１の中から、音楽データＤ１毎の再生回数を示すデータ再生履歴に基づき、例えば再生回数の最も多いものから順次再生回数の少ないものまでの予め選定された所定個数の音楽データＤ１を自動的に登録するようにして、その登録内容が適宜更新されるものもある。
【００３４】
このため再生部１１は、ユーザに対しこれら種々のプレイリストＰＬ１及びＰＬ２の中からチャンネルとして所望のプレイリストＰＬ１及びＰＬ２を選択させるようにしている。そして再生部１１は、ユーザにより選択されたプレイリストＰＬ１及びＰＬ２に従い、コンテンツデータ記憶部１３や外部装置１５で記憶されている音楽データＤ１を順次再生する。これにより再生部１１は、ユーザに対し好みの印象や好みのイメージに近い複数の音楽、また好みのアーティストやジャンル等の複数の音楽を連続して聴かせることができるようになされている。
【００３５】
すなわち、再生部１１は、ユーザにより操作部１２を介してリスト利用再生機能が選択されると、そのリスト利用再生機能を起動する。因みに再生部１１は、再生装置１０の動作停止状態（すなわち、電源がオフの状態）で操作部１２を介してリスト利用再生機能が選択されると、これに応じて再生装置１０が起動される（すなわち、電源がオンの状態になる）ことにより、その起動に合わせてリスト利用再生機能を起動する。また再生部１１は、他の機能が実行されている状態で操作部１２を介してリスト利用再生機能が選択されると、これに応じて当該他の機能から切り替えてリスト利用再生機能を起動する。
【００３６】
ところで再生部１１は、リスト利用再生機能を終了する毎に、当該リスト利用再生機能の終了時に（すなわち、最後に）ユーザにより選択されていたチャンネルのチャンネル番号ＣＮを順次更新して保持している。また再生部１１は、リスト利用再生機能の起動初期の（すなわち、最初の）選択用として予め選定されたチャンネルのチャンネル番号ＣＮも保持している。そして再生部１１は、リスト利用再生機能の起動初期には、前回のリスト利用再生機能の終了時に選択されていたチャンネルと、予め選定されたチャンネルとの何れか一方を自動的に選択するように設定されている。すなわち再生部１１は、かかる設定の内容に応じて、前回のリスト利用再生機能の終了時に選択されていたチャンネルのチャンネル番号ＣＮと、予め選定されたチャンネルのチャンネル番号ＣＮとの何れか一方を、リスト利用再生機能を起動する毎に自動的に選択するチャンネルのチャンネル番号ＣＮ（以下、これを起動初期使用チャンネル番号と呼ぶ）として保持している。
【００３７】
従って再生部１１は、リスト利用再生機能を起動すると、起動初期使用チャンネル番号のチャンネルを自動的に選択するようにして、プレイリスト記憶部１６から、チャンネルリストＣＬと共に、当該自動的に選択したチャンネルに割り当てられたプレイリストＰＬ１を読み出す。因みに再生部１１は、自動的に選択したチャンネルに割り当てられたプレイリストＰＬ１が外部装置１５に記憶保持されている他のプレイリストＰＬ２を指定していると、その指定に応じて、当該他のプレイリストＰＬ２を、通信部１４を介して外部装置１５に要求する。これにより再生部１１は、外部装置１５から返信され通信部１４によりダウンロードされた他のプレイリストＰＬ２を取り込む。
【００３８】
そして再生部１１は、プレイリストＰＬ１及びＰＬ２に登録されている再生すべき音楽データＤ１がコンテンツデータ記憶部１３に記憶されていると、当該プレイリストＰＬ１及びＰＬ２に格納されている音楽登録情報ＴＲ内のコンテンツ識別情報ＭＩＤに従い、対応する音楽データＤ１及びデータ関連情報ＤＲＥをコンテンツデータ記憶部１３から読み出す。これにより再生部１１は、データ関連情報ＤＲＥに含まれる特徴位置情報ＳＰに従い、音楽データＤ１の特徴位置からの再生を開始して、ユーザに対し音楽を特徴部分の頭から試聴させる。
【００３９】
因みに再生部１１は、プレイリストＰＬ１及びＰＬ２に登録されている再生すべき音楽データＤ１が外部装置１５に記憶保持されている場合、当該プレイリストＰＬ１及びＰＬ２に格納されている音楽登録情報ＴＲ内のコンテンツ識別情報ＭＩＤに従い、対応する音楽データＤ１及びデータ関連情報ＤＲＥを、通信部１４を介して外部装置１５に要求する。これにより再生部１１は、外部装置１５から返信され通信部１４により受信されている音楽データＤ１及びデータ関連情報ＤＲＥを取り込みながら、そのデータ関連情報ＤＲＥに含まれる特徴位置情報ＳＰに従い、当該音楽データＤ１に対する特徴位置からのストリーミング再生を開始して、ユーザに対し音楽を特徴部分の頭から試聴させる。
【００４０】
また再生部１１は、音楽データＤ１に対する特徴位置からの再生途中に、ユーザによる操作部１２の操作に応じて、チャンネルを切り替えるチャンネル切替命令が与えられると、チャンネルリストＣＬに格納されているチャンネル番号ＣＮの並びに従って、チャンネルを切り替える。これにより再生部１１は、上述と同様にプレイリスト記憶部１６又は外部装置１５から、新たなチャンネルに割り当てられているプレイリストＰＬ１及びＰＬ２を読み出す。そして再生部１１は、その新たなプレイリストＰＬ１及びＰＬ２に従いコンテンツデータ記憶部１３又は外部装置１５から音楽データＤ１及びデータ関連情報ＤＲＥを読み出して、その時点の音楽データＤ１の再生を中断すると共に、当該読み出した音楽データＤ１の特徴位置からの再生を開始する。
【００４１】
このようにして再生部１１は、ユーザによりチャンネルの切り替えが要求される毎（すなわち、チャンネル切替命令が入力される毎）に、切替後のチャンネルに割り当てられたプレイリストＰＬ１及びＰＬ２に従い、これに登録されている音楽データＤ１を特徴位置から再生する。これにより再生部１１は、ユーザに対し、プレイリストＰＬ１及びＰＬ２に従い音楽データＤ１に基づく音楽を特徴部分の頭から実際に試聴させて、音楽データＤ１の再生に利用するプレイリストＰＬ１及びＰＬ２を選択させることができる。
【００４２】
さらに再生部１１は、音楽データＤ１に対する特徴位置からの再生途中に、ユーザによる操作部１２の操作に応じて、再生する音楽データＤ１を切り替える再生音楽切替命令が与えられると、その時点に選択されているプレイリストＰＬ１及びＰＬ２に従い、上述と同様にコンテンツデータ記憶部１３又は外部装置１５から新たに音楽データＤ１及びデータ関連情報ＤＲＥを読み出して、その時点の音楽データＤ１の再生を中断すると共に、当該新たに読み出した音楽データＤ１に対する特徴位置からの再生を開始する。このようにして再生部１１は、ユーザにより音楽データＤ１の切り替えが要求される毎（すなわち、再生音楽切替命令が入力される毎）に、切替後の音楽データＤ１を特徴位置から再生する。これにより再生部１１は、ユーザに対し、プレイリストＰＬ１及びＰＬ２に従い音楽データＤ１に基づく音楽を特徴部分の頭から実際に試聴させて、当該プレイリストＰＬ１及びＰＬ２に従い再生可能な複数の音楽データＤ１の中から、所望の音楽データＤ１を選択（すなわち、検索）させることができる。
【００４３】
そして再生部１１は、音楽データＤ１に対する特徴位置からの再生途中に、ユーザによる操作部１２の操作に応じて、現在再生中の音楽データＤ１を所望の音楽データＤ１として選択決定する音楽選択決定命令が与えられると、当該音楽データＤ１の再生を一旦停止すると共に、改めてその音楽データＤ１に対する先頭位置からの再生を開始する。このようにして再生部１１は、ユーザにより所望の音楽データＤ１が選択決定されると、これに応じて当該所望の音楽データＤ１に基づく音楽の全体を聴取させることができる。因みに再生部１１は、かかる音楽データＤ１の先頭位置からの再生が終了すると（すなわち、かかる音楽データＤ１を先頭位置から後尾位置まで再生すると）、その時点に選択されているプレイリストＰＬ１及びＰＬ２に従い、上述と同様にコンテンツデータ記憶部１３又は外部装置１５から新たに音楽データＤ１及びデータ関連情報ＤＲＥを読み出すと共に、当該読み出した新たな音楽データＤ１に対する先頭位置からの再生を開始する。
【００４４】
また再生部１１は、音楽データＤ１に対する特徴位置からの再生途中に、ユーザによりチャンネルの切り替えや音楽データＤ１の切り替えが何ら要求されず、当該音楽データＤ１の特徴位置から後尾位置までの再生が終了すると、その時点に選択されているプレイリストＰＬ１及びＰＬ２に従い、上述と同様にコンテンツデータ記憶部１３又は外部装置１５から新たに音楽データＤ１及びデータ関連情報ＤＲＥを読み出す。そして再生部１１は、その新たな音楽データＤ１に対する先頭位置からの再生を開始する。
【００４５】
このようにして再生部１１は、特徴位置から再生を開始した音楽データＤ１を後尾位置まで再生して、当該音楽データＤ１の再生が終了すると、ユーザにより、プレイリストＰＬ１及びＰＬ２に登録されている複数の音楽データＤ１に基づく複数の音楽を聴取するように要求されたものとみなす。そして再生部１１は、現在選択されているプレイリストＰＬ１及びＰＬ２に従い複数の音楽データＤ１の全体を順次再生して複数の音楽の全体を連続して聴取させることができる。因みに再生部１１は、１つのプレイリストＰＬ１及びＰＬ２に従い音楽データＤ１を特徴位置や先頭位置から順次再生する場合、当該プレイリストＰＬ１及びＰＬ２に格納されている複数の音楽登録情報ＴＲを、これに適用された通常再生形態又はシャッフル再生形態に応じた並びに従って、あたかも先頭と後尾とを繋げた環状にする。これにより再生部１１は、１つのプレイリストＰＬ１及びＰＬ２に登録されている複数の音楽データＤ１を循環的に再生し得るようになされている。
【００４６】
さらに再生部１１は、音楽データＤ１に対する先頭位置からの再生途中に、ユーザによる操作部１２の操作に応じてチャンネル切替命令が与えられると、チャンネルリストＣＬに格納されているチャンネル番号ＣＮの並びに従って、チャンネルを切り替える。これにより再生部１１は、プレイリスト記憶部１６又は外部装置１５から新たなチャンネルに割り当てられているプレイリストＰＬ１及びＰＬ２を読み出す。そして再生部１１は、上述と同様に、新たなプレイリストＰＬ１及びＰＬ２に従いコンテンツデータ記憶部１３又は外部装置１５から音楽データＤ１及びデータ関連情報ＤＲＥを読み出して、その時点の音楽データＤ１の再生を中断すると共に、当該読み出した音楽データＤ１に対する特徴位置からの再生を開始する。
【００４７】
このようにして再生部１１は、ユーザにより選択されたプレイリストＰＬ１及びＰＬ２に従い複数の音楽データＤ１を再生していても、音楽データＤ１の再生に利用するプレイリストＰＬ１及びＰＬ２を切り替えるように要求されると、これに応じて、かかる再生を中断する。そして再生部１１は、上述と同様にユーザに対し、その時点まで音楽データＤ１の再生に利用していたプレイリストＰＬ及びＰＬ２とは異なる他のプレイリストＰＬ１及びＰＬ２に従い音楽を特徴部分の頭から実際に試聴させて、音楽データＤ１の再生に利用する新たなプレイリストＰＬ１及びＰＬ２を選択させることができる。
【００４８】
さらにまた再生部１１は、音楽データＤ１に対する先頭位置からの再生途中に、ユーザによる操作部１２の操作に応じて再生音楽切替命令が与えられると、その時点に選択されているプレイリストＰＬ１及びＰＬ２に従い、上述と同様にコンテンツデータ記憶部１３又は外部装置１５から新たに音楽データＤ１及びデータ関連情報ＤＲＥを読み出して、その時点の音楽データＤ１の再生を中断すると共に、当該新たに読み出した音楽データＤ１に対する特徴位置からの再生を開始する。これにより再生部１１は、ユーザからの要求に応じて、プレイリストＰＬ１及びＰＬ２に従い、再生する音楽データＤ１を切り替える。
【００４９】
このようにして再生部１１は、音楽データＤ１を先頭位置から再生しても、音楽データＤ１の切り替えが要求されると、これに応じて、かかる再生を中断する。そして再生部１１は、上述と同様にユーザに対し、その時点に選択されているプレイリストＰＬ１及びＰＬ２に従い新たな音楽を特徴部分の頭から実際に試聴させて、所望の音楽データＤ１を改めて選択（すなわち、検索）させることができる。
【００５０】
ところで再生部１１は、リスト利用再生機能を起動すると、プレイリスト記憶部１６から読み出したチャンネルリストＣＬを表示制御部１７に送出する。また再生部１１は、プレイリスト記憶部１６や外部装置１５からプレイリストＰＬ１及びＰＬ２を読み出す毎に、当該読み出したプレイリストＰＬ１及びＰＬ２を表示制御部１７に送出する。さらに再生部１１は、コンテンツデータ記憶部１３や外部装置１５から音楽データＤ１と共にデータ関連情報ＤＲＥを読み出す毎に、そのデータ関連情報ＤＲＥに含まれるデータ属性情報ＤＡＴも表示制御部１７に送出する。
【００５１】
これにより表示制御部１７は、リスト利用再生機能の起動に合わせて、これらチャンネルリストＣＬ、プレイリストＰＬ１及びＰＬ２、データ属性情報ＤＡＴに基づき、チャンネル及び音楽データＤ１を選択させるための選択画面データを生成する。そして表示制御部１７は、かかる選択画面データを表示部１８に送出することにより、当該表示部１８に対し選択画面データに基づく図５に示すような選択画面２０を表示する。
【００５２】
この場合、選択画面２０は、画面左側に、上下方向に長いチャンネル選択領域２１が設けられると共に、残りの画面左側に音楽選択領域２２が設けられている。そしてチャンネル選択領域２１の中央部には、現在選択中のチャンネルをチャンネル番号ＣＮによって通知するための選択チャンネル通知表示子（以下、この表示子をアイコンと呼ぶ）２３が表示されている。またチャンネル選択領域２１の上側及び下側には、チャンネルリストＣＬに格納されているチャンネル番号ＣＮの並びに従い、現在選択中のチャンネルから切り替えて選択可能な異なるチャンネルをチャンネル番号ＣＮによって通知するための選択可能チャンネル通知アイコン２４及び２５が表示されている。
【００５３】
そしてチャンネル選択領域２１には、上側に表示された選択可能チャンネル通知アイコン２４のさらに上側に、例えば頂点を上側に向けた三角形状の第１のマークＭ１が表示されている。これにより選択画面２０は、例えばリモートコントローラＲＭ１において、第１のマークＭ１と形状及び向きが同一な上方向選択ボタンＲＭ１Ｆを押下操作すれば、チャンネル選択領域２１の中央部に表示される選択チャンネル通知アイコン２３が示すチャンネル番号ＣＮを、チャンネルリストＣＬに格納されているチャンネル番号ＣＮの並びに従い１小さいチャンネル番号ＣＮに切り替えるようにして、所望のチャンネルを選択し得ることを直感的に認識させ得るようになされている。
【００５４】
またチャンネル選択領域２１には、下側に表示された選択可能チャンネル通知アイコン２５のさらに下側に、例えば頂点を下側に向けた三角形状の第２のマークＭ２が表示されている。これにより選択画面２０は、例えばリモートコントローラＲＭ１において、第２のマークＭ２と形状及び向きが同一な下方向選択ボタンＲＭ１Ｇを押下操作すれば、チャンネル選択領域２１の中央部に表示される選択チャンネル通知アイコン２３が示すチャンネル番号ＣＮを、チャンネルリストＣＬに格納されているチャンネル番号ＣＮの並びに従い１大きいチャンネル番号ＣＮに切り替えるようにして、所望のチャンネルを選択し得ることを直感的に認識させ得るようになされている。
【００５５】
一方、音楽選択領域２２には、その左側に、現在選択中のチャンネルに割り当てられたプレイリストＰＬ１及びＰＬ２のリスト名２６と、当該プレイリストＰＬ１及びＰＬ２の構成に対する具体的な説明文２７（すなわち、上述したリスト詳細情報ＬＤとしてのテキストデータに基づく説明文）とが表示されている。因みに音楽選択領域２２には、現在選択中のプレイリストＰＬ１及びＰＬ２に従い再生中の音楽データＤ１が外部装置１５から提供されたものであるときにのみ、説明文２７の下側に、当該音楽データＤ１がネットワークＮＴを介して提供されていることを通知するためのネットワーク配信通知アイコン２８が表示される。
【００５６】
また音楽選択領域２２には、その右側に、現在選択中のプレイリストＰＬ１及びＰＬ２に従い再生中の音楽データＤ１に対応するジャケット写真画像２９が表示されると共に、そのジャケット写真画像２９の下側に再生中の音楽データＤ１に対応する音楽タイトル３０及びアーティスト名３１が表示されている。
【００５７】
これに加えて音楽選択領域２２には、ジャケット写真画像２９の左側に、例えば頂点を左側に向けた三角形状の第３のマークＭ３が表示されている。これにより選択画面２０は、例えばリモートコントローラＲＭ１において、第３のマークＭ３と形状及び向きが同一な左方向選択ボタンＲＭ１Ｈを押下操作すれば、音楽選択領域２２において、再生する音楽データＤ１を、現在選択中のプレイリストＰＬ１及びＰＬ２に従い１つ前の音楽データＤ１に戻すように切り替えて選択し得ることを直感的に認識させ得るようになされている。
【００５８】
また音楽選択領域２２には、ジャケット写真画像２９の右側に、例えば頂点を右側に向けた三角形状の第４のマークＭ４が表示されている。これにより選択画面２０は、例えばリモートコントローラＲＭ１において、第４のマークＭ４と形状及び向きが同一な右方向選択ボタンＲＭ１Ｉを押下操作すれば、音楽選択領域２２において、再生する音楽データＤ１を、現在選択中のプレイリストＰＬ１及びＰＬ２に従い１つ後の音楽データＤ１に送るように切り替えて選択し得ることを直感的に認識させ得るようになされている。
【００５９】
ところでチャンネルの切り替えについては、チャンネルリストＣＬに格納されているチャンネル番号ＣＮの並びに沿った切替方向がある。このため再生部１１は、表示制御部１７により表示部１８に選択画面２０が表示された状態で、リモートコントローラＲＭ１の上方向選択ボタンＲＭ１Ｆ及び下方向選択ボタンＲＭ１Ｇが押下操作されチャンネル切替命令が入力されると、チャンネルリストＣＬと、現在選択されていたチャンネルのチャンネル番号ＣＮと、そのとき押下操作された上方向選択ボタンＲＭ１Ｆ又は下方向選択ボタンＲＭ１Ｇに応じた切替方向とに基づいて新たに選択されたチャンネルを判別する。因みに再生部１１は、この際、チャンネルリストＣＬに登録されている複数のチャンネル番号ＣＮを、これらの先頭と後尾とを繋げた環のように扱うことにより、チャンネルを循環的に切り替えるようになされている。
【００６０】
そして再生部１１は、判別したチャンネルに応じて取得した新たなプレイリストＰＬ１及びＰＬ２やデータ属性情報ＤＡＴを表示制御部１７に送出する。これにより表示制御部１７は、再生部１１から与えられたプレイリストＰＬ１及びＰＬ２とデータ属性情報ＤＡＴと基づき、表示部１８に表示した選択画面２０においてチャンネル選択領域２１及び音楽選択領域２２の表示内容を更新する。このようにして表示制御部１７は、ユーザに対し選択画面２０内の選択チャンネル通知アイコン２３やリスト名２６等を目視確認させながら所望のプレイリストＰＬ１及びＰＬ２を選択させることができる。
【００６１】
また音楽データＤ１の切り替えについてもプレイリストＰＬ１及びＰＬ２に従った音楽データＤ１の再生の順序に沿う切替方向がある。このため再生部１１は、表示制御部１７により表示部１８に選択画面２０が表示された状態で、リモートコントローラＲＭ１の左方向選択ボタンＲＭ１Ｈ及び右方向選択ボタンＲＭ１Ｉが押下操作され再生音楽切替命令が入力されると、そのとき押下操作された左方向選択ボタンＲＭ１Ｈ及び右方向選択ボタンＲＭ１Ｉに基づき、新たに再生する音楽データＤ１を判別する。因みに再生部１１は、この際、プレイリストＰＬ１及びＰＬ２により再生順序の規定された複数の音楽データＤ１に対応するコンテンツ識別情報ＭＩＤを、これらの先頭と後尾とを繋げた環のように扱うことにより、音楽データＤ１を循環的に切り替えるようになされている。
【００６２】
そして再生部１１は、その判別した音楽データＤ１に応じて取得したデータ属性情報ＤＡＴを表示制御部１７に送出する。これにより表示制御部１７は、再生部１１から与えられたデータ属性情報ＤＡＴに基づき、表示部１８に表示した選択画面２０において音楽選択領域２２の表示内容を更新する。このようにして表示制御部１７は、ユーザに対し選択画面２０内の音楽タイトル３０やアーティスト名３１等を確認させながら所望の音楽の音楽データＤ１を選択させることができる。
【００６３】
また再生部１１は、表示制御部１７により表示部１８に対し選択画面２０が表示されている状態で、リモートコントローラＲＭ１の決定ボタンＲＭ１Ｊが押下操作され音楽選択決定命令が入力され、これに応じて現在再生中の音楽データＤ１が所望の音楽データＤ１として選択決定されると、これを表示制御部１７に通知する。このとき表示制御部１７は、その時点に再生部１１から与えられていたプレイリストＰＬ１及びＰＬ２（すなわち、その時点に選択されているプレイリストＰＬ１及びＰＬ２）と、データ属性情報ＤＡＴ（すなわち、その時点に再生されている音楽データＤ１に対応するデータ属性情報ＤＡＴ）とに基づき、再生中の音楽データＤ１を通知するための再生画面データを生成する。そして表示制御部１７は、かかる再生画面データを表示部１８に送出することにより、当該表示部１８に対し再生画面データに基づく図６に示すような再生画面４０を表示する。
【００６４】
この場合、再生画面４０は、画面左側に選択チャンネル通知領域４１が設けられると共に、残りの画面左側に再生音楽通知領域４２が設けられている。そして選択チャンネル通知領域４１には、現在選択中のチャンネルをチャンネル番号ＣＮとして通知するための選択チャンネル通知アイコン４３が表示されている。また再生音楽通知領域４２には、その左側に、現在選択中のチャンネルに割り当てられたプレイリストＰＬ１及びＰＬ２のリスト名４４と、現在再生中の音楽データＤ１に対応する音楽タイトル４５及びアーティスト名４６が表示されている。
【００６５】
さらに再生音楽通知領域４２には、その右側に、現在再生中の音楽データＤ１に対応するジャケット写真画像４７が表示されている。因みに再生音楽通知領域４２には、現在再生中の音楽データＤ１が外部装置１５から提供されたものであるときにのみ、ジャケット写真画像４７の上側に、ネットワーク配信通知アイコン４８が表示される。
【００６６】
そして表示制御部１７は、表示部１８に再生画面４０を表示した状態で、プレイリストＰＬ１及びＰＬ２に従い再生する音楽データＤ１が切り替わると、そのとき再生部１１から与えられるデータ属性情報ＤＡＴに基づき再生画面４０の再生音楽通知領域４２に対する表示内容を更新する。これにより表示制御部１７は、ユーザに対し再生画面４０の表示内容により、現在再生中の音楽データＤ１に対する音楽タイトル４５やアーティスト名４６等を確認させることができると共に、その音楽データＤ１の再生に利用しているプレイリストＰＬ１及びＰＬ２についても容易に確認させることができる。
【００６７】
ところで再生部１１は、音楽データＤ１に対する特徴位置からの再生を開始する毎に内部のタイマを一旦リセットして再生時間を計時している。そして再生部１１は、音楽データＤ１に対する特徴位置からの再生時間が、予め選定された所定時間（かかる所定時間は、音楽データＤ１に対する特徴位置から後尾位置までの再生に要する時間よりも短い時間である）に達するまでの間に、操作部１２を介して何ら命令が入力されないときには、当該再生時間が所定時間に達した時点に、音楽データＤ１を特徴位置から所定時間再生したことを表示制御部１７に通知する。そして表示制御部１７は、再生部１１により音楽データＤ１を特徴位置から所定時間再生したことが通知されると、そのとき表示部１８に表示していた選択画面２０を自動的に再生画面４０に切り替える。
【００６８】
また表示制御部１７は、表示部１８に再生画面４０を表示した状態で、再生部１１から新たなプレイリストＰＬ１及びＰＬ２と共にデータ属性情報ＤＡＴが与えられると（すなわち、ユーザによりチャンネルを切り替えるように命令されると）、そのプレイリストＰＬ１及びＰＬ２とデータ属性情報ＤＡＴとに基づき選択画面データを生成する。これにより表示制御部１７は、表示部１８に表示していた再生画面４０を再び選択画面２０に切り替える。さらに表示制御部１７は、表示部１８に再生画面４０を表示した状態で、再生部１１から新たなデータ属性情報ＤＡＴか与えられると（すなわち、ユーザにより音楽データＤ１を切り替えるように命令されると）、そのデータ属性情報ＤＡＴに基づき選択画面データを生成する。これにより表示制御部１７は、このとき表示部１８に表示していた再生画面４０を再び選択画面２０に切り替える。
【００６９】
すなわち図７に示すように、表示制御部１７は、リスト利用再生機能が起動されると、表示部１８に対し選択画面２０を表示する。この状態で表示制御部１７は、ユーザによるチャンネルの切り替えや音楽データＤ１の切り替えの要求に応じて、再生部１１によって音楽データＤ１が特徴位置から再生されると、当該特徴位置から再生される音楽データＤ１に応じて、選択画面２０の表示内容を更新する。また表示制御部１７は、表示部１８に対し選択画面２０を表示している状態で、再生部１１により、音楽データＤ１が特徴位置から所定時間再生されたこと、また再生中の音楽データＤ１が所望の音楽データＤ１として選択決定されたことが通知されると、これに応じて表示部１８に対し、選択画面２０から再生画面４０へと切り替えて表示する。
【００７０】
そして表示制御部１７は、表示部１８に対し再生画面４０を表示している状態で、再生部１１により、音楽データＤ１が先頭位置から再生されると、当該先頭位置から再生される音楽データＤ１に応じて再生画面４０の表示内容を更新する。ところで表示制御部１７は、表示部１８に対し再生画面４０を表示している状態で、ユーザによるチャンネルの切り替えや音楽データＤ１の切り替えの要求に応じて、再生部１１によって音楽データＤ１が特徴位置から再生されると、表示部１８に対し再生画面４０から選択画面２０へと切り替えて表示する。このようにして表示制御部１７は、チャンネルや音楽データＤ１の切り替え等に応じて、表示部１８に表示する選択画面２０や再生画面４０の表示内容を更新し、また選択画面２０及び再生画面４０を切り替えて表示する。これにより表示制御部１７は、ユーザに対しこれら選択画面２０や再生画面４０を介して、選択されているチャンネルやプレイリストＰＬ１及びＰＬ２、再生中の音楽データＤ１を通知することができる。
【００７１】
これにより図８に示すように、再生部１１は、リスト利用再生機能を実行している間、ユーザに対しあたかもラジオ放送の受信中にチャンネルを切り替えてラジオ放送局を選局するような感覚で、適宜チャンネルを切り替えさせるようにして所望のプレイリストＰＬ１及びＰＬ２を容易に選択させることができる。また再生部１１は、このようにユーザによりチャンネルが切り替えられて所望のプレイリストＰＬ１及びＰＬ２が選択される間は、途切れることなく、順次音楽データＤ１を特徴位置や先頭位置から再生して、ユーザに対し、より多くの音楽を聴かせることができる。
【００７２】
因みに再生部１１は、ユーザによりリモートコントローラＲＭ１の上方向選択ボタンＲＭ１Ｆや下方向選択ボタンＲＭ１Ｇが比較的速く連続して押下操作されると、その連続的な押下操作が開始される時点に選択されていたチャンネルと、当該連続的な押下操作の速度がある程度遅くなったときに選択されたチャンネルとの間に存在する他のチャンネルの選択を無視するようになされている。これにより再生部１１は、連続的な押下操作が開始される時点と、その連続的な押下操作の速度がある程度遅くなるまでの間に、多数のチャンネルに割り当てられているプレイリストＰＬ１及びＰＬ２に従い、順次異なる音楽データＤ１を僅かずつ再生することで、あたかも異なる複数の音楽が数音ずつノイズのように聴こえることを回避している。
【００７３】
ここで実際上、再生部１１は、ユーザにより操作部１２を介してリスト利用再生機能が選択されたことに応じてリスト利用再生機能を起動すると、図９に示すリスト利用再生機能起動処理手順ＲＴ１を開始する。再生部１１は、かかるリスト利用再生機能起動処理手順ＲＴ１を開始すると、ステップＳＰ１において起動初期使用チャンネル番号を取得して、次のステップＳＰ２に移る。ステップＳＰ２において再生部１１は、プレイリスト記憶部１６からチャンネルリストＣＬを読み出すと共に、その起動初期使用チャンネル番号のチャンネルに割り当てられているプレイリストＰＬ１及びＰＬ２をプレイリスト記憶部１６又は外部装置１５から読み出して、次のステップＳＰ３に移る。
【００７４】
ステップＳＰ３において再生部１１は、プレイリストＰＬ１及びＰＬ２を正しく読み出せたか否かを判別する。このステップＳＰ３において肯定結果が得られると、このことは、例えばプレイリストＰＬ１及びＰＬ２のデータが破損してはいないことを表している。従って再生部１１は、かかる肯定結果を得ると、次のステップＳＰ４に移る。そしてステップＳＰ４において再生部１１は、プレイリストＰＬ１及びＰＬ２を用いてチャンネル初期化処理を実行する。ここで再生部１１は、チャンネル初期化処理として、例えばプレイリストＰＬ１及びＰＬ２のリスト属性情報ＬＡＴに含まれている再生形態情報ＰＭが、シャッフル再生形態を示していると、当該プレイリストＰＬ１及びＰＬ２で規定されている音楽データＤ１の再生順序を無作為に並べ替えた他の順序に変更するような処理を実行する。そして再生部１１は、このようなチャンネル初期化処理を実行した後、次のステップＳＰ５に移る。
【００７５】
ステップＳＰ５において再生部１１は、チャンネル初期化処理後のプレイリストＰＬ１及びＰＬ２のリスト属性情報ＬＡＴに含まれている再生利用設定情報ＬＳに基づき、当該プレイリストＰＬ１及びＰＬ２が音楽データＤ１の再生に利用するように設定されているか否かを判別する。このステップＳＰ５において否定結果が得られると、このことは、プレイリストＰＬ１及びＰＬ２を利用して音楽データＤ１を再生し得ないことを表している。従って再生部１１は、かかる否定結果を得ると、ステップＳＰ６に移る。
【００７６】
ここで、複数のチャンネルの中には、音楽データＤ１の再生に利用するように設定され、かつ当該設定を変更しないようになされた特定のプレイリストＰＬ１及びＰＬ２が、固定的に割り当てられているものがある。従ってステップＳＰ６において再生部１１は、その特定のプレイリストＰＬ１及びＰＬ２が割り当てられているチャンネルのチャンネル番号ＣＮを取得して、ステップＳＰ２に戻る。これにより再生部１１は、プレイリスト記憶部１６又は外部装置１５から、かかるチャンネル番号ＣＮのチャンネルに割り当てられている特定のプレイリストＰＬ１及びＰＬ２を読み出して、再び上述と同様の処理を実行する。
【００７７】
ところでステップＳＰ５において肯定結果が得られると、このことは、プレイリストＰＬ１及びＰＬ２を利用して音楽データＤ１を再生し得ることを表している。従って再生部１１は、かかる肯定結果を得ると、次のステップＳＰ７に移る。ステップＳＰ７において再生部１１は、プレイリストＰＬ１及びＰＬ２に従い再生順序が１番目の音楽データＤ１をコンテンツデータ記憶部１３又は外部装置１５から読み出して、次のステップＳＰ８に移る。
【００７８】
ステップＳＰ８において再生部１１は、このとき音楽データＤ１を正しく読み出せたか否かを判別する。このステップＳＰ８において肯定結果が得られると、このことは、例えばこのとき読み出した音楽データＤ１が破損してはいないことを表している。従って再生部１１は、かかる肯定結果を得ると、次のステップＳＰ９に移る。そしてステップＳＰ９において再生部１１は、表示制御部１７に対し表示部１８に上述した選択画面２０を表示させると共に、音楽データＤ１に対する特徴位置からの再生を開始して、次のステップＳＰ１０に移り、かかるリスト利用再生機能起動処理手順ＲＴ１を終了する。
【００７９】
因みに上述したステップＳＰ３において否定結果が得られると、このことは、例えばプレイリストＰＬ１及びＰＬ２のデータが破損していることを表している。従って再生部１１は、かかる否定結果を得ると、ステップＳＰ１１に移る。またステップＳＰ８において否定結果が得られると、このことは、例えばこのとき読み出した音楽データＤ１が破損していることを表している。従って再生部１１は、かかる否定結果を得たときも、ステップＳＰ１１に移る。そしてステップＳＰ１１において再生部１１は、エラー処理として、例えばユーザに対し音楽データＤ１を再生し得ないことを通知した後、ステップＳＰ１０に移る。このようにして再生部１１は、リスト利用再生機能を起動している。
【００８０】
次いで、リスト利用再生機能の実行中におけるチャンネル切換処理について説明する。再生部１１は、リスト利用再生機能を実行している状態で、ユーザによる操作部１２の操作に応じてチャンネル切替命令が与えられると、図１０に示すチャンネル切替処理手順ＲＴ２を開始する。そして再生部１１は、かかるチャンネル切替処理手順ＲＴ２を開始すると、ステップＳＰ２１において、チャンネルリストＣＬに登録されているチャンネル番号ＣＮの並びと、ユーザにより指定されたチャンネル番号ＣＮの切替方向とに従い、現在選択中のチャンネルのチャンネル番号ＣＮを１増やしたチャンネル番号ＣＮ又は１減らしたチャンネル番号ＣＮを切替後のチャンネル番号ＣＮとして、次のステップＳＰ２２に移る。ステップＳＰ２２において再生部１１は、プレイリスト記憶部１６又は外部装置１５から切替後のチャンネル番号ＣＮのチャンネルに割り当てられているプレイリストＰＬ１及びＰＬ２を読み出して、次のステップＳＰ２３に移る。
【００８１】
ステップＳＰ２３において再生部１１は、プレイリストＰＬ１及びＰＬ２を正しく読み出せたか否かを判別する。このステップＳＰ２３において肯定結果が得られると、このことは、例えばプレイリストＰＬ１及びＰＬ２のデータが破損してはいないことを表している。従って再生部１１は、かかる肯定結果を得ると、次のステップＳＰ２４に移る。そしてステップＳＰ２４において再生部１１は、チャンネル変更時処理を実行する。
【００８２】
ステップＳＰ２４において再生部１１は、チャンネル変更時処理として、例えばプレイリストＰＬ１及びＰＬ２のリスト属性情報ＬＡＴに含まれている再生形態情報ＰＭが、シャッフル再生形態を示していると、当該プレイリストＰＬ１及びＰＬ２で規定されている音楽データＤ１の再生順序を無作為に並べ替えた他の順序に変更するような処理を実行する。そして再生部１１は、このようなチャンネル変更時処理を実行した後、次のステップＳＰ２５に移る。
【００８３】
因みに各種プレイリストＰＬ１及びＰＬ２の中には、上述したように例えば再生回数の最も多いものから順次再生回数の少ないものまでの予め選定された所定個数の音楽データＤ１を登録しているプレイリスト（以下、これをランキングプレイリストと呼ぶ）がある。このため再生部１１は、コンテンツデータ記憶部１３のコンテンツデータベースＣＤＢ１に記憶されている音楽データＤ１を再生する毎に、当該再生した音楽データＤ１のデータ再生履歴を、再生回数を１回増やすように更新している。また外部装置１５も、自己のコンテンツデータ記憶部のコンテンツデータベースＣＤＢ２に記憶している音楽データＤ１が、再生装置１０により再生される毎に、当該再生された音楽データＤ１のデータ再生履歴を、再生回数を１回増やすように更新している。
【００８４】
そしてチャンネル変更時処理としては、コンテンツデータベースＣＤＢ１及びＣＤＢ２に記憶された全ての音楽データＤ１の中から、音楽データＤ１毎のデータ再生履歴に基づき、再生回数の最も多いものから順次再生回数の少ないものまでの予め選定された所定個数の音楽データＤ１を自動的に判別してランキングプレイリストに登録し直す（すなわち、ランキングプレイリストの内容を更新する）プレイリスト更新処理もある。従ってステップＳＰ２４において再生部１１は、チャンネル変更時処理として、チャンネル切替命令の入力を契機としたプレイリスト更新処理も実行している。
【００８５】
ステップＳＰ２５において再生部１１は、プレイリストＰＬ１及びＰＬ２のリスト属性情報ＬＡＴに含まれている再生利用設定情報ＬＳに基づき、当該プレイリストＰＬ１及びＰＬ２が音楽データＤ１の再生に利用するように設定されているか否かを判別する。このステップＳＰ２５において否定結果が得られると、このことは、プレイリストＰＬ１及びＰＬ２を利用して音楽データＤ１を再生し得ないことを表している。従って再生部１１は、かかる否定結果を得ると、ステップＳＰ２１に戻り、そのプレイリストＰＬ１及びＰＬ２に対応するチャンネルのチャンネル番号ＣＮを、さらに１増やしたチャンネル番号ＣＮ又は１減らしたチャンネル番号ＣＮを新たな切替後のチャンネル番号ＣＮとして、再び上述と同様の処理を実行する。
【００８６】
ところでステップＳＰ２５において肯定結果が得られると、このことは、プレイリストＰＬ１及びＰＬ２を利用して音楽データＤ１を再生し得ることを表している。従って再生部１１は、かかる肯定結果を得ると、次のステップＳＰ２６に移る。ステップＳＰ２６において再生部１１は、切替後のチャンネルに割り当てられているプレイリストＰＬ１及びＰＬ２に従い再生順序が１番目の音楽データＤ１をコンテンツデータ記憶部１３又は外部装置１５から読み出して、次のステップＳＰ２７に移る。ステップＳＰ２７において再生部１１は、このとき音楽データＤ１を正しく読み出せたか否かを判別する。このステップＳＰ２７において肯定結果が得られると、このことは、例えばこのとき読み出した音楽データＤ１が破損してはいないことを表している。従って再生部１１は、かかる肯定結果を得ると、次のステップＳＰ２８に移る。
【００８７】
ステップＳＰ２８において再生部１１は、切替前のチャンネルに割り当てられていたプレイリストＰＬ１及びＰＬ２に従って再生していた音楽データＤ１の当該再生を中断して、次のステップＳＰ２９に移る。そしてステップＳＰ２９において再生部１１は、表示制御部１７に対し表示部１８に表示させていた選択画面２０の表示内容を更新させると共に、切替後のチャンネルに対応する音楽データＤ１の特徴位置からの再生を開始して、次のステップＳＰ３０に移り、かかるチャンネル切替処理手順ＲＴ２を終了する。
【００８８】
因みに上述したステップＳＰ２３において否定結果が得られると、このことは、例えばプレイリストＰＬ１及びＰＬ２のデータが破損していることを表している。従って再生部１１は、かかる否定結果を得ると、ステップＳＰ３１に移る。またステップＳＰ２７において否定結果が得られると、このことは、例えば音楽データＤ１が破損していることを表している。従って再生部１１は、かかる否定結果を得たときも、ステップＳＰ３１に移る。そしてステップＳＰ３１において再生部１１は、エラー処理として、例えばユーザに対し音楽データＤ１を再生し得ないことを通知した後、ステップＳＰ３０に移る。このようにして再生部１１は、リスト利用再生機能の実行中に、ユーザの要求に応じて選択するチャンネルを切り替えている。
【００８９】
次いで、リスト利用再生機能の実行中における再生音楽切替処理について説明する。再生部１１は、リスト利用再生機能を実行している状態で、ユーザによる操作部１２の操作に応じて再生音楽切替命令が与えられると、図１１に示す再生音楽切替処理手順ＲＴ３を開始する。そして再生部１１は、かかる再生音楽切替処理手順ＲＴ３を開始すると、ステップＳＰ４１において、現在選択中のプレイリストＰＬ１及びＰＬ２に登録されているコンテンツ識別情報ＭＩＤの並び（シャッフル再生形態が指定されているときには、変更後の並び）と、ユーザにより指定された音楽データＤ１の切替方向とに従い、現在再生中の音楽データＤ１よりも１つ前に再生する音楽データＤ１又は１つ後に再生する音楽データＤ１を切替後の音楽データＤ１とし、当該切替後の音楽データＤ１をコンテンツデータ記憶部１３又は外部装置１５から読み出して、次のステップＳＰ４２に移る。
【００９０】
ステップＳＰ４２において再生部１１は、切替後の音楽データＤ１が再生可能であるか否かを判別する。このステップＳＰ４２において否定結果が得られると、このことは、例えば切替後の音楽データＤ１が破損していること、又は切替後の音楽データＤ１に対応する音楽登録情報ＴＲの再生設定情報ＰＳが、当該音楽データＤ１を再生しないことを示していることにより、このままでは音楽データＤ１を再生し得ないことを表している。従って再生部１１は、かかる否定結果を得ると、ステップＳＰ４１に戻り、切替後の音楽データＤ１よりもさらに１つ前に再生する音楽データＤ１又は１つ後に再生する音楽データＤ１を新たな切替後の音楽データＤ１として、再び上述と同様の処理を実行する。
【００９１】
これに対してステップＳＰ４２において肯定結果が得られると、このことは、例えば切替後の音楽データＤ１が破損してはいないし、当該切替後の音楽データＤ１に対応する音楽登録情報ＴＲの再生設定情報ＰＳが、その音楽データＤ１を再生し得ることを示していることにより、何ら問題なく音楽データＤ１を再生し得ることを表している。従って再生部１１は、かかる肯定結果を得ると、次のステップＳＰ４３に移る。ステップＳＰ４３において再生部１１は、現在再生中の音楽データＤ１の当該再生を中断して、次のステップＳＰ４４に移る。そしてステップＳＰ４４において再生部１１は、表示制御部１７に対し表示部１８に表示させていた選択画面２０の表示内容を更新させると共に、切替後の音楽データＤ１に対する特徴位置からの再生を開始して、次のステップＳＰ４５に移り、かかる再生音楽切替処理手順ＲＴ３を終了する。このようにして再生部１１は、リスト利用再生機能の実行中に、ユーザの要求に応じて再生する音楽データＤ１を切り替えている。
【００９２】
かかる構成に加えて、上述した複数のプレイリストＰＬ１及びＰＬ２を生成するためのプレイリスト生成規則としては、任意に選定された春、夏、秋、冬の季節（夏の海や秋の空、桜や梅雨、季節の中で行なわれるクリスマスや卒業式等のイベント、季節にちなんだスポーツ等）をイメージさせる１又は複数の単語でなるデータ検索キーにより音楽データＤ１を収集（すなわち、検索）するように定められたものがある。またプレイリスト生成規則としては、任意に選定された音楽の印象を示す、ある程度の幅を持った印象値情報でなるデータ検索キーにより音楽データＤ１を収集するように定められたものもある。さらにプレイリスト生成規則としては、任意に選定されたアーティスト名やジャンル名等でなるデータ検索キーにより音楽データＤ１を収集するように定められたもの等もある。
【００９３】
従って各プレイリストＰＬ１及びＰＬ２は、それぞれ対応するプレイリスト生成規則に合致した音楽データＤ１（すなわち、データ検索キーとしての単語と合致した単語を音楽タイトルや歌詞に含む音楽データＤ１や、データ検索キーとしての印象値情報と合致した印象値情報を有する音楽データＤ１、またデータ検索キーとしてのアーティスト名やジャンル名等と合致したアーティスト名やジャンル名に関連する音楽データＤ１）を登録するようにして生成されている。また各プレイリストＰＬ１及びＰＬ２は、生成の際に使用された対応するプレイリスト生成規則を示す情報（実際には、データ検索キーであり、以下、これをプレイリスト生成規則情報と呼ぶ）が例えばリスト詳細情報ＬＤに含められている。
【００９４】
そして再生装置１０（図２）においてプレイリスト再構成部５０は、例えばプレイリスト記憶部１６に記憶されているプレイリストＰＬ１の中で、複数のチャンネルにそれぞれ割り当てられ、かつ音楽データＤ１の再生に利用するように設定された全てのプレイリストＰＬ１の少なくとも１つを、当該再生装置１０の使用状況（例えば、再生装置１０の季節を越えるような長期にわたる使用や、プレイリストＰＬ１及びＰＬ２を利用した音楽データＤ１の再生のための使用の状況であり、以下、これを装置使用状況と呼ぶ）に応じたプレイリスト生成規則に従い生成されたプレイリストに再構成し得るようになされている。これによりプレイリスト再構成部５０は、チャンネルに割り当てられているプレイリストＰＬ１毎の複数の音楽データＤ１の登録が固定的になることを回避している。
【００９５】
ところでプレイリスト再構成部５０は、再生部１１によりリスト利用再生形態が実行されている間に、プレイリストＰＬ１の再構成が要求されると、これに応じてプレイリスト再構成機能を実現し得るようになされている。そしてプレイリスト再構成部５０は、例えば季節の変化を契機としてプレイリストＰＬ１を再構成し得るようになされている。またプレイリスト再構成部５０は、ユーザから再構成が要求されたことを契機としてプレイリストＰＬ１を再構成し得るようにもなされている。さらにプレイリスト再構成部５０は、ネットワークＮＴ上の外部装置１５から再構成が要求されたことを契機としてもプレイリストＰＬ１を再構成し得るようになされている。
【００９６】
このため、まず季節の変化を契機としたプレイリストＰＬ１の再構成について説明する。再生装置１０において計時部５１は、日時（すなわち、月日と一日の時刻）を計時し、その計時結果を示す日時情報を要求情報生成部５２に送出している。要求情報生成部５２は、春夏秋冬の各季節の変化の目安となる月日（以下、これを変化検出用月日と呼ぶ）と、これら月日の前後の季節とを示す情報を予め保持している。従って要求情報生成部５２は、計時部５１から与えられる日時情報が示す月日を、変化検出用月日と比較するようにして、季節が変化したか否かを検出する。その結果、要求情報生成部５２は、例えば夏のような第１の季節から秋のような第２の季節へと変化したことを検出すると、季節の変化に応じて、プレイリストＰＬ１の再構成を要求する再構成要求情報（以下、これを季節契機再構成要求情報と呼ぶ）を生成する。そして要求情報生成部５２は、その季節契機再構成要求情報をプレイリスト再構成部５０に送出する。
【００９７】
プレイリスト再構成部５０は、夏や秋のような季節毎に当該季節に関する複数のデータ検索キーをそれぞれリスト検索キーとして予め保持している。従ってプレイリスト再構成部５０は、要求情報生成部５２から季節契機再構成要求情報が与えられると、これら季節に関するリスト検索キーの中から、変化前の第１の季節に関する１又は複数のリスト検索キーと、変化後の第２の季節に関する例えば１つのリスト検索キーとを選定する。
【００９８】
そしてプレイリスト再構成部５０は、プレイリスト記憶部１６から、チャンネルに割り当てられ、かつ音楽データＤ１の再生に利用するように設定された全てのプレイリストＰＬ１を読み出す。これによりプレイリスト再構成部５０は、プレイリスト記憶部１６から読み出した、これら複数のプレイリストＰＬ１に含まれるプレイリスト生成規則情報（すなわち、データ検索キー）と、変化前の第１の季節に関するリスト検索キーとを比較する。これによりプレイリスト再構成部５０は、変化前の第１の季節に関する（すなわち、変化前の第１の季節に関するデータ検索キーを用いるプレイリスト生成規則に従い当該第１の季節をイメージさせるような音楽データＤ１を収集して登録している）プレイリストＰＬ１を検索する。
【００９９】
またプレイリスト再構成部５０は、第１の季節に関するプレイリストＰＬ１を検索すると、例えばプレイリスト記憶部１６から、未だチャンネルに割り当てられてはいない全てのプレイリストＰＬ１を読み出す。そしてプレイリスト再構成部５０は、このときプレイリスト記憶部１６から読み出した、これら複数のプレイリストＰＬ１のプレイリスト生成規則情報（すなわち、データ検索キー）と、変化後の第２の季節に関する１つのリスト検索キーとを比較する。これによりプレイリスト再構成部５０は、変化後の第２の季節に関する（すなわち、変化後の第２の季節に関するデータ検索キーを用いるプレイリスト生成規則に従い当該第２の季節をイメージさせるような音楽データＤ１を収集して登録している）プレイリストＰＬ１を検索する。
【０１００】
そしてプレイリスト再構成部５０は、第１の季節に関するプレイリストＰＬ１と、第２の季節に関するプレイリストＰＬ１とを検索した状態で、再生部１１によりリスト利用再生機能が実行されている（又は、起動される）と、当該変化前の第１の季節に関するプレイリストＰＬ１を、対応するチャンネル番号ＣＮやリスト名等で表示制御部１７に通知する。またプレイリスト再構成部５０は、このとき変化後の第２の季節に関するプレイリストＰＬ１の例えばリスト名も表示制御部１７に通知する。
【０１０１】
図１２（Ａ）及び（Ｂ）に示すように、表示制御部１７は、変化前の第１の季節に関するプレイリストＰＬ１と、変化後の第２の季節に関するプレイリストＰＬ１とがそれぞれ例えば１つのみ存在していると、表示部１８に表示した選択画面５５上で、当該変化前の第１の季節に関するプレイリストＰＬ１が割り当てられているチャンネルが選択されたとき、これら変化前の第１の季節に関するプレイリストＰＬ１のリスト名と変化後の第２の季節に関するプレイリストＰＬ１のリスト名とを用いて、プレイリストＰＬ１に対する再構成の有無を問い合わせる再構成問合画面データを生成する。そして表示制御部１７は、かかる再構成問合画面データを表示部１８に送出することにより、当該表示部１８において選択画面５５上に、かかる再構成問合画面データに基づく再構成問合画面５６を重ねて表示する。
【０１０２】
この場合、再構成問合画面５６には、中央部に、現在選択されているチャンネルに割り当てられたプレイリストＰＬ１（すなわち、第１の季節に関するプレイリストＰＬ１）を、変化後の第２の季節に関するプレイリストＰＬ１に再構成するか否かを問い合わせる再構成問合文５７が表示されている。また再構成問合画面５６には、再構成の承諾を選択するための承諾ボタン５８と、当該再構成の拒否を選択するための拒否ボタン５９とが設けられている。
【０１０３】
表示制御部１７は、表示部１８に表示している再構成問合画面５６上で承諾ボタン５８と拒否ボタン５９との何れか一方を、例えば当該再構成問合画面５６内で唯一目立つような所定の表示状態で強調表示している。そして表示制御部１７は、ユーザによる操作部１２の操作に応じて、再構成問合画面５６上で承諾ボタン５８と拒否ボタン５９との強調表示の表示状態を交互に切り替える。これにより表示制御部１７は、表示部１８に表示した再構成問合画面５６上でプレイリストＰＬ１に対する再構成の承諾及び拒否をユーザに選択させ得るようになされている。
【０１０４】
そしてプレイリスト再構成部５０は、ユーザにより再構成問合画面５６上で、プレイリストＰＬ１の再構成が承諾されると、変化後の第２の季節に関するプレイリストＰＬ１に対し、予め選定された所定数（例えば、数曲）以上の音楽データＤ１が登録されているか否かを判別する。その結果、プレイリスト再構成部５０は、変化後の第２の季節に関するプレイリストＰＬ１に対し所定数よりも少ない音楽データＤ１しか登録されていないと、第２の季節に関するリスト検索キーを追加して、あらためて変化後の第２の季節に関するプレイリストＰＬ１を検索する。
【０１０５】
またプレイリスト再構成部５０は、変化後の第２の季節に関するプレイリストＰＬ１に対し、所定数以上の音楽データＤ１が登録されていると、変化前の第１の季節に関するプレイリストＰＬ１に含まれているチャンネル割当情報ＣＨＡの内容を、チャンネルに何ら割り当てられてはいないことを示すように変更する。さらにプレイリスト再構成部５０は、変化後の第２の季節に関するプレイリストＰＬ１に含まれているチャンネル割当情報ＣＨＡの内容を、当該プレイリストＰＬ１がその時点まで変化前の第１の季節に関するプレイリストＰＬ１が割り当てられていたチャンネルに対し、新たに割り当てられたことを示すように変更する。
【０１０６】
そしてプレイリスト再構成部５０は、これらチャンネル割当情報ＣＨＡの内容を変更した、変化前の第１の季節に関するプレイリストＰＬ１と、変化後の第２の季節に関するプレイリストＰＬ１とをプレイリスト記憶部１６に送出して、当該チャンネル割当情報ＣＨＡの内容を変更する前のものに上書きするようにして記憶する。このようにしてプレイリスト再構成部５０は、変化前の第１の季節に関するプレイリストＰＬ１が割り当てられていたチャンネルに対する当該変化前の第１の季節に関するプレイリストＰＬ１の割り当てを、変化後の第２の季節に関するプレイリストＰＬ１に変更することで、当該変化後の第２の季節に関するプレイリストＰＬ１を見かけ上チャンネルリストＣＬに登録する。
【０１０７】
これによりプレイリスト再構成部５０は、変化前の第１の季節に関するプレイリストＰＬ１を、季節が変化しても使用されている再生装置１０の装置使用状況に応じたプレイリスト生成規則情報を有する（即ち、第２の季節に関するデータ検索キーを有する）変化後の第２の季節に関するプレイリストＰＬ１に再構成する。ところでプレイリスト再構成部５０は、変化後の第２の季節に関するプレイリストＰＬ１として所定数以上の音楽データＤ１が登録されているものを再構成に採用しているため、季節の変化に応じて再構成したプレイリストＰＬ１（すなわち、第２の季節に関するプレイリストＰＬ１）に従って音楽データＤ１が再生されたとき、極力多くの音楽をユーザに聴かせることができるようになされている。
【０１０８】
これに加えてプレイリスト再構成部５０は、プレイリストＰＬ１の再構成が完了すると、当該再構成の完了を表示制御部１７に通知する。表示制御部１７は、プレイリスト再構成部５０からプレイリストの再構成の完了が通知されると、図１３に示すように、表示部１８に表示する選択画面６０の表示内容を、再構成したプレイリストＰＬ１に応じて更新する。これにより表示制御部１７は、かかる選択画面６０の表示内容によりユーザに対し第１の季節に関するプレイリストＰＬ１が、季節の変化に応じて第２の季節に関するどのようなプレイリストＰＬ１に再構成されたかを通知し得るようになされている。
【０１０９】
また図１４に示すように、表示制御部１７は、変化前の第１の季節に関するプレイリストＰＬ１と、変化後の第２の季節に関するプレイリストＰＬ１とがそれぞれ複数存在していると、予め用意されている再構成問合画面データを表示部１８に送出する。これにより表示制御部１７は、表示部１８において選択画面６１上に、かかる再構成問合画面データに基づく再構成問合画面６２を重ねて表示する。
【０１１０】
この場合、再構成問合画面６２には、中央部に、複数のチャンネルに割り当てられている複数のプレイリストＰＬ１（すなわち、第１の季節に関するプレイリストＰＬ１）を、それぞれ変化後の第２の季節に関するプレイリストＰＬ１に再構成するか否かを問い合わせる再構成問合文６３が表示されている。また再構成問合画面６２には、上述した場合と同様に承諾ボタン５８と拒否ボタン５９とが設けられている。従って表示制御部１７は、表示部１８に表示した再構成問合画面６２上でもプレイリストＰＬ１に対する再構成の承諾及び拒否をユーザに選択させ得るようになされている。
【０１１１】
そしてプレイリスト再構成部５０は、ユーザにより再構成問合画面６２上で、プレイリストＰＬ１の再構成が承諾されると、上述と同様に変化前の第１の季節に関する１つのプレイリストＰＬ１を、変化後の第２の季節に関する１つのプレイリストＰＬ１に再構成する処理を、再構成対象のプレイリストＰＬ１の数だけ順次実行する。このようにしてプレイリスト再構成部５０は、変化前の第１の季節に関する複数のプレイリストＰＬ１を、１つずつ変化後の第２の季節に関するプレイリストＰＬ１に再構成する。
【０１１２】
次いで、ユーザから再構成が要求されたことを契機としたプレイリストＰＬ１の再構成について説明する。ただし、かかるプレイリストＰＬ１の再構成には、音楽データＤ１毎の再生回数を示すデータ再生履歴と、プレイリストＰＬ１毎の音楽データＤ１の再生への利用回数を示すリスト利用履歴との何れか一方を用いている。また、かかるプレイリストＰＬ１の再構成には、複数のチャンネルにそれぞれ割り当てられ、かつ音楽データＤ１の再生に利用するように設定されたプレイリストＰＬ１の中から、ユーザにより任意に選択された１つのプレイリストＰＬ１を再構成する場合と、予め選定された複数（全ての場合もある）のプレイリストＰＬ１を再構成する場合とがある。
【０１１３】
そして、かかるプレイリストＰＬ１の再構成では、データ再生履歴とリスト利用履歴との何れを用いるか、また何れのプレイリストＰＬ１（すなわち、ユーザが任意に選択する１つ、又は予め選定された複数）を再構成するかが予め再構成の形態として設定されている。従って以下には、まずユーザによる再構成の要求を契機とし、データ再生履歴を用いてプレイリストＰＬ１を再構成する場合について説明する。次いでユーザによる再構成の要求を契機とし、リスト利用履歴を用いてプレイリストＰＬ１を再構成する場合について説明する。
【０１１４】
まずコンテンツデータ記憶部１３のコンテンツデータベースＣＤＢ１に記憶されている複数のデータ属性情報ＤＡＴには、それぞれ対応する音楽データＤ１の再生回数を示すデータ再生履歴が格納されている。そして再生部１１は、プレイリストＰＬ１及びＰＬ２に従い、コンテンツデータ記憶部１３内の音楽データＤ１をそれぞれ再生する（かかる再生は、音楽データＤ１の先頭位置からの再生と、特徴位置からの再生との両方を含む）毎に、当該再生した音楽データＤ１に対応するデータ属性情報ＤＡＴ内のデータ再生履歴を、再生回数を１回増やすように更新している。
【０１１５】
また外部装置１５のコンテンツデータベースＣＤＢ２に記憶されている複数のデータ属性情報ＤＡＴにも、それぞれ対応する音楽データＤ１の再生回数を示すデータ再生履歴が格納されている。従って再生部１１は、プレイリストＰＬ１及びＰＬ２に従い、外部装置１５に記憶保持されている音楽データＤ１をストリーミング再生（かかる再生は、音楽データＤ１の先頭位置からの再生と、特徴位置からの再生との両方を含む）する毎に、通信部１４を介して外部装置１５に対し、当該ストリーミング再生した音楽データＤ１に対応するデータ属性情報ＤＡＴ内のデータ再生履歴を、再生回数を１回増やすように更新させている。このようにして再生部１１は、プレイリストＰＬ１及びＰＬ２に従って再生可能な音楽データＤ１毎の再生回数を、データ再生履歴として検出し得るようにしている。
【０１１６】
これに加えてプレイリスト記憶部１６に記憶されている複数のプレイリストＰＬ１のリスト属性情報ＬＡＴ（例えば、リスト詳細情報ＬＤ）それぞれには、自身のプレイリストＰＬ１に対する音楽データＤ１の再生への利用回数を示すリスト利用履歴が格納されている。因みにプレイリスト記憶部１６に記憶されている複数のプレイリストＰＬ１のうち、外部装置１５に記憶されている他のプレイリストＰＬ２を指定するプレイリストＰＬ１についても、直接、音楽データＤ１の再生に利用されるのは、自己が指定する他のプレイリストＰＬ２ではあるが、当該他のプレイリストＰＬ２を指定するようにして、その音楽データＤ１の再生には利用されるため、リスト利用履歴が格納されている。そして再生部１１は、音楽データＤ１の再生に対し、これらプレイリストＰＬ１及びＰＬ２を利用する（例えば、チャンネルとしてプレイリストＰＬ１が選択されている間は、その間に再生する音楽データＤ１の数にかかわらずに１回の利用とする）毎に、当該利用したプレイリストＰＬ１のリスト属性情報ＬＡＴ内のリスト利用履歴を、利用回数を１回増やすように更新している。
【０１１７】
要求情報生成部５２は、例えば表示制御部１７により表示部１８に対し選択画面２０を表示した状態で、ユーザによる操作部１２への操作（すなわち、リモートコントローラＲＭ１の再構成要求ボタンＲＭ１Ｃに対する押下操作）に応じて当該操作部１２から再構成要求命令が与えられると、ユーザからの再構成要求に応じて、プレイリストＰＬ１の再構成を要求する再構成要求情報（以下、これをユーザ契機再構成要求情報と呼ぶ）を生成する。そして要求情報生成部５２は、そのユーザ契機再構成要求情報をプレイリスト再構成部５０に送出する。
【０１１８】
プレイリスト再構成部５０は、要求情報生成部５２からユーザ契機再構成要求情報が与えられると、すでに設定されている再構成の形態を元に、プレイリストＰＬ１の再構成にデータ再生履歴とリスト利用履歴との何れを用いるかを判別する。その結果、プレイリスト再構成部５０は、プレイリストＰＬ１の再構成に用いる情報がデータ再生履歴であると判別すると、その判別内容を表示制御部１７に通知する。
【０１１９】
またプレイリスト再構成部５０は、このとき再構成の形態を元に、再構成対象のプレイリストＰＬ１が１又は複数の何れであるかを判別する。その結果、プレイリスト再構成部５０は、ユーザにより任意に選択されたプレイリストＰＬ１を再構成するように設定していると、現在、選択画面２０上でユーザにより選択されているチャンネル（すなわち、ユーザにより再構成が要求されたときに選択されていたチャンネル）に割り当てられたプレイリストＰＬ１を再構成の対象として表示制御部１７に通知する。
【０１２０】
この場合、表示制御部１７は、プレイリスト再構成部５０からの通知に応じて再構成問合画面データを生成し、当該生成した再構成問合画面データを表示部１８に送出する。これにより表示制御部１７は、表示部１８において選択画面２０上に、再構成問合画面データに基づく図１５に示すような再構成問合画面６６を重ねて表示する。
【０１２１】
再構成問合画面６６には、ほぼ中央部に、プレイリストＰＬ１の再構成に用いるデータ再生履歴又はリスト利用履歴を通知するための通知欄６７が設けられ、当該通知欄６７に、プレイリストＰＬ１の再構成に用いるデータ履歴情報及びリスト利用履歴を示す文字が表示される。また再構成問合画面６６には、通知欄６７内の文字を一部として、現在選択されているチャンネルに割り当てられたプレイリストＰＬ１を、データ再生履歴を用いて再構成するか否かを問い合わせる再構成問合文６８が表示されている。また再構成問合画面６６には、上述した再構成問合画面５６等と同様に、承諾ボタン５８及び拒否ボタン５９も設けられている。
【０１２２】
従ってプレイリスト再構成部５０は、ユーザにより再構成問合画面６６上で、プレイリストＰＬ１の再構成が承諾されると、当該ユーザにより選択された再構成対象のプレイリストＰＬ１を再生部１１又は表示制御部１７に問い合わせる。そしてプレイリスト再構成部５０は、かかる再構成対象の１つのプレイリストＰＬ１を、対応するチャンネル番号ＣＮやリスト名等によりデータ再生履歴取得部７０及びデータ属性重付部７１にそれぞれ通知する。
【０１２３】
データ再生履歴取得部７０は、プレイリスト再構成部５０からの通知に基づき、プレイリスト記憶部１６から、ユーザにより選択された再構成対象のプレイリストＰＬ１を読み出す。因みにデータ再生履歴取得部７０は、プレイリスト記憶部１６から読み出した再生対象のプレイリストＰＬ１が外部装置１５に記憶されているプレイリストＰＬ２を指定しているときには、さらに通信部１４を介して外部装置１５から、当該指定されているプレイリストＰＬ２を取得する。
【０１２４】
またデータ再生履歴取得部７０は、そのプレイリストＰＬ１及びＰＬ２内の音楽登録情報ＴＲ（すなわち、コンテンツ識別情報ＭＩＤ）に従い、コンテンツデータ記憶部１３及び又は外部装置１５から、当該プレイリストＰＬ１及びＰＬ２に登録されている全ての音楽データＤ１に対応するデータ属性情報ＤＡＴをそれぞれ取得するようにして当該データ属性情報ＤＡＴに含まれている当該全ての音楽データＤ１のデータ再生履歴を取得する。そしてデータ再生履歴取得部７０は、これら音楽データＤ１毎のデータ再生履歴を含むデータ属性情報ＤＡＴをデータ属性重付部７１に送出する。
【０１２５】
データ属性重付部７１は、データ再生履歴取得部７１から与えられたデータ属性情報ＤＡＴからデータ再生履歴を取り出す。そしてデータ属性重付部７１は、再構成対象のプレイリストＰＬ１（又は、再構成対象のプレイリストＰＬ１により指定された外部のプレイリストＰＬ２）に登録されている全ての音楽データＤ１のデータ属性情報ＤＡＴをそれぞれ対応するデータ再生履歴に応じて重み付けする。そしてデータ属性重付部７１は、予め設定された所定の閾値以上のポイントを重み付けしたデータ属性情報ＤＡＴを新たなデータ検索キーとしてプレイリスト再構成部５０に送出する。
【０１２６】
実際上、データ属性重付部７１は、例えばデータ再生履歴が示す再生回数を重み付けのポイント（例えば、１回の再生回数を１ポイントとする）とし、データ属性情報ＤＡＴに含まれているアーティスト名、ジャンル名、印象値情報及び又は音楽の歌詞に含まれている特徴的な単語それぞれに付加する。その結果、データ属性重付部７１は、予め設定された所定の閾値以上のポイントを重み付けしたアーティスト名、ジャンル名、印象値情報及び又は単語を選択して、これらをデータ検索キーとしプレイリスト再構成部５０に送出している。言い換えればデータ属性重付部７１は、複数の音楽データＤ１に対応するデータ再生履歴に応じて、当該複数の音楽データＤ１に対応するデータ属性情報ＤＡＴの中から、新たなデータ検索キーとして用いるものを選定している。
【０１２７】
因みに、データ属性重付部７１は、例えば印象値情報を重み付けする場合、単にポイントを付加するのではなく、例えばデータ再生履歴に応じて再生回数が多いほど、音楽の「さび」の部分を前後に広げるようにして、当該「さび」の部分の印象値情報を、その広げた部分の印象値情報に変更するような重み付けの手法を用いることもできる。またデータ属性重付部７１は、このときデータ再生履歴取得部７０と同様に、再構成対象のプレイリストＰＬ１を取得している。従ってデータ属性重付部７１は、再構成対象のプレイリストＰＬ１のリスト属性情報ＬＡＴに含まれているプレイリスト生成規則情報に基づき、当該プレイリストＰＬ１の生成に使用されたデータ検索キーとは種類の異なる複数の新たなデータ検索キーを選定している。
【０１２８】
プレイリスト再構成部５０は、データ属性重付部７１から新たなデータ検索キーが与えられると、プレイリスト記憶部１６から、再構成対象のプレイリストＰＬ１を取得する。またプレイリスト再構成部５０は、再構成対象のプレイリストＰＬ１のリスト属性情報ＬＡＴに含まれているプレイリスト生成規則情報に対し、データ属性重付部７１から与えられた新たなデータ検索キーを追加する。これによりプレイリスト再構成部５０は、再構成対象のプレイリストＰＬ１の生成に使用したプレイリスト生成規則を、データ検索キーを増やしたプレイリスト生成規則に再構成する。
【０１２９】
またプレイリスト再構成部５０は、再構成したプレイリスト生成規則に従い、複数のデータ検索キー（すなわち、プレイリスト生成規則の再構成前に使用した元のデータ検索キーと、再構成により追加したデータ検索キーとであり、以下、これらをまとめて再構成データ検索キーと呼ぶ）と、例えばコンテンツデータ記憶部１３のコンテンツデータベースＣＤＢ１に記憶している全てのデータ属性情報ＤＡＴとを比較する。これによりプレイリスト再構成部５０は、再構成したプレイリスト生成規則に合致したデータ属性情報ＤＡＴを有する音楽データＤ１を検索する。因みにプレイリスト再構成部５０は、このとき元のデータ検索キーと、追加する個々のデータ検索キーとをそれぞれ組み合せるようにして１組又は複数組の再構成データ検索キーを得ると共に、これらのうち少なくとも１組の再構成データ検索キーを含むデータ属性情報ＤＡＴを有する音楽データＤ１を検索している。
【０１３０】
ただしプレイリスト再構成部５０は、再構成したプレイリスト生成規則に合致したデータ属性情報ＤＡＴを有する音楽データＤ１を検索しても、当該検索した音楽データＤ１の数が予め選定された所定数よりも少ないと、データ属性重付部７１に対し、例えば閾値を下げさせて、データ検索キーとするデータ属性情報ＤＡＴを増加させ、当該データ属性情報ＤＡＴの増加分から、再構成データ検索キーとは異なる種類の新たなデータ検索キーを選択させる。そしてプレイリスト再構成部５０は、すでに再構成したプレイリスト生成規則に対し、新たに選択させたデータ検索キーを追加することにより、当該プレイリスト生成規則を再構成し直す。これによりプレイリスト再構成部５０は、再構成し直したプレイリスト生成規則に従い、上述と同様に当該プレイリスト生成規則に合致したデータ属性情報ＤＡＴを有する音楽データＤ１を検索し直す。
【０１３１】
プレイリスト再構成部５０は、再構成したプレイリスト生成規則に従い所定数以上の音楽データＤ１を検索すると、当該検索した全ての音楽データＤ１を登録し、かつ再構成したプレイリスト生成規則を示すプレイリスト生成規則情報も格納した新たなプレイリストを生成する。そしてプレイリスト再構成部５０は、再構成対象のプレイリストＰＬ１が割り当てられていたチャンネルに対し、新たに生成したプレイリストを割り当てたことを示す（すなわち、そのチャンネルのチャンネル番号ＣＮを含む）チャンネル割当情報ＣＨＡを生成すると共に、新たに生成したプレイリストに対し、当該生成したチャンネル割当情報ＣＨＡを格納する。そしてプレイリスト再構成部５０は、新たなプレイリストをプレイリスト記憶部１６に記憶する。
【０１３２】
さらにまたプレイリスト再構成部５０は、このように再構成したプレイリスト生成規則に従い新たにプレイリストを生成すると、このとき再構成対象になっていたプレイリストＰＬ１を、事前の設定に応じて消去し、又は再構成対象のプレイリストＰＬ１に含まれているチャンネル割当情報ＣＨＡの内容をチャンネルに何ら割り当てられてはいないことを示すように変更した後にプレイリスト記憶部１６に送出して当該チャンネル割当情報ＣＨＡの内容を変更する前のものに上書きするようにして記憶する。
【０１３３】
このようにしてプレイリスト再構成部５０は、再構成対象のプレイリストＰＬ１が割り当てられていたチャンネルに対する当該再構成対象のプレイリストＰＬ１の割り当てを、新たに生成したプレイリストに変更することで、当該新たに生成したプレイリストを見かけ上チャンネルリストＣＬに登録する。これによりプレイリスト再構成部５０は、再構成対象のプレイリストＰＬ１を、再生装置１０の装置使用状況（すなわち、音楽データＤ１の再生に使用されている装置使用状況）に応じたプレイリスト生成規則を有する新たなプレイリストに再構成する。
【０１３４】
ところでプレイリスト再構成部５０は、再構成したプレイリスト生成規則に従い所定数以上の音楽データＤ１を検索したときに、これら音楽データＤ１を新たなプレイリストに登録しているため、再構成したプレイリスト（すなわち、新たなプレイリスト）に従って音楽データＤ１が再生されたとき、極力多くの音楽をユーザに聴かせることができるようになされている。因みにプレイリスト再構成部５０は、プレイリストの再構成が完了すると、当該再構成の完了を表示制御部１７に通知する。これにより表示制御部１７は、表示部１８に表示している選択画面２０の表示内容を、再構成したプレイリストに応じて更新して、ユーザに対し再構成対象のプレイリストＰＬ１がどのようなプレイリストに再構成されたかを通知する。
【０１３５】
またプレイリスト再構成部５０は、再構成の形態を元に、プレイリストＰＬ１の再構成に対しデータ再生履歴を用いることを判別したとき、例えば複数のチャンネルにそれぞれ割り当てられ、かつ音楽データＤ１の再生に利用するように設定された全てのプレイリストＰＬ１を一括して再構成するように設定していると、当該全てのプレイリストＰＬ１を再構成の対象とすることを表示制御部１７に通知する。この際、表示制御部１７は、プレイリスト再構成部５０からの通知に応じて再構成問合画面データを生成し、当該生成した再構成問合画面データを表示部１８に送出する。これにより表示制御部１７は、表示部１８において選択画面２０上に、再構成問合画面データに基づく図１６に示すような再構成問合画面７３を重ねて表示する。
【０１３６】
この再構成問合画面７３には、ほぼ中央部に通知欄６７が設けられると共に、当該通知欄６７内の文字を一部として、現在、複数のチャンネルに割り当てられ、かつ音楽データＤ１の再生に利用するように設定された全てのプレイリストＰＬ１を、データ再生履歴を用いて再構成するか否かを問い合わせる再構成問合文７４が表示されている。また再構成問合画面７３には、上述した再構成問合画面５６等と同様に、承諾ボタン５８及び拒否ボタン５９も設けられている。
【０１３７】
従ってプレイリスト再構成部５０は、ユーザにより再構成問合画面７３上で、プレイリストＰＬ１の再構成が承諾されると、プレイリスト記憶部１６に記憶されている複数のプレイリストＰＬ１の中から、複数のチャンネルにそれぞれ割り当てられ、かつ音楽データＤ１の再生に利用するように設定された全てのプレイリストＰＬ１を再構成対象として検出する。そしてプレイリスト再構成部５０は、これら再構成対象のプレイリストＰＬ１を、対応するチャンネル番号ＣＮやリスト名等によりデータ再生履歴取得部７０及びデータ属性重付部７１にそれぞれ通知する。
【０１３８】
この場合、プレイリスト再構成部５０、データ再生履歴取得部７０及びデータ属性重付部７１は、上述と同様に再構成対象の１つのプレイリストＰＬ１を新たなプレイリストに再構成する処理を、再構成対象のプレイリストＰＬ１の数だけ順次実行する。これによりプレイリスト再構成部５０は、データ再生履歴取得部７０及びデータ属性重付部７１と連携して再構成対象の複数のプレイリストＰＬ１を、１つずつ新たなプレイリストに再構成する。
【０１３９】
一方、プレイリスト再構成部５０は、要求情報生成部５２からユーザ契機再構成要求情報が与えられたことに応じて、再構成の形態を元に、プレイリストＰＬ１の再構成に用いる情報がリスト利用履歴であると判別すると、その判別内容を表示制御部１７に通知する。またプレイリスト再構成部５０は、このときユーザにより任意に選択されたプレイリストＰＬ１を再構成するように設定していると、現在、選択画面２０上でユーザにより選択されているチャンネル（すなわち、ユーザにより再構成が要求されたときに選択されていたチャンネル）に割り当てられたプレイリストＰＬ１を再構成の対象として表示制御部１７に通知する。
【０１４０】
この場合、表示制御部１７は、プレイリスト再構成部５０からの通知に応じて再構成問合画面データを生成し、当該生成した再構成問合画面データを表示部１８に送出する。これにより表示制御部１７は、表示部１８において選択画面２０上に、再構成問合画面データに基づき、上述した再構成問合画面６６とほぼ同様構成の再構成問合画面を重ねて表示する。因みに、かかる再構成問合画面は、ほぼ中央部に設けられた通知欄に対し、プレイリストＰＬ１の再構成に用いるリスト利用履歴を示す文字が表示される。
【０１４１】
そしてプレイリスト再構成部５０は、ユーザにより再構成問合画面上で、プレイリストＰＬ１の再構成が承諾されると、当該ユーザにより選択された再構成対象のプレイリストＰＬ１を再生部１１又は表示制御部１７に問い合わせる。そしてプレイリスト再構成部５０は、かかる再構成対象の１つのプレイリストＰＬ１を、対応するチャンネル番号ＣＮやリスト名等によりリスト利用履歴取得部７７に通知する。
【０１４２】
リスト利用履歴取得部７７は、プレイリスト再構成部５０からの通知に基づき、プレイリスト記憶部１６から、ユーザにより選択された再構成対象のプレイリストＰＬ１を読み出す。またリスト利用履歴取得部７７は、そのプレイリストＰＬ１のリスト属性情報ＬＡＴに格納されているリスト利用履歴を取得する。そしてリスト利用履歴取得部７７は、そのリスト利用履歴を、再構成対象のプレイリストＰＬ１のリスト属性情報ＬＡＴと共にリスト属性更新部７８に送出する。
【０１４３】
ところでリスト属性情報ＬＡＴに含まれているリスト名や説明文等については、これらに含まれている単語が予め判別可能なように生成されている。このためリスト属性更新部７８は、リスト利用履歴取得部７７から与えられたリスト属性情報ＬＡＴに含まれているリスト名や説明文等から、リスト利用履歴が示す利用回数に応じた個数（例えば、利用回数が多いほど個数も多い）の単語を、新たなデータ検索キーとして抽出する。
【０１４４】
ただしリスト属性更新部７８は、リスト属性情報ＬＡＴには、プレイリスト生成規則情報としてデータ検索キーが含まれているため、当該データ検索キーとは種類が異なり、新たなデータ検索キーとして利用可能な単語を抽出している。言い換えれば、リスト属性更新部７８は、元のリスト属性情報ＬＡＴを、データ検索キーとして利用可能なリスト属性情報に更新している。そしてリスト属性更新部７８は、このようにして抽出した１又は複数の単語を新たなデータ検索キーとしてプレイリスト再構成部５０に送出する。
【０１４５】
プレイリスト再構成部５０は、リスト属性更新部７８から新たなデータ検索キーが与えられると、プレイリスト記憶部１６から、再構成対象のプレイリストＰＬ１を取得する。またプレイリスト再構成部５０は、再構成対象のプレイリストＰＬ１のリスト属性情報ＬＡＴに含まれているプレイリスト生成規則情報に対し、リスト属性更新部７８から与えられた新たなデータ検索キーを追加する。これによりプレイリスト再構成部５０は、再構成対象のプレイリストＰＬ１の生成に使用したプレイリスト生成規則を、データ検索キーを増やしたプレイリスト生成規則に再構成する。
【０１４６】
またプレイリスト再構成部５０は、再構成したプレイリスト生成規則に従い、複数の再構成データ検索キーと、例えばコンテンツデータ記憶部１３のコンテンツデータベースＣＤＢ１に記憶している全てのデータ属性情報ＤＡＴとを比較する。これによりプレイリスト再構成部５０は、再構成したプレイリスト生成規則に合致したデータ属性情報ＤＡＴを有する音楽データＤ１を検索する。因みにプレイリスト再構成部５０は、この場合も、元のデータ検索キーと、追加する個々のデータ検索キーとをそれぞれ組み合せるようにして１組又は複数組の再構成データ検索キーを得ると共に、これらのうち少なくとも１組の再構成データ検索キーを含むデータ属性情報ＤＡＴを有する音楽データＤ１を検索している。
【０１４７】
ただしプレイリスト再構成部５０は、再構成したプレイリスト生成規則に合致したデータ属性情報ＤＡＴを有する音楽データＤ１を検索しても、当該検索した音楽データＤ１の数が予め選定された所定数よりも少ないと、リスト属性更新部７８に対しリスト属性情報ＬＡＴから、再構成データ検索キーとは種類の異なる少なくとも１個の単語を新たなデータ検索キーとして抽出させる。そしてプレイリスト再構成部５０は、すでに再構成したプレイリスト生成規則に対し、新たに抽出させたデータ検索キーを追加することにより、当該プレイリスト生成規則を再構成し直す。これによりプレイリスト再構成部５０は、再構成し直したプレイリスト生成規則に従い、上述と同様に当該プレイリスト生成規則に合致したデータ属性情報ＤＡＴを有する音楽データＤ１を検索し直す。
【０１４８】
プレイリスト再構成部５０は、上述と同様に、再構成したプレイリスト生成規則に従い所定数以上の音楽データＤ１を検索すると、当該検索した音楽データＤ１を登録し、かつ再構成したプレイリスト生成規則を示すプレイリスト生成規則情報も格納した新たなプレイリストを生成する。そしてプレイリスト再構成部５０は、上述と同様に、再構成対象のプレイリストＰＬ１が割り当てられていたチャンネルに対する当該再構成対象のプレイリストＰＬ１の割り当てを、新たに生成したプレイリストに変更することで、当該新たに生成したプレイリストを見かけ上チャンネルリストＣＬに登録すると共に、その新たなプレイリストをプレイリスト記憶部１６に記憶する。このようにしてプレイリスト再構成部５０は、再構成対象のプレイリストＰＬ１及びＰＬ２を、再生装置１０の装置使用状況（すなわち、音楽データＤ１の再生に使用されている装置使用状況）に応じたプレイリスト生成規則を有する新たなプレイリストに再構成する。
【０１４９】
ところでプレイリスト再構成部５０は、再構成したプレイリスト生成規則に従い所定数以上の音楽データＤ１を検索したときに、これら音楽データＤ１を新たなプレイリストに登録しているため、再構成したプレイリスト（すなわち、新たなプレイリスト）に従って音楽データＤ１が再生されたとき、極力多くの音楽をユーザに聴かせることができるようになされている。因みにプレイリスト再構成部５０は、プレイリストの再構成が完了すると、上述と同様に表示制御部１７により表示部１８に表示している選択画面２０の表示内容を更新して、ユーザに対し再構成対象のプレイリストＰＬ１がどのようなプレイリストに再構成されたかを通知する。
【０１５０】
またプレイリスト再構成部５０は、再構成の形態を元に、プレイリストＰＬ１の再構成に対しリスト利用履歴を用いることを判別したとき、例えば複数のチャンネルにそれぞれ割り当てられ、かつ音楽データＤ１の再生に利用するように設定された全てのプレイリストＰＬ１を一括して再構成するように設定していると、当該全てのプレイリストＰＬ１を再構成の対象として表示制御部１７に通知する。
【０１５１】
この際、表示制御部１７は、プレイリスト再構成部５０からの通知に応じて再構成問合画面データを生成し、当該生成した再構成問合画面データを表示部１８に送出する。これにより表示制御部１７は、表示部１８において選択画面２０上に、再構成問合画面データに基づき上記した再構成問合画面７３とほぼ同様構成の再構成問合画面を重ねて表示する。因みに、かかる再構成問合画面は、ほぼ中央部に設けられた通知欄に対し、プレイリストＰＬ１の再構成に用いるリスト利用履歴を示す文字が表示される。
【０１５２】
そしてプレイリスト再構成部５０は、ユーザにより再構成問合画面上で、プレイリストＰＬ１の再構成が承諾されると、プレイリスト記憶部１６に記憶されている複数のプレイリストＰＬ１の中から、複数のチャンネルにそれぞれ割り当てられ、かつ音楽データＤ１の再生に利用するように設定された全てのプレイリストＰＬ１を再構成対象として検出する。そしてプレイリスト再構成部５０は、これら再構成対象のプレイリストＰＬ１を、対応するチャンネル番号ＣＮやリスト名等によりリスト利用履歴取得部７７に通知する。
【０１５３】
この場合、プレイリスト再構成部５０、リスト利用履歴取得部７７及びリスト属性更新部７８は、上述と同様な再構成対象の１つのプレイリストＰＬ１を新たなプレイリストに再構成する処理を、再構成対象のプレイリストＰＬ１の数だけ順次実行する。これによりプレイリスト再構成部５０は、リスト利用履歴取得部７７及びリスト属性更新部７８と連携して再構成対象の複数のプレイリストＰＬ１を、１つずつ新たなプレイリストに再構成する。
【０１５４】
次いで、ネットワークＮＴ上の外部装置１５から再構成が要求されたことを契機としたプレイリストＰＬ１の再構成について説明する。ただし、かかるプレイリストＰＬ１の再構成は、外部装置１５から提示されたプレイリスト（以下、これを提示プレイリストと呼ぶ）を利用する場合と、当該外部装置１５から提示された音楽データ（以下、これを提示音楽データと呼ぶ）を利用する場合とがある。従って以下には、まず提示プレイリストを利用してプレイリストＰＬ１を再構成する場合について説明する。次いで提示音楽データを利用してプレイリストＰＬ１を再構成する場合について説明する。因みに、かかるプレイリストＰＬ１の再構成でも、上述と同様にデータ再生履歴とリスト利用履歴との何れを用いるか、また何れのプレイリスト（すなわち、ユーザが任意に選択する１つ、又は予め選定された複数）を再構成するかが予め再構成の形態として設定されている。
【０１５５】
要求情報生成部５２は、例えば表示制御部１７により表示部１８に対し選択画面２０を表示した状態で、外部装置１５から送信された、提示プレイリストを利用してプレイリストＰＬ１を再構成するように要求する再構成要求信号が通信部１４によって受信されると、これに応じてプレイリストＰＬ１の再構成を要求する再構成要求情報（以下、これをネットワーク契機再構成要求情報と呼ぶ）を生成する。そして要求情報生成部５２は、そのネットワーク契機再構成要求情報をプレイリスト再構成部５０に送出する。
【０１５６】
プレイリスト再構成部５０は、要求情報生成部５２からネットワーク契機再構成要求情報が与えられると、すでに設定されている再構成の形態を元に、プレイリストＰＬ１の再構成にデータ再生履歴及びリスト利用履歴の何れを用いるかを判別し、その判別内容を表示制御部１７に通知する。またプレイリスト再構成部５０は、このとき再構成の形態として、ユーザにより任意に選択されたプレイリストＰＬ１を再構成するように設定していると、現在、選択画面２０上でユーザにより選択されているチャンネル（すなわち、外部装置１５により再構成が要求されたときに選択されていたチャンネル）に割り当てられたプレイリストＰＬ１を再構成の対象として表示制御部１７に通知する。
【０１５７】
この場合、表示制御部１７は、プレイリスト再構成部５０からの通知に応じて再構成問合画面データを生成し、当該生成した再構成問合画面データを表示部１８に送出する。これにより表示制御部１７は、表示部１８において選択画面２０上に、再構成問合画面データに基づく図１７に示すような再構成問合画面８１を重ねて表示する。
【０１５８】
再構成問合画面８１には、中央部に、現在選択されているチャンネルに割り当てられたプレイリストＰＬ１を、外部装置１５からの要求に応じて再構成するか否かを問い合わせる再構成問合文８２が表示されている。また再構成問合画面８１には、上述した再構成問合画面５６等と同様に、承諾ボタン５８及び拒否ボタン５９も設けられている。
【０１５９】
従ってプレイリスト再構成部５０は、ユーザにより再構成問合画面８１上で、プレイリストＰＬ１の再構成が承諾されると、当該ユーザにより選択された再構成対象のプレイリストＰＬ１を再生部１１又は表示制御部１７に問い合わせる。そしてプレイリスト再構成部５０は、その時点に設定している再構成の形態に応じて、再構成対象の１つのプレイリストＰＬ１を、対応するチャンネル番号ＣＮやリスト名等によりデータ再生履歴取得部７０及びデータ属性重付部７１や、リスト利用履歴取得部７７に通知する。
【０１６０】
これによりプレイリスト再構成部５０は、上述と同様にデータ属性重付部７１からデータ再生履歴に応じた新たなデータ検索キーを得る、又はリスト属性更新部７８からリスト利用履歴に応じた新たなデータ検索キーを得る。そしてプレイリスト再構成部５０は、プレイリスト記憶部１６から、このときに再構成対象のプレイリストＰＬ１を読み出すと共に、当該読み出したプレイリストＰＬ１のプレイリスト生成規則を、新たなデータ検索キーを追加したプレイリスト生成規則に再構成する。
【０１６１】
この状態でプレイリスト再構成部５０は、通信部１４を介して外部装置１５に対し、プレイリストＰＬ１の再構成を承諾する承諾信号を送信する。その結果、プレイリスト再構成部５０は、外部装置１５から送信された複数の提示プレイリストが通信部１４で受信されると、これら複数の提示プレイリストを取り込む。因みに外部装置１５の提示する提示プレイリストは、例えば外部装置１５側で任意に設定されたプレイリスト生成規則に従い、当該外部装置１５が記憶保持している音楽データＤ１を収集し登録すると共に、そのプレイリスト生成規則を示すプレイリスト生成規則情報も格納して生成されたものである。
【０１６２】
そしてプレイリスト再構成部５０は、再構成したプレイリスト生成規則に従い複数の再構成データ検索キーと、提示プレイリストにリスト属性情報ＬＡＴとして格納されているプレイリスト生成規則情報とを比較する。これによりプレイリスト再構成部５０は、再構成したプレイリスト生成規則に合致した（例えば、再構成データ検索キーを少なくとも１つ含む）プレイリスト生成規則を有する提示プレイリストを検索する。
【０１６３】
ところでプレイリスト再構成部５０は、再構成したプレイリスト生成規則に合致した提示プレイリストを検索すると、その提示プレイリスト内の音楽登録情報ＴＲ（すなわち、コンテンツ識別情報ＭＩＤ）に従い、通信部１４を介して外部装置１５から当該提示プレイリストに登録されている全ての音楽データＤ１に対応するデータ属性情報ＤＡＴを取得する。そしてプレイリスト再構成部５０は、これらデータ属性情報ＤＡＴに基づき、提示プレイリストに対し有料の音楽データＤ１が登録されているか否か、また通信部１４が通信に使用する通信帯域でストリーミング再生し得ない音楽データＤ１が登録されているか否かを判別する。その結果、提示プレイリストに対し有料の音楽データＤ１やストリーミング再生し得ない音楽データＤ１が登録されていると、再構成したプレイリスト生成規則に対し、上述と同様に新たなデータ検索キーを追加して再構成し直す。これによりプレイリスト再構成部５０は、再構成し直したプレイリスト生成規則に従い再び提示プレイリストを検索する。
【０１６４】
このようにしてプレイリスト再構成部５０は、再構成したプレイリスト生成規則に従い、無料及びストリーミング再生可能な音楽データＤ１のみを登録している提示プレイリストを検索するようにしている。そしてプレイリスト再構成部５０は、再構成したプレイリスト生成規則に従い、無料及びストリーミング再生可能な音楽データＤ１のみを登録している提示プレイリストを検索すると、当該提示プレイリストに登録されている全ての音楽データＤ１に対応するデータ属性情報ＤＡＴをコンテンツデータ記憶部１３のコンテンツデータベースＣＤＢ１に記憶している全てのデータ属性情報ＤＡＴと比較する。
【０１６５】
その結果、プレイリスト再構成部５０は、例えば提示プレイリストに登録されている音楽データＤ１が、コンテンツデータ記憶部１３のコンテンツデータベースＣＤＢ１にも重複して記録されていると、提示プレイリストに格納された音楽登録情報ＴＲ内の当該重複する音楽データＤ１のコンテンツ識別情報ＭＩＤ（すなわち、音楽データＤ１のネットワークＮＴ上の記憶場所を指示するコンテンツ識別情報ＭＩＤ）を、コンテンツデータベースＣＤＢ１に記憶されていた重複する音楽データＤ１のコンテンツ識別情報ＭＩＤ（すなわち、音楽データＤ１のコンテンツデータベースＣＤＢ１上の記憶場所を指示するコンテンツ識別情報ＭＩＤ）に変更する。これによりプレイリスト再構成部５０は、提示プレイリストに登録されている音楽データＤ１が再生装置１０内にも存在する場合には、当該提示プレイリストに従い音楽データＤ１をわざわざネットワークＮＴを介してストリーミング再生しなくても、コンテンツデータ記憶部１３から読み出して再生することで、通信費が無駄にかかることを回避している。
【０１６６】
そしてプレイリスト再構成部５０は、このようにして検索した提示プレイリストを新たなプレイリストとして、上述と同様に、再構成対象のプレイリストＰＬ１が割り当てられていたチャンネルに対し、当該再構成対象のプレイリストＰＬ１に替えて、新たなプレイリストを割り当てるようにして、当該新たなプレイリストを見かけ上チャンネルリストＣＬに登録し、プレイリスト記憶部１６に記憶する。このようにしてプレイリスト再構成部５０は、再構成対象のプレイリストＰＬ１を、再生装置１０の装置使用状況（すなわち、音楽データＤ１の再生に使用されている装置使用状況）に応じたプレイリスト生成規則を有する新たなプレイリスト（すなわち、提示プレイリスト）に再構成する。
【０１６７】
ところでプレイリスト再構成部５０は、再構成したプレイリスト生成規則に従い、無料及びストリーミング再生可能な音楽データＤ１のみを登録している提示プレイリストを再構成用に検索しているため、再構成したプレイリストに従い音楽データＤ１が再生されたとき、その再生により料金の支払いが生じ、又はストリーミング再生が破綻することを未然に回避して音楽をユーザに聴かせることができるようになされている。因みにプレイリスト再構成部５０は、プレイリストの再構成が完了すると、この場合も、選択画面２０の表示内容を再構成したプレイリストに応じて更新して、ユーザに対し再構成対象のプレイリストＰＬ１がどのようなプレイリストに再構成されたかを通知する。
【０１６８】
ところでプレイリスト再構成部５０は、再構成の形態を元に、プレイリストＰＬ１の再構成に対しデータ再生履歴及びリスト利用履歴の何れを用いるかを判別したとき、例えば複数のチャンネルにそれぞれ割り当てられ、かつ音楽データＤ１の再生に利用するように設定された全てのプレイリストＰＬ１を一括して再構成するように設定していると、当該全てのプレイリストＰＬ１を再構成の対象として表示制御部１７に通知する。この際、表示制御部１７は、プレイリスト再構成部５０からの通知に応じて再構成問合画面データを生成し、当該生成した再構成問合画面データを表示部１８に送出する。これにより表示制御部１７は、表示部１８において選択画面２０上に、再構成問合画面データに基づく図１８に示すような再構成問合画面８３を重ねて表示する。
【０１６９】
この再構成問合画面８３には、中央部に、現在、複数のチャンネルに割り当てられ、かつ音楽データＤ１の再生に利用するように設定された全てのプレイリストＰＬ１を、外部装置１５からの要求に応じて再構成するか否かを問い合わせる再構成問合文８４が表示されている。また再構成問合画面８３には、上述した再構成問合画面５６等と同様に、承諾ボタン５８及び拒否ボタン５９も設けられている。
【０１７０】
従ってプレイリスト再構成部５０は、ユーザにより再構成問合画面８３上で、プレイリストＰＬ１の再構成が承諾されると、プレイリスト記憶部１６に記憶されている複数のプレイリストＰＬ１の中から、複数のチャンネルにそれぞれ割り当てられ、かつ音楽データＤ１の再生に利用するように設定された全てのプレイリストＰＬ１を再構成対象として検出する。そしてプレイリスト再構成部５０は、その時点に設定している再構成の形態に応じて、これら再構成対象のプレイリストＰＬ１を、対応するチャンネル番号ＣＮやリスト名等によりデータ再生履歴取得部７０及びデータ属性重付部７１や、リスト利用履歴取得部７７に通知する。
【０１７１】
これによりプレイリスト再構成部５０は、上述と同様な再構成対象の１つのプレイリストＰＬ１を提示プレイリストでなる新たなプレイリストに再構成する処理を、再構成対象のプレイリストＰＬ１の数だけ順次実行する。このようにしてプレイリスト再構成部５０は、再構成対象の複数のプレイリストＰＬ１を、１つずつ新たなプレイリストに再構成する。
【０１７２】
一方、要求情報生成部５２は、例えば表示制御部１７により表示部１８に対し選択画面２０を表示した状態で、外部装置１５から送信された、提示音楽データを利用してプレイリストＰＬ１を再構成するように要求する再構成要求信号が通信部１４によって受信されると、これに応じてネットワーク契機再構成要求情報を生成する。そして要求情報生成部５２は、そのネットワーク契機再構成要求情報をプレイリスト再構成部５０に送出する。
【０１７３】
プレイリスト再構成部５０は、要求情報生成部５２からネットワーク契機再構成要求情報が与えられると、上述した場合と同様に、再構成の形態を元に、プレイリストＰＬ１の再構成にデータ再生履歴及びリスト利用履歴の何れを用いるかを判別する。またプレイリスト再構成部５０は、このときユーザにより任意に選択されたプレイリストＰＬ１を再構成するように設定していると、現在、選択画面２０上でユーザにより選択されているチャンネル（すなわち、外部装置１５により再構成が要求されたときに選択されていたチャンネル）に割り当てられたプレイリストＰＬ１を再構成の対象として表示制御部１７に通知する。
【０１７４】
この場合、表示制御部１７は、プレイリスト再構成部５０からの通知に応じて表示部１８において選択画面２０上に上述と同様に再構成問合画面８１を重ねて表示する。そしてプレイリスト再構成部５０は、ユーザにより再構成問合画面８１上で、プレイリストＰＬ１の再構成が承諾されると、当該ユーザにより選択された再構成対象のプレイリストＰＬ１を検出すると共に、その時点に設定している再構成の形態に応じて、再構成対象の１つのプレイリストＰＬ１を、対応するチャンネル番号ＣＮやリスト名等によりデータ再生履歴取得部７０及びデータ属性重付部７１や、リスト利用履歴取得部７７に通知する。
【０１７５】
これによりプレイリスト再構成部５０は、上述と同様にデータ属性重付部７１からデータ再生履歴に応じた新たなデータ検索キーを得る、又はリスト属性更新部７８からリスト利用履歴に応じた新たなデータ検索キーを得る。そしてプレイリスト再構成部５０は、プレイリスト記憶部１６から、このときに再構成対象のプレイリストＰＬ１を読み出すと共に、当該読み出したプレイリストＰＬ１のプレイリスト生成規則を、新たなデータ検索キーを加えたプレイリスト生成規則に再構成する。
【０１７６】
この状態でプレイリスト再構成部５０は、通信部１４を介して外部装置１５に対し、プレイリストＰＬ１の再構成を承諾する承諾信号を送信する。その結果、プレイリスト再構成部５０は、外部装置１５から複数の提示音楽データに対応する複数のデータ属性情報ＤＡＴと、これら複数の提示音楽データのコンテンツ識別情報ＭＩＤとをリスト化した提示音楽リストが送信され通信部１４で受信されると、その提示音楽リストを取り込む。そしてプレイリスト再構成部５０は、再構成したプレイリスト生成規則に従い複数の再構成データ検索キーと、提示音楽リストに掲載されている全てのデータ属性情報ＤＡＴとを比較する。これによりプレイリスト再構成部５０は、再構成したプレイリスト生成規則に合致した（例えば、再構成データ検索キーを少なくても１つ含む）複数のデータ属性情報ＤＡＴを検索する。
【０１７７】
ところでプレイリスト再構成部５０は、再構成したプレイリスト生成規則に合致した複数のデータ属性情報ＤＡＴを検索すると、これらデータ属性情報ＤＡＴに基づき対応する提示音楽データが有料であるか否か、また通信部１４が通信に使用する通信帯域でストリーミング再生可能であるか否かを判別する。その結果、検索したデータ属性情報ＤＡＴに対応する提示音楽データの中に有料で配信されるものや通信帯域の関係でストリーミング再生し得ないものがあると、その提示音楽データに対応するデータ属性情報ＤＡＴを除いた残りのデータ属性情報ＤＡＴの数が所定数以上であるか否かを判別する。その結果、プレイリスト再構成部５０は、検索したデータ属性情報ＤＡＴの中で、無料及びストリーミング再生可能な提示音楽データに対応するもののみが所定数に満たないと、再構成したプレイリスト生成規則に対し、上述と同様に新たなデータ検索キーを追加して再構成し直す。これによりプレイリスト再構成部５０は、再構成し直したプレイリスト生成規則に従い再びデータ属性情報ＤＡＴを検索する。
【０１７８】
このようにしてプレイリスト再構成部５０は、再構成したプレイリスト生成規則に従い、無料及びストリーミング再生可能な提示音楽データにのみ対応する所定数以上のデータ属性情報ＤＡＴを検索するようにしている。そしてプレイリスト再構成部５０は、再構成したプレイリスト生成規則に従い、無料及びストリーミング再生可能な提示音楽データにのみ対応する所定数以上のデータ属性情報ＤＡＴを検索すると、当該検索したデータ属性情報ＤＡＴに対応する提示音楽データを登録（すなわち、提示音楽リスト内の対応するコンテンツ識別情報ＭＩＤを格納）し、かつ再構成したプレイリスト生成規則を示すプレイリスト生成規則情報も格納した新たなプレイリストを生成する。
【０１７９】
ところでプレイリスト再構成部５０は、再構成したプレイリスト生成規則に合致した新たなプレイリストを生成すると、当該新たなプレイリストに登録した全ての提示音楽データに対応するデータ属性情報ＤＡＴを、コンテンツデータ記憶部１３のコンテンツデータベースＣＤＢ１に記憶している全てのデータ属性情報ＤＡＴと比較する。その結果、プレイリスト再構成部５０は、例えば新たなプレイリストに登録した提示音楽データが、コンテンツデータ記憶部１３のコンテンツデータベースＣＤＢ１にも重複して記録されていると、新たなプレイリストに格納された音楽登録情報ＴＲ内の重複する提示音楽データのコンテンツ識別情報ＭＩＤ（すなわち、提示音楽データのネットワークＮＴ上の記憶場所を指示するコンテンツ識別情報ＭＩＤ）を、コンテンツデータベースＣＤＢ１に記憶されていた重複する音楽データＤ１のコンテンツ識別情報ＭＩＤ（すなわち、音楽データＤ１のコンテンツデータベースＣＤＢ１上の記憶場所を指示するコンテンツ識別情報ＭＩＤ）に変更する。これによりプレイリスト再構成部５０は、新たなプレイリストに登録した提示音楽データが再生装置１０内にも存在する場合には、当該新たなプレイリストに従い提示音楽データをわざわざネットワークＮＴを介してストリーミング再生しなくても、コンテンツデータ記憶部１３から読み出して再生することで、通信費が無駄にかかることを回避している。
【０１８０】
そしてプレイリスト再構成部５０は、上述と同様に、再構成対象のプレイリストＰＬ１が割り当てられていたチャンネルに対する当該再構成対象のプレイリストＰＬ１の割り当てを、新たなプレイリストに変更するようにして、当該新たなプレイリストを見かけ上チャンネルリストＣＬに登録すると共に、当該新たなプレイリストをプレイリスト記憶部１６に記憶する。このようにしてプレイリスト再構成部５０は、再構成対象のプレイリストＰＬ１を、再生装置１０の装置使用状況（すなわち、音楽データＤ１の再生に使用されている装置使用状況）に応じたプレイリスト生成規則を有する新たなプレイリストに再構成する。
【０１８１】
ところでプレイリスト再構成部５０は、再構成したプレイリスト生成規則に従い、無料及びストリーミング再生可能な提示音楽データにのみ対応するデータ属性情報ＤＡＴを検索し、当該検索したデータ属性情報ＤＡＴに対応する提示音楽データを登録するようにして再構成用の新たなプレイリストを生成しているため、再構成したプレイリストに従い提示音楽データが再生されたとき、その再生により料金の支払いが生じ、又はストリーミング再生が破綻することを未然に回避して音楽をユーザに聴かせることができるようになされている。因みにプレイリスト再構成部５０は、プレイリストの再構成が完了すると、この場合も、選択画面２０の表示内容を、再構成したプレイリストに応じて更新して、ユーザに対し再構成対象のプレイリストＰＬ１がどのようなプレイリストに再構成されたかを通知する。
【０１８２】
ところでプレイリスト再構成部５０は、再構成の形態を元に、プレイリストＰＬ１の再構成に対しデータ再生履歴及びリスト利用履歴の何れを用いるかを判別したとき、例えば複数のチャンネルにそれぞれ割り当てられ、かつ音楽データＤ１の再生に利用するように設定された全てのプレイリストＰＬ１を一括して再構成するように設定していると、当該全てのプレイリストＰＬ１を再構成の対象として表示制御部１７に通知する。この際、表示制御部１７は、上述と同様に、表示部１８において選択画面２０上に再構成問合画面８３を重ねて表示する。
【０１８３】
プレイリスト再構成部５０は、ユーザにより再構成問合画面８３上で、プレイリストＰＬ１の再構成が承諾されると、プレイリスト記憶部１６に記憶されている複数のプレイリストＰＬ１の中から、複数のチャンネルにそれぞれ割り当てられ、かつ音楽データＤ１の再生に利用するように設定された全てのプレイリストＰＬ１を再構成対象として検出する。そしてプレイリスト再構成部５０は、その時点に設定している再構成の形態に応じて、再構成対象のプレイリストＰＬ１を、対応するチャンネル番号ＣＮやリスト名等によりデータ再生履歴取得部７０及びデータ属性重付部７１や、リスト利用履歴取得部７７に通知する。
【０１８４】
これによりプレイリスト再構成部５０は、上述と同様に再構成対象の１つのプレイリストＰＬ１を、提示音楽リストを用いて新たなプレイリストに再構成する処理を、再構成対象のプレイリストＰＬ１の数だけ順次実行する。従ってプレイリスト再構成部５０は、再構成対象の複数のプレイリストＰＬ１を、１つずつ新たなプレイリストに再構成する。
【０１８５】
ここで図１９に示すフローチャートを用いて、上述した季節の変化を契機としてプレイリストＰＬ１を再構成する季節契機プレイリスト再構成処理手順ＲＴ４について説明する。この場合、要求情報生成部５２は、季節契機プレイリスト再構成処理手順ＲＴ４を開始すると、ステップＳＰ５１において計時部５１による現在の月日の計時結果を、変化検出用月日と比較するようにして、季節が変化することを待ち受ける。そして要求情報生成部５２は、第１の季節から第２の季節への変化を検出すると、これに応じて季節契機再構成要求情報を生成して、プレイリスト再構成部５０に送出する。
【０１８６】
ステップＳＰ５２においてプレイリスト再構成部５０は、第１の季節に関するリスト検索キーと、チャンネルに割り当てられ、かつ音楽データＤ１の再生に利用するように設定された全てのプレイリストＰＬ１のプレイリスト生成規則情報とを比較する。またプレイリスト再構成部５０は、変化後の第２の季節に関する１つのリスト検索キーと、未だチャンネルに割り当てられてはいない全てのプレイリストＰＬ１のプレイリスト生成規則情報とを比較する。
【０１８７】
そしてプレイリスト再構成部５０は、これら比較結果に基づき、変化前の第１の季節に関するプレイリストＰＬ１と、変化後の第２の季節に関するプレイリストＰＬ１とがそれぞれ存在するか否かを判別する。このステップＳＰ５２において肯定結果が得られると、このことは、プレイリスト記憶部１６に対し、変化前の第１の季節に関するプレイリストＰＬ１と、変化後の第２の季節に関するプレイリストＰＬ１との両方を記憶していることを表している。従ってプレイリスト再構成部５０は、かかる肯定結果を得ると、第１の季節に関するプレイリストＰＬ１と、第２の季節に関するプレイリストＰＬ１とを表示制御部１７に通知する。
【０１８８】
ステップＳＰ５３において表示制御部１７は、表示部１８に対し再構成問合画面５６又は６２を表示することにより、ユーザに対し季節の変化に応じてプレイリストＰＬ１を再構成するかどうかを問い合わせる。その結果、ステップＳＰ５４においてプレイリスト再構成部５０は、ユーザによりプレイリストＰＬ１の再構成が承諾されたか否かを判別し、当該プレイリストＰＬ１の再構成が承諾されると、次のステップＳＰ５５に移る。これによりステップＳＰ５５においてプレイリスト再構成部５０は、第１の季節に関する再構成対象のプレイリストＰＬ１を、第２の季節に関する（すなわち、第２の季節に関するプレイリスト生成規則を有する）プレイリストＰＬ１に再構成して、次のステップＳＰ５６に移り、かかる季節契機プレイリスト再構成処理手順ＲＴ４を終了する。
【０１８９】
因みにステップＳＰ５２において否定結果が得られると、このことはプレイリスト記憶部１６に対し、第１の季節に関するプレイリストＰＬ１と、第２の季節に関するプレイリストＰＬ１との少なくとも何れか一方が記憶されてはいない（すなわち、プレイリスト記憶部１６内には存在しない）ことを表している。従ってプレイリスト再構成部５０は、かかる否定結果を得ると、ステップＳＰ５６に移り季節契機プレイリスト再構成処理手順ＲＴ４を終了する。またステップＳＰ５４においてプレイリスト再構成部５０は、ユーザによりプレイリストＰＬ１の再構成が拒否されると、そのときもステップＳＰ５６に移り季節契機プレイリスト再構成処理手順ＲＴ４を終了する。
【０１９０】
ところでプレイリスト再構成部５０は、ステップＳＰ５５に移ると、実際には図２０に示すプレイリスト再構成処理手順ＲＴ４の第１のサブルーチンＳＲＴ４１を開始する。プレイリスト再構成部５０は、かかる第１のサブルーチンＳＲＴ４１を開始すると、ステップＳＰ６０において、変化後の第２の季節に関するプレイリストＰＬ１が成立するか否かを判別する。このステップＳＰ６０において否定結果が得られると、このことは変化後の第２の季節に関するプレイリストＰＬ１に登録されている音楽データＤ１の数が少なすぎることを表している。従ってプレイリスト再構成部５０は、かかる否定結果を得ると、次のステップＳＰ６１に移る。
【０１９１】
ステップＳＰ６２においてプレイリスト再構成部５０は、変化後の第２の季節に関するプレイリストＰＬ１を検索するための当該第２の季節に関するリスト検索キーを追加して、次のステップＳＰ６３に移る。そしてステップＳＰ６３においてプレイリスト再構成部５０は、先に使用した第２の季節に関するリスト検索キー（すなわちステップＳＰ５２で使用したリスト検索キー）及び当該第２の季節に関する追加したリスト検索キーと、未だチャンネルに割り当てられてはいない全てのプレイリストＰＬ１のプレイリスト生成規則情報とを比較するようにして、第２の季節に関する新たなプレイリストＰＬ１を検索して、ステップＳＰ６０に戻る。
【０１９２】
ところでステップＳＰ６０において肯定結果が得られると、このことは変化後の第２の季節に関するプレイリストＰＬ１に登録されている音楽データＤ１の数が比較的多いため、ユーザを楽しませるのに十分であると考えられることを表している。従ってプレイリスト再構成部５０は、かかる肯定結果を得ると、次のステップＳＰ６１に移る。ステップＳＰ６１においてプレイリスト再構成部５０は、チャンネルリストＣＬに対し第１の季節に関するプレイリストＰＬ１に換えて第２の季節に関するプレイリストＰＬ１を登録した後、次のステップＳＰ６４に移る。これによりプレイリスト再構成部５０は、かかる第１のサブルーチンＳＲＴ４１を終了して、ステップＳＰ５６に移る。因みにプレイリスト再構成部５０は、再構成対象のプレイリストＰＬ１が複数ある場合、かかる第１のサブルーチンＳＲＴ４１を当該再構成対象のプレイリストＰＬ１の数だけ繰り返し実行する。
【０１９３】
次いで、図２１に示すフローチャートを用いて、上述したユーザによる要求を契機としてプレイリストＰＬ１を再構成するユーザ契機プレイリスト再構成処理手順ＲＴ５について説明する。この場合、要求情報生成部５２は、ユーザ契機プレイリスト再構成処理手順ＲＴ５を開始すると、ステップＳＰ７１においてユーザにより操作部１２を介してプレイリストＰＬ１の再構成が要求されることを待ち受ける。そして要求情報生成部５２は、ユーザによりプレイリストＰＬ１の再構成が要求されると、これに応じてユーザ契機再構成要求情報を生成して、プレイリスト再構成部５０に送出する。
【０１９４】
ステップＳＰ７２においてプレイリスト再構成部５０は、プレイリストＰＬ１の再構成に対しデータ再生履歴及びリスト利用履歴の何れを用いるかを判別すると共に、再構成対象のプレイリストＰＬ１を判別し、当該判別した再構成対象のプレイリストＰＬ１を表示制御部１７に通知する。これにより表示制御部１７は、表示部１８に対し再構成問合画面６６又は７３を表示して、ユーザに対しプレイリストＰＬ１を再構成するかどうかを問い合わせる。
【０１９５】
その結果、ステップＳＰ７３においてプレイリスト再構成部５０は、ユーザによりプレイリストＰＬ１の再構成が承諾されたか否かを判別し、当該プレイリストＰＬ１の再構成が承諾されると、次のステップＳＰ７４に移る。これによりステップＳＰ７４においてプレイリスト再構成部５０は、再構成対象のプレイリストＰＬ１を、データ再生履歴又はリスト利用履歴が表す再生装置１０の装置使用状況に応じたプレイリスト生成規則を有するプレイリストに再構成して、次のステップＳＰ７５に移り、かかるユーザ契機プレイリスト再構成処理手順ＲＴ５を終了する。因みにステップＳＰ７４においてプレイリスト再構成部５０は、ユーザによりプレイリストＰＬ１の再構成が拒否されると、ステップＳＰ７５に移りユーザ契機プレイリスト再構成処理手順ＲＴ５を終了する。
【０１９６】
ところでプレイリスト再構成部５０は、ステップＳＰ７４に移ると、実際にはデータ再生履歴を用いてプレイリストＰＬ１を再構成する場合、これに応じて図２２に示すプレイリスト再構成処理手順ＲＴ５の第２のサブルーチンＳＲＴ５１を開始する。またプレイリスト再構成部５０は、リスト利用履歴を用いてプレイリストＰＬ１を再構成する場合には、これに応じて図２３に示すプレイリスト再構成処理手順ＲＴ５の第３のサブルーチンＳＲＴ５２を開始する。
【０１９７】
ここでまずプレイリスト再構成部５０は、第２のサブルーチンＳＲＴ５１を開始すると、ステップＳＰ８１において再構成対象のプレイリストＰＬ１をデータ再生履歴取得部７０及びデータ属性重付部７１に通知する。これによりデータ再生履歴取得部７０は、再構成対象のプレイリストＰＬ１（又は、プレイリストＰＬ２）に登録されている全ての音楽データＤ１に対応するデータ再生履歴として当該全ての音楽データＤ１のデータ属性情報ＤＡＴを取得し、当該取得したデータ属性情報ＤＡＴをデータ属性重付部７１に送出する。
【０１９８】
ステップＳＰ８２においてデータ属性重付部７１は、再構成対象のプレイリストＰＬ１（又は、プレイリストＰＬ２）に登録されている全ての音楽データＤ１のデータ属性情報ＤＡＴをそれぞれ対応するデータ再生履歴に応じてポイントを付加するように重み付けし、所定の閾値以上のポイントを重み付けしたデータ属性情報ＤＡＴを新たなデータ検索キーとしてプレイリスト再構成部５０に送出する。これによりステップＳＰ８３においてプレイリスト再構成部５０は、再構成対象のプレイリストＰＬ１の生成に使用されていたプレイリスト生成規則を、新たなデータ検索キーを追加したプレイリスト生成規則に再構成して、次のステップＳＰ８４に移る。
【０１９９】
そしてステップＳＰ８４においてプレイリスト再構成部５０は、コンテンツデータ記憶部１３に記憶されている全ての音楽データＤ１の中から、再構成したプレイリスト生成規則に合致する音楽データＤ１を検索して、次のステップＳＰ８５に移る。ステップＳＰ８５においてプレイリスト再構成部５０は、再構成したプレイリスト生成規則に従って検索した音楽データＤ１を登録するようにして新たなプレイリストを生成する場合、その新たなプレイリストが成立するか否かを判別する。このステップＳＰ８５において否定結果が得られると、このことは例えば再構成したプレイリスト生成規則に従い音楽データＤ１を所定数以上検索し得なかったことを表している。従ってプレイリスト再構成部５０は、かかる否定結果を得ると、ステップＳＰ８６に移る。
【０２００】
そしてステップＳＰ８６においてプレイリスト再構成部５０は、データ属性重付部７１に対し新たなデータ検索キーを要求する。その結果、データ属性重付部７１は、重み付けしたデータ属性情報ＤＡＴに対するデータ検索キーとしての採用基準を変更して新たなデータ検索キーを選択し、当該選択したデータ検索キーをプレイリスト再構成部５０に送出する。これによりステップＳＰ８３においてプレイリスト再構成部５０は、再構成していたプレイリスト生成規則を、新たなデータ検索キーを追加して再構成し直した後、再度ステップＳＰ８４の処理を実行する。
【０２０１】
ところでステップＳＰ８５において肯定結果が得られると、このことは例えば再構成した（又は再構成し直した）プレイリスト生成規則に従い所定数以上の音楽データＤ１を検索したことを表している。従ってプレイリスト再構成部５０は、かかる肯定結果を得ると、ステップＳＰ８７に移る。そしてステップＳＰ８７においてプレイリスト再構成部５０は、検索した音楽データＤ１を登録するようにして新たなプレイリストを生成すると共に、当該生成したプレイリストをチャンネルリストＣＬに登録した後、ステップＳＰ８８に移る。これによりプレイリスト再構成部５０は、かかる第２のサブルーチンＳＲＴ５１を終了して、ステップＳＰ７５に移る。因みにプレイリスト再構成部５０は、再構成対象のプレイリストＰＬ１が複数ある場合、データ再生履歴取得部７０及びデータ属性重付部７１と共に、かかる第２のサブルーチンＳＲＴ５１を当該再構成対象のプレイリストＰＬ１の数だけ繰り返し実行する。
【０２０２】
またプレイリスト再構成部５０は、第３のサブルーチンＳＲＴ５２を開始すると、ステップＳＰ９１において再構成対象のプレイリストＰＬ１をリスト利用履歴取得部７７に通知する。これによりリスト利用履歴取得部７７は、プレイリスト記憶部１６から再構成対象のプレイリストＰＬ１を読み出してリスト属性情報ＬＡＴに格納されているリスト利用履歴を取得すると共に、当該取得したリスト利用履歴を、そのリスト属性情報ＬＡＴと共にリスト属性更新部７８に送出する。そしてステップＳＰ９２においてリスト属性更新部７８は、リスト属性情報ＬＡＴからリスト利用履歴が示す利用回数に応じた個数の単語を、新たなデータ検索キーとして抽出し、当該抽出したデータ検索キーをプレイリスト再構成部５０に送出する。
【０２０３】
ステップＳＰ９３においてプレイリスト再構成部５０は、再構成対象のプレイリストＰＬ１の生成に使用されていたプレイリスト生成規則を、新たなデータ検索キーを追加したプレイリスト生成規則に再構成して、次のステップＳＰ９４に移る。そしてステップＳＰ９４においてプレイリスト再構成部５０は、コンテンツデータ記憶部１３に記憶されている全ての音楽データＤ１の中から、再構成したプレイリスト生成規則に合致する音楽データＤ１を検索して、次のステップＳＰ９５に移る。
【０２０４】
ステップＳＰ９５においてプレイリスト再構成部５０は、再構成したプレイリスト生成規則に従って検索した音楽データＤ１を登録するようにして新たなプレイリストを生成する場合、その新たなプレイリストが成立するか否かを判別する。このステップＳＰ９５において否定結果が得られると、このことは例えば再構成したプレイリスト生成規則に従い音楽データＤ１を所定数以上検索し得なかったことを表している。従ってプレイリスト再構成部５０は、かかる否定結果を得ると、ステップＳＰ９６に移る。
【０２０５】
そしてステップＳＰ９６においてプレイリスト再構成部５０は、リスト属性更新部７８に対し新たなデータ検索キーを要求する。その結果、リスト属性更新部７８は、リスト属性情報ＬＡＴから新たな単語を抽出して、これを新たなデータ検索キーとしてプレイリスト再構成部５０に送出する。これによりステップＳＰ９３においてプレイリスト再構成部５０は、再構成していたプレイリスト生成規則を、新たなデータ検索キーを追加して再構成し直した後、再度ステップＳＰ９４の処理を実行する。
【０２０６】
ところでステップＳＰ９５において肯定結果が得られると、このことは例えば再構成した（又は再構成し直した）プレイリスト生成規則に従い所定数以上の音楽データＤ１を検索したことを表している。従ってプレイリスト再構成部５０は、かかる肯定結果を得ると、ステップＳＰ９７に移る。そしてステップＳＰ９７においてプレイリスト再構成部５０は、検索した音楽データＤ１を登録するようにして新たなプレイリストを生成すると共に、当該生成したプレイリストをチャンネルリストＣＬに登録した後、ステップＳＰ９８に移る。これによりプレイリスト再構成部５０は、かかる第３のサブルーチンＳＲＴ５２を終了して、ステップＳＰ７５に移る。因みにプレイリスト再構成部５０は、再構成対象のプレイリストＰＬ１が複数ある場合、リスト利用履歴取得部７７及びリスト属性更新部７８と共に、かかる第３のサブルーチンＳＲＴ５２を当該再構成対象のプレイリストＰＬ１の数だけ繰り返し実行する。
【０２０７】
次いで、図２４に示すフローチャートを用いて、上述した外部装置１５による要求を契機としてプレイリストＰＬ１を再構成するネットワーク契機プレイリスト再構成処理手順ＲＴ６について説明する。この場合、要求情報生成部５２は、ネットワーク契機プレイリスト再構成処理手順ＲＴ６を開始すると、ステップＳＰ１０１においてネットワークＮＴ上の外部装置１５によりプレイリストＰＬ１の再構成が要求されることを待ち受ける。そして要求情報生成部５２は、外部装置１５によりプレイリストＰＬ１の再構成が要求されると、これに応じてネットワーク契機再構成要求情報を生成して、プレイリスト再構成部５０に送出する。
【０２０８】
ステップＳＰ１０２においてプレイリスト再構成部５０は、プレイリストＰＬ１の再構成に対しデータ再生履歴及びリスト利用履歴の何れを用いるかを判別すると共に、再構成対象のプレイリストＰＬ１を判別し、当該判別した再構成対象のプレイリストＰＬ１を表示制御部１７に通知する。これにより表示制御部１７は、表示部１８に対し再構成問合画面８１又は８３を表示して、ユーザに対しプレイリストＰＬ１を再構成するかどうかを問い合わせる。
【０２０９】
その結果、ステップＳＰ１０３においてプレイリスト再構成部５０は、ユーザによりプレイリストＰＬ１の再構成が承諾されたか否かを判別し、当該プレイリストＰＬ１の再構成が承諾されると、次のステップＳＰ１０４に移る。これによりステップＳＰ１０４においてプレイリスト再構成部５０は、外部装置１５から提示される複数の提示プレイリスト、又は複数の提示音楽データを示す提示音楽リストを利用して、再構成対象のプレイリストＰＬ１を、データ再生履歴又はリスト利用履歴が表す再生装置１０の装置使用状況に応じたプレイリスト生成規則を有するプレイリストに再構成した後、次のステップＳＰ１０５に移り、かかるネットワーク契機プレイリスト再構成処理手順ＲＴ６を終了する。因みにステップＳＰ１０４においてプレイリスト再構成部５０は、ユーザによりプレイリストＰＬ１の再構成が拒否されると、ステップＳＰ１０５に移りネットワーク契機プレイリスト再構成処理手順ＲＴ６を終了する。
【０２１０】
ところでプレイリスト再構成部５０は、ステップＳＰ１０４に移ると、実際には外部装置１５から提示される複数のプレイリストを利用してプレイリストＰＬ１を再構成する場合、これに応じて図２５に示すプレイリスト再構成処理手順ＲＴ６の第４のサブルーチンＳＲＴ６１を開始する。またプレイリスト再構成部５０は、外部装置１５から提示される提示音楽リストを利用してプレイリストＰＬ１を再構成する場合には、これに応じて図２６に示すプレイリスト再構成処理手順ＲＴ６の第５のサブルーチンＳＲＴ６２を開始する。
【０２１１】
ここでまずプレイリスト再構成部５０は、第４のサブルーチンＳＲＴ６１を開始すると、ステップＳＰ１１１において、再構成対象のプレイリストＰＬ１が生成されたときのプレイリスト生成規則を、上述した場合と同様にデータ再生履歴又はリスト利用履歴を反映させた新たなプレイリスト生成規則に再構成する。この状態でプレイリスト再構成部５０は、ネットワークＮＴ上の外部装置１５から複数の提示プレイリストを取得して、次のステップＳＰ１１２に移る。そしてステップＳＰ１１２においてプレイリスト再構成部５０は、再構成したプレイリスト生成規則に従い複数の再構成データ検索キーと、提示プレイリストに格納されているリスト属性情報ＬＡＴとを比較する。これによりプレイリスト再構成部５０は、再構成したプレイリスト生成規則に合致したリスト属性情報ＬＡＴを有する提示プレイリストを検索して、次のステップＳＰ１１３に移る。
【０２１２】
ステップＳＰ１１３においてプレイリスト再構成部５０は、再構成したプレイリスト生成規則に従い検索した提示プレイリストが、新たなプレイリストとして成立するか否かを判別する。このステップＳＰ１１３において否定結果が得られると、このことは、例えば検索した提示プレイリストに対し、有料で配信される音楽データＤ１が登録され、又は通信部１４の利用する通信帯域では的確に受信し得ない音楽データＤ１（すなわち、データ量が多く、ストリーミング再生中に音楽が途切れる可能性の高い音楽データＤ１）が登録されていることを表している。従ってプレイリスト再構成部５０は、かかる否定結果を得ると、ステップＳＰ１１４に移る。
【０２１３】
ステップＳＰ１１４においてプレイリスト再構成部５０は、データ属性重付部７１又はリスト属性更新部７８に対し新たなデータ検索キーを要求する。その結果、プレイリスト再構成部５０は、データ属性重付部７１又はリスト属性更新部７８から新たに選択されたデータ検索キーが与えられると、再構成していたプレイリスト生成規則を、その新たに選択されたデータ検索キーを追加して再構成し直した後、ステップＳＰ１１２に戻る。これによりステップＳＰ１１２においてプレイリスト再構成部５０は、再構成し直したプレイリスト生成規則に従い、改めて提示プレイリストを検索する。
【０２１４】
ところでステップＳＰ１１３において肯定結果が得られると、このことは、例えば再構成した（又は再構成し直した）プレイリスト生成規則に従い検索した提示プレイリストに対し、無料で配信される音楽データＤ１のみが登録され、かつ通信部１４の利用する通信帯域でも的確に受信可能な音楽データＤ１（すなわち、通信帯域にあったデータ量を有し、音楽を途中で途切れさせることなく的確にストリーミング再生し得る音楽データＤ１）のみが登録されていることを表している。従ってプレイリスト再構成部５０は、かかる肯定結果を得ると、次のステップＳＰ１１５に移る。
【０２１５】
そしてステップＳＰ１１５においてプレイリスト再構成部５０は、検索した提示プレイリストに対し、再生装置１０のコンテンツデータ記憶部１３にも記憶されている音楽データＤ１と同じ音楽データＤ１が重複して登録されていると、当該提示プレイリストを、その重複して登録されている音楽データＤ１をコンテンツデータ記憶部１３に記憶されている同じ音楽データＤ１に登録し直して新たなプレイリストとしチャンネルリストＣＬに登録する。またプレイリスト再構成部５０は、検索した提示プレイリストに対し、コンテンツデータ記憶部１３に記憶されている音楽データＤ１とは異なる音楽データＤ１のみが登録されていると当該提示プレイリストをそのまま新たなプレイリストとしてチャンネルリストＣＬに登録する。
【０２１６】
このようにしてプレイリスト再構成部５０は、新たなプレイリスト（すなわち、提示プレイリスト）をチャンネルリストＣＬに登録すると、ステップＳＰ１１６に移る。これによりプレイリスト再構成部５０は、かかる第４のサブルーチンＳＲＴ６１を終了して、ステップＳＰ１０５に移る。因みにプレイリスト再構成部５０は、再構成対象のプレイリストＰＬ１が複数ある場合、かかる第４のサブルーチンＳＲＴ６１を当該再構成対象のプレイリストＰＬ１の数だけ繰り返し実行する。
【０２１７】
またプレイリスト再構成部５０は、第５のサブルーチンＳＲＴ６２を開始すると、ステップＳＰ１２１において、再構成対象のプレイリストＰＬ１が生成されたときのプレイリスト生成規則を、上述した場合と同様にデータ再生履歴又はリスト利用履歴を反映させた新たなプレイリスト生成規則に再構成する。この状態でプレイリスト再構成部５０は、ネットワークＮＴ上の外部装置１５から複数の提示音楽データを示す提示音楽リストを取得して、次のステップＳＰ１２２に移る。ステップＳＰ１２２においてプレイリスト再構成部５０は、再構成したプレイリスト生成規則に従い複数の再構成データ検索キーと、提示音楽リスト内の全てのデータ属性情報ＤＡＴとを比較するようにして、再構成したプレイリスト生成規則に合致したデータ属性情報ＤＡＴを有する複数の提示音楽データを検索し、次のステップＳＰ１２３に移る。
【０２１８】
ステップＳＰ１２３においてプレイリスト再構成部５０は、再構成したプレイリスト生成規則に従って検索した提示音楽データを登録するようにして新たなプレイリストを生成する場合、その新たなプレイリストが成立するか否かを判別する。このステップＳＰ１２３において否定結果が得られると、このことは、例えば再構成したプレイリスト生成規則に従い、有料で配信される提示音楽データを検索し、又は通信部１４の利用する通信帯域では的確に受信し得ない提示音楽データ（すなわち、データ量が多く、ストリーミング再生中に音楽が途切れる可能性の高い提示音楽データ）を検索しており、無料でストリーミング再生用に配信され、かつ通信部１４の利用する通信帯域でも的確に受信可能な提示音楽データを所定数以上検索し得なかったことを表している。従ってプレイリスト再構成部５０は、かかる否定結果を得ると、ステップＳＰ１２４に移る。
【０２１９】
ステップＳＰ１２４においてプレイリスト再構成部５０は、データ属性重付部７１又はリスト属性更新部７８に対し新たなデータ検索キーを要求する。その結果、プレイリスト再構成部５０は、データ属性重付部７１又はリスト属性更新部７８から新たに選択されたデータ検索キーが与えられると、再構成していたプレイリスト生成規則を、その新たに選択されたデータ検索キーを追加して再構成し直した後、ステップＳＰ１２２に戻る。これによりステップＳＰ１２２においてプレイリスト再構成部５０は、再構成し直したプレイリスト生成規則に従い、改めて提示音楽リストをもとに提示音楽データを検索する。
【０２２０】
ところでステップＳＰ１２３において肯定結果が得られると、このことは、例えば再構成した（又は再構成し直した）プレイリスト生成規則に従い、無料でストリーミング再生用に配信され、かつ通信部１４の利用する通信帯域でも的確に受信可能な提示音楽データを所定数以上検索したことを表している。従ってプレイリスト再構成部５０は、かかる肯定結果を得ると、次のステップＳＰ１２５に移る。そしてステップＳＰ１２５においてプレイリスト再構成部５０は、検索した提示音楽データの中に、再生装置１０のコンテンツデータ記憶部１３にも記憶されている音楽データＤ１が含まれているときには、コンテンツデータ記憶部１３内の音楽データＤ１と同じ提示音楽データを当該コンテンツデータ記憶部１３内の音楽データＤ１に変更して、他の提示音楽データと共に登録した新たなプレイリストを生成する。またプレイリスト再構成部５０は、検索した提示音楽データの中に、コンテンツデータ記憶部１３にも記憶されている音楽データＤ１が存在しないときには、これら検索した提示音楽データをそのまま登録した新たなプレイリストを生成する。
【０２２１】
このようにしてプレイリスト再構成部５０は、新たなプレイリストを生成すると、当該生成した新たなプレイリストをチャンネルリストＣＬに登録した後、ステップＳＰ１２６に移る。これによりプレイリスト再構成部５０は、かかる第５のサブルーチンＳＲＴ６２を終了して、ステップＳＰ１０５に移る。因みにプレイリスト再構成部５０は、再構成対象のプレイリストＰＬ１が複数ある場合、かかる第５のサブルーチンＳＲＴ６２を当該再構成対象のプレイリストＰＬ１の数だけ繰り返し実行する。
【０２２２】
なお、第１の実施の形態の場合、プレイリスト再構成部５０は、ユーザに対しプレイリストＰＬ１の再構成を実行するか否かを問い合わせて、その結果、再構成が要望（すなわち、承諾）されると、再構成対象のプレイリストＰＬ１を再構成している。このためプレイリスト再構成部５０は、音楽データＤ１の再生に利用中のプレイリストＰＬ１を再構成したときには、これを再生部１１に通知して当該再生部１１対し、音楽データＤ１の再生に利用するプレイリストＰＬ１を再構成前のものから再構成後の新たなものへと変更させている。このようにしてプレイリスト再構成部５０は、音楽データＤ１の再生に利用中のプレイリストＰＬ１を再構成したときには、音楽データＤ１の再生に利用するプレイリストＰＬ１を、再構成前のものから再構成後のものへと迅速に切り替えている。
【０２２３】
（１−３）動作及び効果
以上の構成において、再生装置１０は、コンテンツデータ記憶部１３に対し複数の音楽データＤ１を記憶すると共に、プレイリスト記憶部１６に対し、それぞれプレイリスト生成規則情報と複数の音楽データＤ１のコンテンツ識別情報ＭＩＤとを有する複数のプレイリストＰＬ１を記憶し、これら複数のプレイリストＰＬ１の一部をプレイリスト選択用のチャンネルに割り当てる。そして再生装置１０は、リスト利用再生機能を起動すると、ユーザによりラジオやテレビジョンの放送局を選局するようにチャンネルとして選択されたプレイリストＰＬ１に従い順次音楽データＤ１を再生して音楽を聴かせる。
【０２２４】
再生装置１０は、このように使用されている状態で季節が変化すると、その季節の変化に応じて、プレイリスト記憶部１６に記憶している複数のプレイリストＰＬ１の中から、チャンネルに割り当てている、変化前の第１の季節に応じたプレイリスト生成規則情報を有する（すなわち、変化前の第１の季節に応じたプレイリスト生成規則に従い生成された）変化前の第１の季節に関するプレイリストＰＬ１を検索する。また再生装置１０は、プレイリスト記憶部１６に記憶している複数のプレイリストＰＬ１の中から、チャンネルには割り当てていない、変化後の第２の季節に応じたプレイリスト生成規則情報を有する（すなわち、変化後の第２の季節に応じたプレイリスト生成規則に従い生成された）変化後の第２の季節に関するプレイリストＰＬ１を検索する。
【０２２５】
そして再生装置１０は、変化前の第１の季節に関するプレイリストＰＬ１を割り当てていたチャンネルに対し、当該変化前の第１の季節に関するプレイリストＰＬ１に替えて変化後の第２の季節に関するプレイリストＰＬ１を割り当てることで、その時点まではチャンネルとして選択可能であった変化前の第１の季節に関するプレイリストＰＬ１に替えて、変化後の第２の季節に関するプレイリストＰＬ１をそのチャンネルとして選択可能にする。このようにして再生装置１０は、季節の変化を超えて使用されるような装置使用状況に応じて、変化前の第１の季節に関するプレイリストＰＬ１を、変化後の第２の季節に関するプレイリストＰＬ１に再構成する。
【０２２６】
また再生装置１０は、ユーザによりプレイリストＰＬ１の再構成が要求されると、すでにチャンネルに割り当てている再構成対象のプレイリストＰＬ１のプレイリスト生成規則を、対応するデータ再生履歴やリスト利用履歴に応じて再構成する。そして再生装置１０は、コンテンツデータ記憶部１３に記憶している複数の音楽データＤ１の中から再構成したプレイリスト生成規則に合致する複数の音楽データＤ１を検索すると共に、当該検索した複数の音楽データＤ１を登録するようにして新たにプレイリストを生成する。
【０２２７】
このようにして再生装置１０は、新たにプレイリストを生成すると、再構成対象のプレイリストＰＬ１を割り当てていたチャンネルに対し、当該再構成対象のプレイリストＰＬ１に替えて、新たに生成したプレイリストを割り当てることで、その時点まではチャンネルとして選択可能であった再構成対象のプレイリストＰＬ１に替えて、新たに生成したプレイリストをそのチャンネルとして選択可能にする。このようにして再生装置１０は、再構成対象のプレイリストＰＬ１を、データ再生履歴やリスト利用履歴が表す装置使用状況に応じたプレイリスト生成規則（すなわち、再構成したプレイリスト生成規則）を有する新たなプレイリストに再構成する。
【０２２８】
さらに再生装置１０は、ネットワークＮＴ上の外部装置１５によりプレイリストＰＬ１の再構成が要求されると、すでにチャンネルに割り当てている再構成対象のプレイリストＰＬ１のプレイリスト生成規則を、対応するデータ再生履歴やリスト利用履歴に応じて再構成する。そして再生装置１０は、外部装置１５から提示された複数の提示プレイリストの中から再構成したプレイリスト生成規則に合致するプレイリスト生成規則を有する（すなわち、再構成したプレイリスト生成規則に合致するプレイリスト生成規則に従い生成された）１つの提示プレイリストを検索する。
【０２２９】
このようにして再生装置１０は、提示プレイリストを検索すると、再構成対象のプレイリストＰＬ１を割り当てていたチャンネルに対し、当該再構成対象のプレイリストＰＬ１に替えて、検索した提示プレイリストを割り当てることで、その時点まではチャンネルとして選択可能であった再構成対象のプレイリストＰＬ１に替えて、検索した提示プレイリストをそのチャンネルとして選択可能にする。このようにして再生装置１０は、再構成対象のプレイリストＰＬ１を、データ再生履歴やリスト利用履歴が表す装置使用状況に応じたプレイリスト生成規則を有する提示プレイリストに再構成する。
【０２３０】
さらにまた再生装置１０は、ネットワークＮＴ上の外部装置１５によりプレイリストＰＬ１の再構成が要求されると、すでにチャンネルに割り当てている再構成対象のプレイリストＰＬ１のプレイリスト生成規則を、対応するデータ再生履歴やリスト利用履歴に応じて再構成する。そして再生装置１０は、外部装置１５から提示された提示音楽リストをもとに、再構成したプレイリスト生成規則に合致するデータ属性情報ＤＡＴを有する複数の提示音楽データを検索し、当該検索した提示音楽データを登録するようにして新たなプレイリストを生成する。
【０２３１】
このようにして再生装置１０は、新たにプレイリストを生成すると、再構成対象のプレイリストＰＬ１を割り当てていたチャンネルに対し、当該再構成対象のプレイリストＰＬ１に替えて、新たに生成したプレイリストを割り当てることで、その時点まではチャンネルとして選択可能であった再構成対象のプレイリストＰＬ１に替えて、新たに生成したプレイリストをそのチャンネルとして選択可能にする。このようにして再生装置１０は、再構成対象のプレイリストＰＬ１を、データ再生履歴やリスト利用履歴が表す装置使用状況に応じたプレイリスト生成規則（すなわち、再構成したプレイリスト生成規則）を有する新たなプレイリストに再構成する。
【０２３２】
従って再生装置１０は、季節が変化したときには、その季節の変化に合わせてユーザが聴きたいと思うような季節に合った複数の音楽の音楽データＤ１を登録しているプレイリストＰＬ１を用意することができる。また再生装置１０は、すでにプレイリストＰＬ１の生成に使用していたプレイリスト生成規則をデータ再生履歴やリスト利用履歴が表す装置使用状況に応じて再構成し、当該再構成したプレイリスト生成規則に従い音楽データＤ１（すなわち、再生装置１０が記憶保持している音楽データＤ１）を検索することで、ユーザによりあまり聴かれてはいなかった音楽の音楽データＤ１を極力除き、比較的多く聴かれていた音楽の音楽データＤ１をより多く登録した新たなプレイリストを用意することができる。
【０２３３】
さらに再生装置１０は、すでにプレイリストＰＬ１の生成に使用していたプレイリスト生成規則をデータ再生履歴やリスト利用履歴が表す装置使用状況に応じて再構成し、当該再構成したプレイリスト生成規則に従い、外部装置１５が記憶保持している複数の音楽データＤ１を登録した提示プレイリストや、外部装置１５が記憶保持し提供可能な複数の音楽データ（すなわち、提示音楽データ）を検索することで、例えばユーザによりまだ聴かれてはいなかった音楽の音楽データＤ１の中から、当該ユーザにより比較的多く聴かれていた音楽と印象が似ている等して好みに極力近い音楽の音楽データＤ１をより多く登録した新たなプレイリストを用意することができる。
【０２３４】
以上の構成によれば、プレイリストＰＬ１の再構成の要求に応じて、再構成対象のプレイリストＰＬ１を、装置使用状況に応じたプレイリスト生成規則を有するプレイリストに再構成するようにした。これにより再生装置１０は、装置使用状況を反映させたプレイリスト生成規則に従い、ユーザが所望していると思われる複数の音楽データＤ１を登録した新たなプレイリストを用意することができ、かくして、その新たなプレイリストに従いユーザが所望していると思われる音楽データＤ１を提供することができる。
【０２３５】
また再生装置１０は、第１の季節に関するプレイリストＰＬ１を第２の季節に関するプレイリストＰＬ１に再構成した場合、その第２の季節に関するプレイリストＰＬ１に従いユーザに対し現在の季節に合った複数の音楽を聴かせることができると共に、季節の変化に合わせてユーザに聴かせる音楽も的確に変化させることができる。さらに再生装置１０は、コンテンツデータ記憶部１３に対し適宜音楽データＤ１を記憶して、記憶保持する音楽データＤ１を増やすことができるようにしている。従って再生装置１０は、ユーザの要求に応じてプレイリストＰＬ１を、新たなプレイリストに再構成した場合、当該新たなプレイリストに従いユーザに好みの印象（又は好みに近い印象）の音楽や好みのアーティスト及びジャンル等の音楽をより多く聴かせることができる。
【０２３６】
さらにまた再生装置１０は、外部装置１５の要求に応じて、プレイリストＰＬ１を新たなプレイリストに再構成した場合、当該新たなプレイリストに従いユーザに好みの印象（又は好みに近い印象）の複数の音楽を紹介し、また好みのアーティスト及びジャンル等でそれまでに聴かれてはいなかった複数の音楽を聴かせることができる。因みに再生装置１０は、プレイリストＰＬ１の再構成が要求されたとき、必ずユーザに対しプレイリストＰＬ１を再構成するか否かを確認するようにした。従って再生装置１０は、プレイリストＰＬ１を誤って新たなプレイリストに再構成することを防止することができ、その結果、ユーザの気にいる構成のプレイリストＰＬ１及びＰＬ２が利用し得なくなることを未然に回避することができる。
【０２３７】
（１−４）他の実施の形態
なお上述した第１の実施の形態においては、ネットワークＮＴ上の外部装置１５によりプレイリストＰＬ１の再構成が要求されたときに、プレイリスト再構成部５０が当該外部装置１５から提示された複数の提示プレイリスト、又は提示音楽リストを利用して再構成対象のプレイリストＰＬ１を新たなプレイリストに再構成するようにした場合について述べたが、本発明はこれに限らず、ネットワークＮＴ上の外部装置１５からプレイリストＰＬ１の再構成が要求されたときにプレイリスト再構成部５０が、ユーザにより再構成が要求されたときと同様に複数の提示プレイリストや提示音楽リストを利用せずに、コンテンツデータ記憶部１３に記憶している複数の音楽データＤ１のみを利用して、再構成対象のプレイリストＰＬ１を新たなプレイリストに再構成するようにしても良い。
【０２３８】
また上述した第１の実施の形態においては、複数のプレイリストＰＬ１のうちチャンネルに割り当てられ、かつ音楽データＤ１の再生に利用し得るように設定されているプレイリストＰＬ１を再構成対象とするようにした場合について述べたが、本発明はこれに限らず、音楽データＤ１の再生に利用し得るように設定されているか否かにかかわらずに、チャンネルに割り当てられている全てのプレイリストＰＬ１を再構成対象とし、またチャンネルに割り当てられてはいないプレイリストも再構成対象とするようにしても良い。さらにチャンネルに割り当てられ、かつ音楽データＤ１の再生に利用し得るように設定されているプレイリストＰＬ１の中でも予め再構成しないプレイリストＰＬ１を設定しておくようにしても良い。これにより固定的に使用するように望まれたプレイリストＰＬ１については、再構成せずにそのまま固定的に利用することができる。
【０２３９】
さらに上述した第１の実施の形態においては、季節が変化したときにプレイリスト再構成部５０が、プレイリスト記憶部１６に記憶している複数のプレイリストＰＬ１の中から、変化前の第１の季節に関するプレイリストＰＬ１と、変化後の第２の季節に関するプレイリストＰＬ１とを検索するようにした場合について述べたが、本発明はこれに限らず、１つのチャンネルに対し予め複数の季節に関するプレイリストＰＬ１を対応付けておき、プレイリスト再構成部５０が季節の変化に合わせてチャンネルに対するプレイリストＰＬ１の割り当てを単に切り替えるようにしても良い。これによりプレイリスト再構成部５０は、季節の変化に応じて再構成対象のプレイリストＰＬ１を新たなプレイリストＰＬ１に再構成するときにリスト検索キーを用いた検索を何ら行わなくても良く、処理負荷を低減することができる。
【０２４０】
さらに上述した第１の実施の形態においては、プレイリスト再構成部５０が季節の変化に応じて再構成対象のプレイリストＰＬ１を新たなプレイリストＰＬ１に再構成するようにした場合について述べたが、本発明はこれに限らず、朝、昼、夕方、夜、深夜等のように時間帯をそれぞれイメージさせるデータ検索キー（このデータ検索キーは、ある程度の幅を持った印象値情報や時間帯をイメージさせる単語等である）を用いるプレイリスト生成規則に従い複数の音楽データＤ１を収集するようにしてこれら時間帯に関わる複数のプレイリストＰＬ１を生成しておき、プレイリスト再構成部５０がチャンネルに対するプレイリストＰＬ１の割り当てを単に切り替えるようにして何れかのプレイリストＰＬ１を、例えば再生装置１０が比較的よく使用される時間帯に関わる（すなわち、再生装置１０の装置使用状況である装置使用時間帯に応じたプレイリスト生成規則を有する）プレイリストＰＬ１に再構成するようにしても良い。
【０２４１】
またプレイリスト再構成部５０は、例えば再生装置１０の使用されている装置使用時間帯が第１の装置使用時間帯から第２の装置使用時間帯へと変化したことに合わせてチャンネルに対するプレイリストＰＬ１の割り当てを単に切り替えるようにし、当該第１の装置使用時間帯に関わる（すなわち、第１の装置使用時間帯に応じたプレイリスト生成規則を有する）プレイリストＰＬ１を、第２の装置使用時間帯に関わる（すなわち、第２の装置使用時間帯に応じたプレイリスト生成規則を有する）プレイリストＰＬ１に再構成するようにしても良い。
【０２４２】
さらに上述した第１の実施の形態においては、プレイリスト再構成部５０が季節の変化に応じて再構成対象のプレイリストＰＬ１を新たなプレイリストＰＬ１に再構成するようにした場合について述べたが、本発明はこれに限らず、クリスマス、お正月、卒業、運動会等のようにイベントをそれぞれイメージさせるデータ検索キーを用いるプレイリスト生成規則に従い複数の音楽データＤ１を収集するようにしてこれらイベントに関わる複数のプレイリストＰＬ１を生成しておき、プレイリスト再構成部５０がチャンネルに対するプレイリストＰＬ１の割り当てを単に切り替えるようにして何れかのプレイリストＰＬ１を、例えば再生装置１０が使用される装置使用時期（すなわち、イベントが行なわれるシーズン）に関わる（すなわち、再生装置１０の装置使用状況である装置使用時期に応じたプレイリスト生成規則を有する）プレイリストＰＬ１に再構成するようにしても良い。
【０２４３】
また再生装置１０では、要求情報生成部５２が計時部５１の計時結果に応じて、当該再生装置１０が使用される装置使用期間が第１の装置使用時期から第２の装置使用時期へと変化したことを検出したときに再構成要求情報を生成し、プレイリスト再構成部５０が、その再構成要求情報に応じてチャンネルに対するプレイリストＰＬ１の割り当てを単に切り替えるようにし、第１の装置使用時期に関わる（すなわち、第１の装置使用時期に応じたプレイリスト生成規則を有する）プレイリストＰＬ１を、第２の装置使用時期に関わる（すなわち、第２の装置使用時期に応じたプレイリスト生成規則を有する）プレイリストＰＬ１に再構成するようにしても良い。
【０２４４】
さらに上述した第１の実施の形態においては、プレイリスト再構成部５０が季節の変化に応じて再構成対象のプレイリストＰＬ１を新たなプレイリストＰＬ１に再構成するようにした場合について述べたが、本発明はこれに限らず、例えば本発明の再生装置を携帯型のような持ち運び可能な再生装置１０に適用し、リビング、寝室、会社、電車の中等のように装置使用場所をそれぞれイメージさせるデータ検索キーを用いるプレイリスト生成規則に従い複数の音楽データＤ１を収集するようにしてこれら装置使用場所に関わる複数のプレイリストＰＬ１を生成しておき、プレイリスト再構成部５０がチャンネルに対するプレイリストＰＬ１の割り当てを単に切り替えるようにして何れかのプレイリストＰＬ１を、例えば再生装置１０が使用される装置使用場所に関わる（すなわち、再生装置１０の装置使用状況である装置使用場所に応じたプレイリスト生成規則を有する）プレイリストＰＬ１に再構成するようにしても良い。
【０２４５】
ところで、かかる構成の再生装置１０は、装置使用状況である装置使用場所を、ユーザに対し操作部１２を介して指定入力させても良いし、ＧＰＳ（Global Positioning System ）や通信可能な基地局等による測位システムを利用して検出しても良い。そして再生装置１０では、要求情報生成部５２が操作部１２からの入力や測位システムを利用して装置使用場所が第１の装置使用場所から第２の装置使用場所へと変化したことを検出したときに再構成要求情報を生成し、プレイリスト再構成部５０が、その再構成要求情報に応じてチャンネルに対するプレイリストＰＬ１の割り当てを単に切り替えるようにして、第１の装置使用場所に関わる（すなわち、再生装置１０の装置使用状況である第１の装置使用場所に応じたプレイリスト生成規則を有する）プレイリストＰＬ１を、第２の装置使用場所に関わる（すなわち、再生装置１０の装置使用状況である第２の装置使用場所に応じたプレイリスト生成規則を有する）プレイリストＰＬ１に再構成するようにしても良い。
【０２４６】
また再生装置１０では、例えば測位システムを利用する場合、再生装置１０の移動速度（すなわち、ユーザが再生装置１０を携帯しながら使用している場合の移動速度）や、当該再生装置１０が使用されている周囲の環境（イベント会場や公園、海辺等）等を検出し、その検出結果に応じてプレイリスト再構成部５０が、何れかのプレイリストＰＬ１を、その移動速度や周囲の環境等のような再生装置１０の装置使用状況に応じたプレイリスト生成規則を有するプレイリストＰＬ１に再構成するようにしても良い。すなわち、再生装置１０では、プレイリスト再構成部５０が何れかのプレイリストＰＬ１を例えば、移動速度が比較的速いときにはテンポの比較的速い音楽の音楽データＤ１を登録するプレイリストＰＬ１や当該移動速度が比較的遅いときにはテンポの比較的遅い音楽の音楽データＤ１を登録するプレイリストＰＬ１に再構成し、周囲の環境が比較的にぎやかなときには比較的明るい音楽の音楽データＤ１を登録するプレイリストＰＬ１や周囲の環境が比較的静かなときには比較的穏やかな音楽の音楽データＤ１を登録するプレイリストＰＬ１に再構成するようにしても良い。
【０２４７】
さらに上述した第１の実施の形態においては、プレイリスト再構成部５０が季節の変化やユーザ及びネットワークＮＴ上の外部装置１５からの要求を契機としてプレイリストＰＬ１を再構成するようにした場合について述べたが、本発明はこれに限らず、プレイリスト再構成部５０が、再生部１１によるプレイリストＰＬ１を利用した音楽データＤ１の再生を契機としてプレイリストＰＬ１を再構成するようにしても良い。ここで図２７に示すフローチャートを用いて、例えば再生装置１０が、上述したように朝、昼、夕方、夜、深夜等の時間帯をそれぞれイメージさせる複数の音楽データＤ１を登録した複数のプレイリストＰＬ１を保持している場合に、プレイリスト再構成部５０がプレイリストＰＬ１を利用した音楽データＤ１の再生を契機として当該プレイリストＰＬ１を再構成する再生契機プレイリスト再構成処理手順ＲＴ７について以下に説明する。
【０２４８】
この場合、再生装置１０は、プレイリスト記憶部１６に対し、朝の時間帯をイメージさせる複数の音楽データＤ１を登録したプレイリスト（以下、これを朝用プレイリストと呼ぶ）ＰＬ１、昼の時間帯をイメージさせる複数の音楽データＤ１を登録したプレイリスト（以下、これを昼用プレイリストと呼ぶ）ＰＬ１、夕方の時間帯をイメージさせる複数の音楽データＤ１を登録したプレイリスト（以下、これを夕方用プレイリストと呼ぶ）ＰＬ１、夜の時間帯をイメージさせる複数の音楽データＤ１を登録したプレイリスト（以下、これを夜用プレイリストと呼ぶ）ＰＬ１及び深夜の時間帯をイメージさせる複数の音楽データＤ１を登録したプレイリスト（以下、これを深夜用プレイリストと呼ぶ）ＰＬ１を記憶している。
【０２４９】
また再生装置１０は、プレイリスト記憶部１６に対し、朝、昼、夕方、夜、深夜の時間帯（例えば、朝は５時から１０時５９分５９秒まで、昼は１１時から１５時５９分５９秒まで、夕方は１６時から１８時５９分５９秒まで、夜は１９時から２０時５９分５９秒まで、深夜は２１時から４時５９分５９秒までのような時間帯）をそれぞれ示す時間帯情報を、朝用プレイリストＰＬ１、昼用プレイリストＰＬ１、夕方用プレイリストＰＬ１、夜用プレイリストＰＬ１及び深夜用プレイリストＰＬ１に対応付けて記憶している。
【０２５０】
さらに再生装置１０は、特定チャンネルに対し、朝用プレイリストＰＬ１、昼用プレイリストＰＬ１、夕方用プレイリストＰＬ１、夜用プレイリストＰＬ１及び深夜用プレイリストＰＬ１の全てを対応付けている。そして再生装置１０は、例えばリスト利用再生機能の停止時には、特定チャンネルに対し朝用プレイリストＰＬ１、昼用プレイリストＰＬ１、夕方用プレイリストＰＬ１、夜用プレイリストＰＬ１及び深夜用プレイリストＰＬ１の何れをも割り当てないようにし、当該リスト利用再生機能を実行している間に特定チャンネルに対し朝用プレイリストＰＬ１、昼用プレイリストＰＬ１、夕方用プレイリストＰＬ１、夜用プレイリストＰＬ１及び深夜用プレイリストＰＬ１の何れか１つを適宜切り替えて割り当てるようにしている。
【０２５１】
要求情報生成部５２は、リスト利用再生機能の実行時にユーザにより、朝用プレイリストＰＬ１、昼用プレイリストＰＬ１、夕方用プレイリストＰＬ１、夜用プレイリストＰＬ１及び深夜用プレイリストＰＬ１を対応付けている特定チャンネルが選択されると、図２７に示す再生契機プレイリスト再構成処理手順ＲＴ７を開始する。要求情報生成部５２は、かかる再生契機プレイリスト再構成処理手順ＲＴ７を開始すると、ステップＳＰ１３１において計時部５１から現在時刻の計時結果を取得して、次のステップＳＰ１３２に移る。
【０２５２】
ステップＳＰ１３２において要求情報生成部５２は、現在時刻と、プレイリスト記憶部１６内の時間帯情報が示す時間帯とを比較し、その比較結果に基づき当該現在時刻が含まれる時間帯を判別する。そしてプレイリスト再構成部５０は、現在時刻が含まれる時間帯に対応付けられている朝用プレイリストＰＬ１、昼用プレイリストＰＬ１、夕方用プレイリストＰＬ１、夜用プレイリストＰＬ１又は深夜用プレイリストＰＬ１を判別して、次のステップＳＰ１３３に移る。
【０２５３】
ステップＳＰ１３３において要求情報生成部５２は、再生部１１により、ユーザによって選択された特定チャンネルに対応付けられている朝用プレイリストＰＬ１、昼用プレイリストＰＬ１、夕方用プレイリストＰＬ１、夜用プレイリストＰＬ１及び深夜用プレイリストＰＬ１のうちの何れか１つが取得されているか否かを判別する。このステップＳＰ１３３において否定結果が得られると、このことは、ユーザにより特定チャンネルが選択された直後であり、当該特定チャンネルに対し朝用プレイリストＰＬ１、昼用プレイリストＰＬ１、夕方用プレイリストＰＬ１、夜用プレイリストＰＬ１及び深夜用プレイリストＰＬ１の何れも割り当てられてはいないことを表している。すなわち、かかる否定結果は、再生部１１により特定チャンネルに対応付けられている朝用プレイリストＰＬ１、昼用プレイリストＰＬ１、夕方用プレイリストＰＬ１、夜用プレイリストＰＬ１及び深夜用プレイリストＰＬ１が何れも取得されてはいないことを表している。従って要求情報生成部５２は、かかる否定結果を得ると、ステップＳＰ１３５に移る。
【０２５４】
この場合、ステップＳＰ１３５において要求情報生成部５２は、現在時刻（すなわち、ユーザにより特定チャンネルが選択された直後の時刻）に応じた朝用プレイリストＰＬ１、昼用プレイリストＰＬ１、夕方用プレイリストＰＬ１、夜用プレイリストＰＬ１又は深夜用プレイリストＰＬ１（すなわち、ステップＳＰ１３２で判別したプレイリストＰＬ１）をプレイリスト再構成部５０に通知する。プレイリスト再構成部５０は、要求情報生成部５２からの通知に応じて、現在時刻に応じた朝用プレイリストＰＬ１、昼用プレイリストＰＬ１、夕方用プレイリストＰＬ１、夜用プレイリストＰＬ１又は深夜用プレイリストＰＬ１を特定チャンネルに割り当てる。これにより再生部１１は、プレイリスト記憶部１６から特定チャンネルに割り当てられた朝用プレイリストＰＬ１、昼用プレイリストＰＬ１、夕方用プレイリストＰＬ１、夜用プレイリストＰＬ１又は深夜用プレイリストＰＬ１を読み出して取得し、次のステップＳＰ１３６に移る。
【０２５５】
従ってステップＳＰ１３６において再生部１１は、プレイリスト記憶部１６から取得した朝用プレイリストＰＬ１、昼用プレイリストＰＬ１、夕方用プレイリストＰＬ１、夜用プレイリストＰＬ１又は深夜用プレイリストＰＬ１に従いこれに登録されている複数の音楽データＤ１のうち何れか１つの音楽データＤ１の特徴位置からの再生を開始して、次のステップＳＰ１３７に移る。これにより再生部１１は、かかる再生契機プレイリスト再構成処理手順ＲＴ７を終了する。
【０２５６】
ところで要求情報生成部５２は、リスト利用再生機能の実行中にユーザにより特定チャンネルが選択されている間は、朝用プレイリストＰＬ１、昼用プレイリストＰＬ１、夕方用プレイリストＰＬ１、夜用プレイリストＰＬ１及び深夜用プレイリストＰＬ１に従い１つの音楽データＤ１に対する後尾位置までの再生が終了する（又は、再生音楽切替命令の入力に応じて再生を中断する）毎に、再生契機プレイリスト再構成処理手順ＲＴ７を開始している。そして要求情報生成部５２は、リスト利用再生機能の実行中に特定チャンネルが選択されたままの状態で再生契機プレイリスト再構成処理手順ＲＴ７を２回以上開始したときには、上述と同様にステップＳＰ１３１及びステップＳＰ１３２の処理を順次実行した後、次のステップＳＰ１３３に移る。
【０２５７】
この場合、ステップＳＰ１３３において要求情報生成部５２は、再生部１１によりプレイリスト記憶部１６から特定チャンネルに割り当てられた朝用プレイリストＰＬ１、昼用プレイリストＰＬ１、夕方用プレイリストＰＬ１、夜用プレイリストＰＬ１及び深夜用プレイリストＰＬ１のうちの何れか１つがすでに取得されていることにより、これに応じて肯定結果を得る。そして要求情報生成部５２は、かかる肯定結果を得ると、次のステップＳＰ１３４に移る。ステップＳＰ１３４において要求情報生成部５２は、この時点に再生部１により取得されているプレイリストＰＬ１が、現在時刻に応じた朝用プレイリストＰＬ１、昼用プレイリストＰＬ１、夕方用プレイリストＰＬ１、夜用プレイリストＰＬ１又は深夜用プレイリストＰＬ１とは異なるものであるか否かを判別する。
【０２５８】
このステップＳＰ１３４において否定結果が得られると、このことは現在時刻が１つ前の再生契機プレイリスト再構成処理手順ＲＴ７のステップＳＰ１３２で判別した時間帯に未だ含まれていることを表している。すなわち、かかる否定結果は、この時点に再生部１１によりプレイリスト記憶部１６から取得されているプレイリストＰＬ１が、現在時刻の含まれる時間帯に対応付けられている朝用プレイリストＰＬ１、昼用プレイリストＰＬ１、夕方用プレイリストＰＬ１、夜用プレイリストＰＬ１又は深夜用プレイリストＰＬ１と同じものであることを表している。従って要求情報生成部５２は、かかる否定結果を得ると、ステップＳＰ１３６に移る。
【０２５９】
これに対してステップＳＰ１３４において肯定結果が得られると、このことは現在時刻が１つ前の再生契機プレイリスト再構成処理手順ＲＴ７のステップＳＰ１３２で判別した時間帯から外れたことを表している。すなわち、かかる肯定結果は、この時点に再生部１１によりプレイリスト記憶部１６から取得されているプレイリストＰＬ１が、現在時刻の含まれる時間帯に対応付けられている朝用プレイリストＰＬ１、昼用プレイリストＰＬ１、夕方用プレイリストＰＬ１、夜用プレイリストＰＬ１又は深夜用プレイリストＰＬ１とは異なるものであることを表している。従って要求情報生成部５２は、かかる肯定結果を得ると、次のステップＳＰ１３５に移る。
【０２６０】
この場合、ステップＳＰ１３５において要求情報生成部５２は、現在時刻に応じた朝用プレイリストＰＬ１、昼用プレイリストＰＬ１、夕方用プレイリストＰＬ１、夜用プレイリストＰＬ１又は深夜用プレイリストＰＬ１（すなわち、ステップＳＰ１３２で判別したプレイリストＰＬ１）を示し、かつプレイリストＰＬ１の再構成を要求する再構成要求情報をプレイリスト再構成部５０に送出する。従ってプレイリスト再構成部５０は、要求情報生成部５２から与えられた再構成要求情報に応じて、特定チャンネルに対する朝用プレイリストＰＬ１、昼用プレイリストＰＬ１、夕方用プレイリストＰＬ１、夜用プレイリストＰＬ１及び深夜用プレイリストＰＬ１の割り当てを変更する。
【０２６１】
すなわちプレイリスト再構成部５０は、特定チャンネルに対し、すでに割り当てていた朝用プレイリストＰＬ１、昼用プレイリストＰＬ１、夕方用プレイリストＰＬ１、夜用プレイリストＰＬ１又は深夜用プレイリストＰＬ１に替えて、現在時刻を含む時間帯に対応付けられている朝用プレイリストＰＬ１、昼用プレイリストＰＬ１、夕方用プレイリストＰＬ１、夜用プレイリストＰＬ１又は深夜用プレイリストＰＬ１を割り当てなおす。これによりプレイリスト再構成部５０は、特定チャンネルに割り当てる朝用プレイリストＰＬ１、昼用プレイリストＰＬ１、夕方用プレイリストＰＬ１、夜用プレイリストＰＬ１及び深夜用プレイリストＰＬ１を装置使用状況（すなわち、装置使用時間帯）に応じて再構成する。そしてプレイリスト再構成部５０は、プレイリストＰＬ１の再構成を再生部１１に通知する。
【０２６２】
従って再生部１１は、プレイリスト記憶部１６から特定チャンネルに新たに割り当てられた朝用プレイリストＰＬ１、昼用プレイリストＰＬ１、夕方用プレイリストＰＬ１、夜用プレイリストＰＬ１又は深夜用プレイリストＰＬ１を読み出して取得する。すなわち、再生部１１は、音楽データＤ１の再生に利用するプレイリストＰＬ１を変更して、次のステップＳＰ１３６に移る。
【０２６３】
因みにステップＳＰ１３６において再生部１１は、前回の再生契機プレイリスト再構成処理手順ＲＴ７を実行していたときに、ユーザにより再生音楽切替命令が入力されていると、朝用プレイリストＰＬ１、昼用プレイリストＰＬ１、夕方用プレイリストＰＬ１、夜用プレイリストＰＬ１又は深夜用プレイリストＰＬ１に従いこれに登録されている複数の音楽データＤ１のうち何れか１つの音楽データＤ１の特徴位置からの再生を開始する。またステップＳＰ１３６において再生部１１は、前回の再生契機プレイリスト再構成処理手順ＲＴ７を実行していたときに、音楽データＤ１を後尾位置まで再生していると、朝用プレイリストＰＬ１、昼用プレイリストＰＬ１、夕方用プレイリストＰＬ１、夜用プレイリストＰＬ１又は深夜用プレイリストＰＬ１に従いこれに登録されている複数の音楽データＤ１のうち何れか１つの音楽データＤ１の先頭位置からの再生を開始する。
【０２６４】
このようにして要求情報生成部５２は、ユーザにより特定チャンネルが選択されたときには、当該特定チャンネルに対応付けられている朝用プレイリストＰＬ１、昼用プレイリストＰＬ１、夕方用プレイリストＰＬ１、夜用プレイリストＰＬ１及び深夜用プレイリストＰＬ１に従い音楽データＤ１の再生が開始される毎に、再生装置１０の装置使用状況である装置使用時間帯（すなわち、現在時刻が含まれる時間帯）を検出するようにして、装置使用時間帯が変化したことを検出したときに再構成要求情報を生成してプレイリスト再構成部５０に送出する。よってプレイリスト再構成部５０は、再生装置１０に対する装置使用時間帯の変化に応じてチャンネルに対するプレイリストＰＬ１の割り当てを単に切り替えるようにして、特定チャンネルに割り当てるプレイリスト（すなわち、朝用プレイリストＰＬ１、昼用プレイリストＰＬ１、夕方用プレイリストＰＬ１、夜用プレイリストＰＬ１及び深夜用プレイリストＰＬ１）を再構成することができる。
【０２６５】
その結果、プレイリスト再構成部５０は、再生契機プレイリスト再構成処理手順ＲＴ７を実行可能な場合、例えば再生装置１０が長時間に亘って（すなわち、複数の時間帯に亘って）連続的に使用され、かつその間ユーザにより特定チャンネルが選択されたままであると、当該再生装置１０に対する装置使用時間帯の変化に応じて、音楽データＤ１の再生に利用する朝用プレイリストＰＬ１、昼用プレイリストＰＬ１、夕方用プレイリストＰＬ１、夜用プレイリストＰＬ１及び深夜用プレイリストＰＬ１を自動的に再構成する（すなわち、切り替える）ことができる。従ってプレイリスト再構成部５０は、かかる構成の場合、ユーザに対し、音楽データＤ１の再生に利用するプレイリストＰＬ１を選択し直させるような特別な操作を何ら行わせることなく、再生装置１０の装置使用状況に応じて複数の朝用プレイリストＰＬ１、昼用プレイリストＰＬ１、夕方用プレイリストＰＬ１、夜用プレイリストＰＬ１及び深夜用プレイリストＰＬ１を適宜切り替えて利用させ、ユーザに対し装置使用時間帯に応じた多くの音楽を聴かせて楽しませることができる。
【０２６６】
ところで要求情報生成部５２は、再生装置１０において季節やイベントをそれぞれイメージさせる複数の音楽データＤ１を登録したプレイリストＰＬ１が保持されている場合でも、上述した再生契機プレイリスト再構成処理手順ＲＴ７とほぼ同様の処理を実行するようにして、音楽データＤ１の再生を開始する毎に現在時刻を検出することができる。そしてプレイリスト再構成部５０は、この際、要求情報生成部５２の検出結果に応じてプレイリストＰＬ１を、再生装置１０の装置使用季節や装置使用時期である装置使用状況に応じたプレイリスト生成規則を有するプレイリストＰＬ１に再構成することもできる。すなわちプレイリスト再構成部５０は、かかる構成の場合、ユーザに対し、音楽データＤ１の再生に利用するプレイリストＰＬ１を選択し直させるような特別な操作を何ら行わせることなく、再生装置１０の装置使用季節や装置使用時期に応じてプレイリストＰＬ１を適宜切り替えて、より多くの音楽を聴かせて楽しませることができる。
【０２６７】
また要求情報生成部５２は、再生装置１０においてリビング、寝室、会社、電車の中等の装置使用場所をそれぞれイメージさせる複数の音楽データＤ１を登録した複数のプレイリストＰＬ１を保持している場合、基本的には上述した再生契機プレイリスト再構成処理手順ＲＴ７と同様の処理を実行するものの、音楽データＤ１の再生が開始される毎に現在時刻に替えて再生装置１０に対する現在の装置使用場所を検出する。そしてプレイリスト再構成部５０は、この際、要求情報生成部５２の検出結果に応じてプレイリストＰＬ１を、再生装置１０の装置使用場所に応じたプレイリスト生成規則を有するプレイリストＰＬ１に再構成することもできる。これによりプレイリスト再構成部５０は、再生装置１０が携帯型音楽再生装置のように持ち運ばれながら使用され、又は再生装置１０の設置場所が変更された場合、ユーザに対し、音楽データＤ１の再生に利用するプレイリストＰＬ１を選択し直させるような特別な操作を何ら行わせることなく、当該再生装置１０の装置使用場所である装置使用状況に応じてプレイリストＰＬ１を適宜切り替えて、より多くの音楽を聴かせて楽しませることができる。
【０２６８】
さらに上述した第１の実施の形態においては、ユーザや外部装置１５の要求に応じて再構成対象のプレイリストＰＬ１を新たなプレイリストに再構成するようにした場合について述べたが、本発明はこれに限らず、例えば１ヶ月や数ヶ月単位のような時間の経過に応じて再構成対象のプレイリストＰＬ１を新たなプレイリストに再構成するようにしても良い。
【０２６９】
さらに上述した第１の実施の形態においては、音楽データＤ１を先頭位置や特徴位置の何れから再生したときでも再生回数を１回増やしてデータ再生履歴を更新するようにした場合について述べたが、本発明はこれに限らず、音楽データＤ１を特徴位置から所定時間以上再生したときや当該特徴位置よりも前の部分を再生したときに再生回数を１回増やしてデータ再生履歴を更新するようにしても良い。これにより再生装置１０では、ユーザにより所望の音楽を探すために比較的素早く音楽データＤ１の再生が切り替えられ、実際にはほとんど聴かれていない音楽についてデータ再生履歴が更新されることを回避することができ、その結果、データ再生履歴に対しユーザによる好みの音楽を聴くための再生回数をほぼ的確に反映させることができる。
【０２７０】
さらに上述した第１の実施の形態においては、チャンネルとして選択されたプレイリストＰＬ１に従い音楽データＤ１を再生すると、当該再生した音楽データＤ１の数にかかわらずにプレイリストＰＬ１の利用回数を１回増やしてリスト利用履歴を更新するようにした場合について述べたが、本発明はこれに限らず、チャンネルとして選択されたプレイリストＰＬ１に従い少なくとも１つの音楽データＤ１を例えば特徴位置から所定時間以上再生したときや当該特徴位置よりも前の部分を再生したときに当該プレイリストＰＬ１の利用回数を１回増やしてリスト利用履歴を更新するようにしても良い。これにより再生装置１０では、ユーザにより所望の音楽を探すために比較的素早くチャンネルとしてプレイリストＰＬ１が切り替えられ、実際には再生処理した音楽がほとんど聴かれてはいないにもかかわらずにリスト利用履歴が更新されることを回避することができ、その結果、リスト利用履歴に対しユーザによる好みの音楽等を聴くための利用回数をほぼ的確に反映させることができる。
【０２７１】
さらに上述した第１の実施の形態においては、再構成対象のプレイリストＰＬ１を新たなプレイリストに再構成するとき、当該再構成対象のプレイリストＰＬ１のプレイリスト生成規則に対しデータ検索キーを追加するようにした場合について述べたが、本発明はこれに限らず、各プレイリスト生成規則において比較的多くのデータ検索キーを使用するようにしておき、再構成対象のプレイリストＰＬ１を新たなプレイリストに再構成するときには、当該再構成対象のプレイリストＰＬ１のプレイリスト生成規則からデータ再生履歴やリスト利用履歴に応じてデータ検索キーを減らすようにしても良い。
【０２７２】
さらに上述した第１の実施の形態においては、外部装置１５から提示音楽リストを利用する再構成が要求されたとき、外部装置１５で記憶保持している複数の提示音楽データの中から、再構成したプレイリスト生成規則に合致した複数の提示音楽データを検索するようにして新たなプレイリストを生成するようにした場合について述べたが、本発明はこれに限らず、外部装置１５から提示音楽リストを利用する再構成が要求されたとき、外部装置１５で記憶保持している複数の提示音楽データと、再生装置１０のコンテンツデータ記憶部１３に記憶している複数の音楽データＤ１との中から、再構成したプレイリスト生成規則に合致した複数の提示音楽データ及び音楽データＤ１を検索するようにして新たなプレイリストを生成するようにしても良い。
【０２７３】
さらに上述した第１の実施の形態においては、ユーザによるチャンネルや音楽データＤ１の切り替えの要求に応じてプレイリストＰＬ１及びＰＬ２に従い音楽データＤ１の特徴位置から後尾位置まで再生するようにした場合について述べたが、本発明はこれに限らず、例えば音楽データＤ１に対する音楽の特徴部分に相当する区間を示す情報を保持しておき、ユーザによるチャンネルや音楽データＤ１の切り替えの要求に応じてプレイリストＰＬ１及びＰＬ２に従い音楽データＤ１を特徴位置から特徴部分に相当する区間の終了位置まで再生するようにしても良い。
【０２７４】
（２）第２の実施の形態
（２−１）第２の実施の形態による再生装置の概要
図２８において、１００は第２の実施の形態による再生装置を示す。かかる再生装置１００において再生部１０１は、受信される試聴用コンテンツデータを再生する。また再生装置１００において通信制御部１０２は、試聴用コンテンツデータに対応するコンテンツデータを取得要求する取得要求入力に応じて、再生部１０１による試聴用コンテンツデータの再生を維持しながら、コンテンツデータを取得要求する取得要求情報を外部装置１０３に送信して、当該外部装置１０３から取得要求情報に応じた返信情報をダウンロードする。かかる構成により再生装置１００は、試聴用コンテンツデータを再生している途中で、当該試聴用コンテンツデータに対応するコンテンツデータが取得要求されても、試聴用コンテンツデータに基づく試聴用コンテンツの試聴を当該試聴用コンテンツデータの再生が完了するまで継続させることができ、かくして試聴コンテンツの試聴を充分に楽しませることができる。
【０２７５】
（２−２）第２の実施の形態による再生装置の詳細構成
次いで図２９を用いて、再生装置１１０の機能回路ブロックによる詳細なハードウェア構成を説明する。かかる再生装置１１０において操作部１１１は、例えば図３との対応部分に同一符号を付した図３０に示すように、再構成要求ボタンＲＭ１Ｃの替わりにお気に入りボタンＲＭ２Ａが設けられたことを除いて上述した第１の実施の形態のリモートコントローラＲＭ１と同様構成のリモートコントローラＲＭ２を有している。
【０２７６】
そして選択部１１２は、ユーザによる操作部１１１（すなわち、リモートコントローラＲＭ２）の操作に応じて媒体再生機能選択命令が与えられると、媒体再生機能を起動する。再生部１１３は、媒体再生機能が起動されると、再生装置１１０に装填された記録媒体から、これに予め記録されている音楽データを再生し音楽として出力する。これにより再生部１１３は、ユーザに対し再生した音楽データに基づく音楽を聴かせることができるようになされている。また選択部１１２は、ユーザによる操作部１１１（すなわち、リモートコントローラＲＭ２）の操作に応じて録音機能選択命令が与えられると、録音機能を起動する。再生部１１３は、録音機能が起動されると、記録媒体から音楽データを読み出し所定の圧縮符号化方式で圧縮符号化してコンテンツデータ記憶部１１４に送出する。これによりコンテンツデータ記憶部１１４は、再生部１１３から与えられた所定フォーマットの音楽データを記憶する。
【０２７７】
これに加えて通信制御部１１５は、ネットワークＮＴ上の外部装置１１６と通信し得るようになされている。ここで外部装置１１６は、再生装置１１０に対し音楽データ等の種々のデータや各種情報等を、より的確に送信するためのＴＣＰ／ＩＰ（Transmission Control Protocol/Internet Protocol ）に従った第１の送信形態と、より高速に送信するためのＵＤＰ／ＩＰ（User Datagram Protocol/Internet Protocol）に従った第２の送信形態との何れの送信形態でも送信し得るようになされている。そして外部装置１１６は、再生装置１１０により種々のデータや各種情報が、一時的や永続的に保存することを目的として要求されたときには、第１の送信形態でこれら種々のデータや各種情報を送信している。また外部装置１１６は、再生装置１１０により音楽データがストリーミング再生を目的として要求されたときには、第２の送信形態で音楽データを送信している。
【０２７８】
従って選択部１１２は、ユーザによる操作部１１１（すなわち、リモートコントローラＲＭ２）の操作に応じて、音楽データをダウンロードするように要求するダウンロード要求が与えられると、ダウンロードが要求されたことと、ダウンロード対象の音楽データとを通信制御部１１５に通知する。これにより通信制御部１１５は、かかる通知に応じてダウンロード要求情報を生成し、当該生成したダウンロード要求情報をネットワークＮＴ上の外部装置１１６に送信する。その結果、通信制御部１１５は、外部装置１１６から第１の送信形態でダウンロード対象の所定フォーマットの音楽データが送信されると、その音楽データをダウンロードしてコンテンツデータ記憶部１１４に送出する。これによりコンテンツデータ記憶部１１４は、外部装置１１６からダウンロードされた音楽データを記憶する。
【０２７９】
また選択部１１２は、ユーザによる操作部１１１（すなわち、リモートコントローラＲＭ２）の操作に応じて音楽データをストリーミング再生することを要求するストリーミング再生要求が与えられると、ストリーミング再生が要求されたことと、ストリーミング再生対象の音楽データとを通信制御部１１５に通知する。これにより通信制御部１１５は、かかる通知に応じてストリーミング要求情報を生成し、当該生成したストリーミング要求情報をネットワークＮＴ上の外部装置１１６に送信する。その結果、通信制御部１１５は、外部装置１１６から第２の送信形態で所定フォーマットの音楽データが送信されると、その音楽データを受信しながら再生部１１３に送出する。これにより再生部１１３は、通信処理部１１３から与えられる音楽データをストリーミング再生する。
【０２８０】
ここでコンテンツデータ記憶部１１４には、図４について上述した場合と同様構成のコンテンツデータベースＣＤＢ１が構築され、そのコンテンツデータベースＣＤＢ１に対し、録音機能で記録媒体から読み出された複数の音楽データＤ１や、外部装置１１６からダウンロードされた複数の音楽データＤ１を含む複数の音楽データ管理情報ＣＡを記憶している。またコンテンツデータ記憶部１１４は、図４について上述した場合と同様構成のチャンネルリストＣＬや複数のプレイリストＰＬ１も記憶している。
【０２８１】
そして選択部１１２は、ユーザにより操作部１１１（すなわち、リモートコントローラＲＭ２）を介してリスト利用再生機能が選択されると、これに応じてリスト利用再生機能を起動する。因みに選択部１１２は、再生装置１１０の動作停止状態（すなわち、電源がオフの状態）で操作部１１１を介してリスト利用再生機能が選択されると、これに応じて再生装置１１０が起動される（すなわち、電源がオンの状態になる）ことにより、その起動に合わせてリスト利用再生機能を起動する。また選択部１１２は、他の機能を実行している状態で操作部１１１を介してリスト利用再生機能が選択されると、これに応じて当該他の機能から切り替えてリスト利用再生機能を起動する。
【０２８２】
ところで選択部１１２は、リスト利用再生機能を終了する毎に、当該リスト利用再生機能の終了時に（すなわち、最後に）ユーザにより選択されていたチャンネルのチャンネル番号ＣＮを更新して保持している。また選択部１１２は、リスト利用再生機能の起動初期の（すなわち、最初の）選択用に予め選定されたチャンネルのチャンネル番号ＣＮも保持している。そして選択部１１２は、リスト利用再生機能の起動初期には、前回のリスト利用再生機能の終了時に選択されていたチャンネルと、予め選定されたチャンネルとの何れか一方を自動的に選択するように設定されている。すなわち選択部１１２は、かかる設定の内容に応じて、前回のリスト利用再生機能の終了時に選択されていたチャンネルのチャンネル番号ＣＮと、予め選定されたチャンネルのチャンネル番号ＣＮとの何れか一方を、リスト利用再生機能を起動する毎に自動的に選択する起動初期使用チャンネル番号としている。
【０２８３】
従って選択部１１２は、リスト利用再生機能を起動すると、コンテンツデータ記憶部１１４からチャンネルリストＣＬを読み出すと共に、起動初期使用チャンネル番号のチャンネルを自動的に選択し、当該選択したチャンネル（すなわち、起動初期使用チャンネル番号）を再生部１１３に通知する。これにより再生部１１３は、コンテンツデータ記憶部１１４から、選択部１１２により選択されたチャンネルに割り当てられているプレイリストＰＬ１を読み出す。因みに再生部１１３は、このときコンテンツデータ記憶部１１４から読み出したプレイリストＰＬ１が外部装置１１６に記憶保持されている他のプレイリストＰＬ２を指定していると、その指定に応じて（すなわち、リスト属性情報ＬＡＴ内の形式情報ＬＴに応じて）、当該他のプレイリストＰＬ２を、通信制御部１１５を介して外部装置１１６に要求する。これにより再生部１１３は、外部装置１１６から返信され通信制御部１１５によりダウンロードされた他のプレイリストＰＬ２を取り込む。
【０２８４】
そして再生部１１３は、プレイリストＰＬ１及びＰＬ２に登録されている再生すべき音楽データＤ１がコンテンツデータ記憶部１１４に記憶されていると、当該プレイリストＰＬ１及びＰＬ２に格納されている音楽登録情報ＴＲ内のコンテンツ識別情報（以下、このコンテンツ識別情報を、音楽データＤ１の記憶場所を指示して再生可能にする情報であるためコンテンツ指示情報と呼ぶ）ＭＩＤに従い、対応する音楽データＤ１及びデータ関連情報ＤＲＥをコンテンツデータ記憶部１１４から読み出す。これにより再生部１１３は、データ関連情報ＤＲＥに含まれている特徴位置情報ＳＰに従って音楽データＤ１に対する特徴位置からの再生を開始する。このようにして再生部１１３は、ユーザに対し音楽データＤ１に基づく音楽を特徴部分の頭から試聴させる。
【０２８５】
因みに再生部１１３は、プレイリストＰＬ１及びＰＬ２に登録されている再生すべき音楽データＤ１が外部装置１１６に記憶保持されている場合には、当該プレイリストＰＬ１及びＰＬ２に格納されている音楽登録情報ＴＲ内のコンテンツ指示情報ＭＩＤに従い、対応する音楽データＤ１及びデータ関連情報ＤＲＥを、通信制御部１１５を介して外部装置１１６に要求する。これにより再生部１１３は、外部装置１１６から返信され通信制御部１１５により受信されている音楽データＤ１を取り込みながら、そのとき受信されたデータ関連情報ＤＲＥに含まれている特徴位置情報ＳＰに従い、当該音楽データＤ１に対する特徴位置からのストリーミング再生を開始して、ユーザに対し音楽を特徴部分の頭から試聴させる。
【０２８６】
また選択部１１２は、ユーザによる操作部１１１の操作に応じて、チャンネルを切り替えるチャンネル切替命令が与えられると、チャンネルリストＣＬと、現在選択しているチャンネルのチャンネル番号ＣＮとに基づき、新たなチャンネルを選択し、当該選択したチャンネル（すなわち、新たに選択したチャンネルのチャンネル番号ＣＮ）を再生部１１３に通知する。再生部１１３は、音楽データＤ１に対する特徴位置からの再生途中に、選択部１１２から新たに選択したチャンネルが通知されると、当該選択されたチャンネルに応じて、上述と同様にコンテンツデータ記憶部１１４又は外部装置１１６から新たなプレイリストＰＬ１及びＰＬ２を読み出す。そして再生部１１３は、その新たなプレイリストＰＬ１及びＰＬ２に従いコンテンツデータ記憶部１１４又は外部装置１１６から音楽データＤ１及びデータ関連情報ＤＲＥを読み出して、その時点の音楽データＤ１の再生を中断すると共に、当該読み出した音楽データＤ１に対する特徴位置からの再生を開始する。
【０２８７】
このようにして選択部１１２は、ユーザによりチャンネルの切り替えが要求される毎（すなわち、チャンネル切替命令が入力される毎）に、再生部１１３により、切替後のチャンネルに割り当てられたプレイリストＰＬ１及びＰＬ２に従い、これに登録されている音楽データＤ１を特徴位置から再生させる。これにより選択部１１２は、ユーザに対し、プレイリストＰＬ１及びＰＬ２に従い音楽データＤ１に基づく音楽を特徴部分の頭から実際に試聴させて、音楽データＤ１の再生に利用するプレイリストＰＬ１及びＰＬ２を選択させることができる。
【０２８８】
さらに選択部１１２は、ユーザによる操作部１１１の操作に応じて、再生する音楽データＤ１を切り替える再生音楽切替命令が与えられると、これを再生部１１３に通知する。この場合、再生部１１３は、音楽データＤ１に対する特徴位置からの再生途中に選択部１１２から音楽データＤ１を切り替えるように通知されると、これに応じて、その時点に選択されているプレイリストＰＬ１及びＰＬ２に従い、上述と同様にコンテンツデータ記憶部１１４又は外部装置１１６から新たに音楽データＤ１及びデータ関連情報ＤＲＥを読み出して、その時点の音楽データＤ１の再生を中断すると共に、当該新たに読み出した音楽データＤ１に対する特徴位置からの再生を開始する。これにより再生部１１３は、ユーザからの要求に応じて、プレイリストＰＬ１及びＰＬ２に従い、再生する音楽データＤ１を切り替える。
【０２８９】
このようにして選択部１１２は、ユーザにより音楽データＤ１の切り替えが要求される毎（すなわち、再生音楽切替命令が入力される毎）に、再生部１１３により、切替後の音楽データＤ１を特徴位置から再生させる。これにより選択部１１２は、ユーザに対し、プレイリストＰＬ１及びＰＬ２に従い音楽データＤ１に基づく音楽を特徴部分の頭から実際に試聴させて、当該プレイリストＰＬ１及びＰＬ２に従い再生可能な複数の音楽データＤ１の中から、所望の音楽データＤ１を選択（すなわち、検索）させることができる。
【０２９０】
そして選択部１１２は、ユーザによる操作部１１１の操作に応じて、現在再生中の音楽データＤ１を所望の音楽データＤ１として選択決定する音楽選択決定命令が与えられると、これを再生部１１３に通知する。この場合、再生部１１３は、音楽データＤ１に対する特徴位置からの再生途中に、選択部１１２から現在再生中の音楽データＤ１に対する選択決定が通知されると、これに応じて、当該音楽データＤ１の再生を一旦停止すると共に、改めてその音楽データＤ１に対する先頭位置からの再生を開始する。このようにして選択部１１２は、ユーザにより所望の音楽データＤ１が選択決定されると、これに応じて当該所望の音楽データＤ１に基づく音楽の全体を聴取させることができる。因みに再生部１１３は、かかる音楽データＤ１の先頭位置からの再生が終了すると、その時点に選択されているプレイリストＰＬ１及びＰＬ２に従い、上述と同様にコンテンツデータ記憶部１１４又は外部装置１１６から新たに音楽データＤ１及びデータ関連情報ＤＲＥを読み出すと共に、当該読み出した新たな音楽データＤ１に対する先頭位置からの再生を開始する。
【０２９１】
ところで再生部１１３は、音楽データＤ１に対する特徴位置からの再生途中に、選択部１１２から何ら通知されず（すなわち、ユーザにより何ら要求されず）、当該音楽データＤ１の特徴位置から後尾位置までの再生が終了すると、その時点に選択されているプレイリストＰＬ１及びＰＬ２に従い、上述と同様にコンテンツデータ記憶部１１４又は外部装置１１６から新たに音楽データＤ１及びデータ関連情報ＤＲＥを読み出す。そして再生部１１３は、新たな音楽データＤ１に対する先頭位置からの再生を開始する。
【０２９２】
このようにして選択部１１２は、再生部１１３により、特徴位置から再生を開始した音楽データＤ１が後尾位置まで再生されて、当該音楽データＤ１の再生が終了すると、ユーザにより、プレイリストＰＬ１及びＰＬ２に登録されている複数の音楽データＤ１に基づく複数の音楽を聴取するように要求されたものとみなす。そして選択部１１２は、再生部１１３により、現在選択されているプレイリストＰＬ１及びＰＬ２に従い複数の音楽データＤ１の全体を順次再生させて複数の音楽の全体を連続して聴取させることができる。因みに再生部１１３は、１つのプレイリストＰＬ１及びＰＬ２に従い音楽データＤ１を特徴位置や先頭位置から順次再生する場合、当該プレイリストＰＬ１及びＰＬ２に格納されている複数の音楽登録情報ＴＲを、これに適用された通常再生形態又はシャッフル再生形態に応じた並びに従って、あたかも先頭と後尾とを繋げた環状にする。これにより再生部１１３は、１つのプレイリストＰＬ１及びＰＬ２に登録されている複数の音楽データＤ１を循環的に再生し得るようになされている。
【０２９３】
さらに再生部１１３は、音楽データＤ１に対する先頭位置からの再生途中に、選択部１１２から新たに選択したチャンネルが通知されると、これに応じて、上述と同様にコンテンツデータ記憶部１１４又は外部装置１１６から新たなプレイリストＰＬ１及びＰＬ２を読み出すことにより、音楽データＤ１の再生に利用するプレイリストＰＬ１及びＰＬ２を切り替える。そして再生部１１３は、上述と同様に、新たなプレイリストＰＬ１及びＰＬ２に従いコンテンツデータ記憶部１１４又は外部装置１１６から音楽データＤ１及びデータ関連情報ＤＲＥを読み出して、その時点の音楽データＤ１の再生を中断すると共に、当該読み出した音楽データＤ１に対する特徴位置からの再生を開始する。
【０２９４】
このようにして選択部１１２は、再生部１１３により、ユーザによって選択されたプレイリストＰＬ１及びＰＬ２に従い複数の音楽データＤ１を再生させていても、音楽データＤ１の再生に利用するプレイリストＰＬ１及びＰＬ２を切り替えるように要求されると、これに応じて再生部１１３に対し、かかる再生を中断させて新たなプレイリストＰＬ１及びＰＬ２に従い音楽データＤ１を特徴位置から再生させる。これにより選択部１１２は、ユーザに対し、その時点まで音楽データＤ１の再生に利用していたプレイリストＰＬ及びＰＬ２とは異なる他のプレイリストＰＬ１及びＰＬ２に従い音楽を特徴部分の頭から実際に試聴させて、音楽データＤ１の再生に利用する新たなプレイリストＰＬ１及びＰＬ２を選択させることができる。
【０２９５】
さらにまた再生部１１３は、音楽データＤ１に対する先頭位置からの再生途中に、選択部１１２から音楽データＤ１を切り替えるように通知されると、その時点に選択されているプレイリストＰＬ１及びＰＬ２に従い、上述と同様にコンテンツデータ記憶部１１４又は外部装置１１６から新たに音楽データＤ１及びデータ関連情報ＤＲＥを読み出して、その時点の音楽データＤ１の再生を中断すると共に、当該新たに読み出した音楽データＤ１に対する特徴位置からの再生を開始する。
【０２９６】
このようにして選択部１１２は、再生部１１３により、音楽データＤ１が先頭位置から再生されていても、ユーザにより音楽データＤ１の切り替えが要求されると、これに応じて、再生部１１３に対し、再生する音楽データＤ１を切り替えさせる。これにより選択部１１２は、ユーザに対し、その時点に選択されているプレイリストＰＬ１及びＰＬ２に従い新たな音楽を特徴部分の頭から実際に試聴させて、所望の音楽データＤ１を改めて選択（すなわち、検索）させることができる。
【０２９７】
ところで１つのプレイリストＰＬ１及びＰＬ２には、これに登録されている複数の音楽データＤ１が再生装置１１０のコンテンツデータ記憶部１１４と外部装置１１６との何れに記憶保持されていても、これら音楽データＤ１の記録場所を指示するコンテンツ指示情報ＭＩＤが格納されている。このため再生部１１３は、選択部１１２から、再生する音楽データＤ１を切り替えるように通知されたとき、１つのプレイリストＰＬ１及びＰＬ２内のコンテンツ指示情報ＭＩＤに従い再生用に新たな音楽データＤ１を迅速に要求することができる。これにより再生部１１３は、１つのプレイリストＰＬ１及びＰＬ２に従い、例えばコンテンツデータ記憶部１１４から読み出して再生していた音楽データＤ１を、外部装置１１６から受信してストリーミング再生する音楽データＤ１に切り替える場合（その逆の場合）でも、当該コンテンツデータ記憶部１１４から読み出して再生していた音楽データＤ１に続けて、外部装置１１６から受信した音楽データＤ１のストリーミング再生を連続的（すなわち、シームレス）に実行することができる。
【０２９８】
また選択部１１２は、リスト利用再生機能を起動すると、チャンネルリストＣＬに格納されている全てのチャンネル番号ＣＮをその並びと共に表示制御部１１７に通知している。一方、再生部１１３は、コンテンツデータ記憶部１１４や外部装置１１６からプレイリストＰＬ１及びＰＬ２を取得する毎に、当該取得したプレイリストＰＬ１及びＰＬ２を表示制御部１１７に送出する。また再生部１１３は、コンテンツデータ記憶部１１４や外部装置１１６から音楽データＤ１と共にデータ関連情報ＤＲＥを取得する毎に、そのデータ関連情報ＤＲＥに含まれるデータ属性情報ＤＡＴも表示制御部１１７に送出する。
【０２９９】
これにより表示制御部１１７は、リスト利用再生機能の起動に合わせて、選択部１１２により選択されたチャンネル（すなわち、起動初期使用チャンネル番号）やチャンネルリストＣＬに格納されているチャンネル番号ＣＮ及びその並び、さらに再生部１１３から与えられたプレイリストＰＬ１及びＰＬ２やデータ属性情報ＤＡＴに基づき、チャンネル及び音楽データＤ１を選択させるための選択画面データを生成する。そして表示制御部１１７は、かかる選択画面データを表示部１１８に送出することにより、当該表示部１１８に対し選択画面データに基づき、図５について上述した選択画面２０と同様構成の図３１に示すような選択画面１２０を表示する。
【０３００】
すなわち、選択画面１２０は、画面左側に設けられたチャンネル選択領域２１に、第１及び第２のマークＭ１及びＭ２が表示されている。従って選択画面１２０は、例えばリモートコントローラＲＭ２において、第１のマークＭ１と形状及び向きが同一な上方向選択ボタンＲＭ１Ｆを押下操作すれば、チャンネル番号ＣＮをチャンネルリストＣＬに格納されているチャンネル番号ＣＮの並びに従い１小さいチャンネル番号ＣＮに切り替えるようにして、所望のチャンネルを選択し得ることを直感的に認識させ得るようになされている。また選択画面１２０は、例えばリモートコントローラＲＭ２において、第２のマークＭ２と形状及び向きが同一な下方向選択ボタンＲＭ１Ｇを押下操作すれば、チャンネル番号ＣＮを、チャンネルリストＣＬに格納されているチャンネル番号ＣＮの並びに従い１大きいチャンネル番号ＣＮに切り替えるようにして、所望のチャンネルを選択し得ることを直感的に認識させ得るようになされている。
【０３０１】
さらに選択画面１２０は、画面右側の音楽選択領域２２に第３及び第４のマークＭ３及びＭ４が表示されている。これにより選択画面１２０は、例えばリモートコントローラＲＭ２において、第３のマークＭ３と形状及び向きが同一な左方向選択ボタンＲＭ１Ｈを押下操作すれば、再生する音楽データＤ１を、現在選択中のプレイリストＰＬ１及びＰＬ２に従い１つ前の音楽データＤ１に戻すように切り替えて選択し得ることを直感的に認識させ得るようになされている。また選択画面１２０は、例えばリモートコントローラＲＭ２において、第４のマークＭ４と形状及び向きが同一な右方向選択ボタンＲＭ１Ｉを押下操作すれば、再生する音楽データＤ１を、現在選択中のプレイリストＰＬ１及びＰＬ２に従い１つ後の音楽データＤ１に送るように切り替えて選択し得ることを直感的に認識させ得るようになされている。
【０３０２】
このようにチャンネルの切り替えについては、チャンネルリストＣＬに格納されているチャンネル番号ＣＮの並びに沿った切替方向がある。このため選択部１１２は、表示制御部１１７により表示部１１８に選択画面１２０が表示された状態で、リモートコントローラＲＭ２の上方向選択ボタンＲＭ１Ｆ及び下方向選択ボタンＲＭ１Ｇが押下操作されチャンネル切替命令が入力されると、チャンネルリストＣＬと、現在選択していたチャンネルのチャンネル番号ＣＮと、そのとき押下操作された上方向選択ボタンＲＭ１Ｆ又は下方向選択ボタンＲＭ１Ｇに応じた切替方向とに基づいて新たなチャンネルを選択する。因みに選択部１１２は、この際、チャンネルリストＣＬに登録されている複数のチャンネル番号ＣＮを、これらの先頭と後尾とを繋げた環のように扱うことにより、チャンネルを循環的に切り替えるようになされている。
【０３０３】
そして選択部１１２は、その選択したチャンネル（すなわち、新たに選択したチャンネルのチャンネル番号ＣＮ）を再生部１１３に通知する。従って再生部１１３は、このとき選択部１１２の通知に応じて取得したプレイリストＰＬ１及びＰＬ２及びデータ属性情報ＤＡＴを表示制御部１１７に送出する。これにより表示制御部１１７は、選択部１１２により選択されたチャンネルに応じて再生部１１３から与えられたプレイリストＰＬ１及びＰＬ２とデータ属性情報ＤＡＴとに基づき、表示部１１８に表示した選択画面１２０においてチャンネル選択領域２１及び音楽選択領域２２の表示内容を更新する。このようにして表示制御部１１７は、ユーザに対し選択画面１２０内のチャンネル番号ＣＮやリスト名２６等を目視確認させながら所望のプレイリストＰＬ１及びＰＬ２を選択させることができる。
【０３０４】
また音楽データＤ１の切り替えについても、プレイリストＰＬ１及びＰＬ２に従った音楽データＤ１の再生の並びに沿う切替方向がある。このため選択部１１２は、表示制御部１１７により表示部１１８に選択画面１２０が表示された状態で、リモートコントローラＲＭ２の左方向選択ボタンＲＭ１Ｈ及び右方向選択ボタンＲＭ１Ｉが押下操作され再生音楽切替命令が入力されると、そのとき押下操作された左方向選択ボタンＲＭ１Ｈ及び右方向選択ボタンＲＭ１Ｉに基づき、再生用に選択する音楽データＤ１の切り替えが命令されたこと及びその切替方向を再生部１１３に通知する。従って再生部１１３は、このとき選択部１１２の通知に応じて、再生用に選択された音楽データＤ１のコンテンツ指示情報ＭＩＤを判別し、そのコンテンツ指示情報ＭＩＤに従って取得したデータ属性情報ＤＡＴを表示制御部１１７に送出する。
【０３０５】
これにより表示制御部１１７は、再生部１１３から与えられたデータ属性情報ＤＡＴに基づき、表示部１１８に表示した選択画面１２０において音楽選択領域２２の表示内容を更新する。このようにして表示制御部１１７は、ユーザに対し選択画面１２０内の音楽タイトル３０やアーティスト名３１等を目視確認させながら音楽データＤ１を選択させることができる。
【０３０６】
また選択部１１２は、ユーザにより現在再生中の音楽データＤ１が選択決定されると、これを表示制御部１１７に通知する。この場合、表示制御部１１７は、表示部１１８に対し選択画面１２０を表示している状態で、選択部１１２から音楽データＤ１の選択決定が通知されると、そのとき再生部１１３から与えられていたプレイリストＰＬ１及びＰＬ２（すなわち、その時点に選択されているプレイリストＰＬ１及びＰＬ２）とデータ属性情報ＤＡＴ（すなわち、現在再生中の音楽データＤ１に対応するデータ属性情報ＤＡＴ）とに基づき、再生中の音楽データＤ１を通知するための再生画面データを生成する。そして表示制御部１１７は、かかる再生画面データを表示部１１８に送出することにより、当該表示部１１８に対し再生画面データに基づき、図６について上述した再生画面４０と同様構成の図３２に示すような再生画面１２１を表示する。
【０３０７】
そして表示制御部１１７は、表示部１１８に再生画面１２１を表示した状態で、プレイリストＰＬ１及びＰＬ２に従い再生する音楽データＤ１が切り替わると、そのとき再生部１１３から与えられるデータ属性情報ＤＡＴに基づき再生画面１２１の再生音楽通知領域４２に対する表示内容を更新する。これにより表示制御部１１７は、ユーザに対し再生画面１２１の表示内容により、現在再生中の音楽データＤ１に対応する音楽タイトル４５やアーティスト名４６等を確認させることができると共に、その音楽データＤ１の再生に利用しているプレイリストＰＬ１及びＰＬ２についても容易に確認させることができる。
【０３０８】
ところで再生部１１３は、音楽データＤ１に対する特徴位置からの再生を開始する毎に内部のタイマを一旦リセットして再生時間を計時している。そして再生部１１３は、音楽データＤ１に対する特徴位置からの再生時間が、予め選定された所定時間（かかる所定時間は、音楽データＤ１に対する特徴位置から後尾位置までの再生に要する時間よりも短い時間である）に達するまでの間に、選択部１１２から何ら通知されない（すなわち、ユーザにより何ら要求されない）ときには、当該再生時間が所定時間に達した時点に、音楽データＤ１を特徴位置から所定時間再生したことを表示制御部１１７に通知する。そして表示制御部１１７は、再生部１１３により音楽データＤ１を特徴位置から所定時間再生したことが通知されると、そのとき表示部１１８に表示していた選択画面１２０を自動的に再生画面１２１に切り替える。
【０３０９】
また表示制御部１１７は、表示部１１８に再生画面１２１を表示した状態で、再生部１１３から新たなプレイリストＰＬ１及びＰＬ２と共にデータ属性情報ＤＡＴが与えられると（すなわち、ユーザにより選択するチャンネルを切り替えるように命令されると）、そのプレイリストＰＬ１及びＰＬ２とデータ属性情報ＤＡＴとに基づき選択画面データを生成することにより、表示部１１８に対し再生画面１２１に替えて再び選択画面１２０を表示する。さらに表示制御部１１７は、表示部１１８に再生画面１２１を表示した状態で、再生部１１３から新たなデータ属性情報ＤＡＴか与えられると（すなわち、ユーザにより再生する音楽データＤ１を切り替えるように命令されると）、そのデータ属性情報ＤＡＴに基づき選択画面データを生成することにより、表示部１１８に対し再生画面１２１に替えて再び選択画面１２０を表示する。
【０３１０】
これにより図７について上述した場合と同様に、表示制御部１１７は、リスト利用再生機能が起動されると、表示部１１８に対し選択画面１２０を表示する。この状態で表示制御部１１７は、ユーザによるチャンネルの切り替えや音楽データＤ１の切り替えの要求に応じて、再生部１１３によって音楽データＤ１が特徴位置から再生されると、当該特徴位置から再生される音楽データＤ１に応じて、選択画面１２０の表示内容を更新する。また表示制御部１１７は、表示部１１８に対し選択画面１２０を表示している状態で、再生部１１３により、音楽データＤ１が特徴位置から所定時間再生されたこと、また選択部１１２により、再生中の音楽データＤ１が所望の音楽データＤ１として選択決定されたことが通知されると、これに応じて表示部１１８に対し、選択画面１２０から再生画面１２１へと切り替えて表示する。
【０３１１】
そして表示制御部１１７は、表示部１１８に対し再生画面１２１を表示している状態で、再生部１１３により、音楽データＤ１が先頭位置から再生されると、当該先頭位置から再生される音楽データＤ１に応じて再生画面１２１の表示内容を更新する。ところで表示制御部１１７は、表示部１１８に対し再生画面１２１を表示している状態で、ユーザによるチャンネルの切り替えや音楽データＤ１の切り替えの要求に応じて、再生部１１３によって音楽データＤ１が特徴位置から再生されると、表示部１１８に対し再生画面１２１から選択画面１２０へと切り替えて表示する。このようにして表示制御部１１７は、チャンネルや音楽データＤ１の切り替え等に応じて、表示部１１８に表示する選択画面１２０や再生画面１２１の表示内容を更新し、また選択画面１２０及び再生画面１２１を切り替えて表示する。これにより表示制御部１１７は、ユーザに対しこれら選択画面１２０や再生画面１２１を介して、選択されているチャンネルやプレイリストＰＬ１及びＰＬ２、再生中の音楽データＤ１を通知することができる。
【０３１２】
従って図８について上述した場合と同様に、かかる選択部１１２は、リスト利用再生機能を実行している間は、ユーザに対しあたかもラジオ放送の受信中にチャンネルを切り替えてラジオ放送局を選局するような感覚で、適宜チャンネルを切り替えさせて所望のプレイリストＰＬ１及びＰＬ２を容易に選択させることができる。また再生部１１３は、このようにチャンネルが切り替えられて所望のプレイリストＰＬ１及びＰＬ２が選択される間は、途切れることなく、順次音楽データＤ１を特徴位置や先頭位置から再生して、ユーザに対しより多くの音楽を聴かせることができる。
【０３１３】
因みに選択部１１２は、ユーザによりリモートコントローラＲＭ２の上方向選択ボタンＲＭ１Ｆや下方向選択ボタンＲＭ１Ｇが比較的速く連続して押下操作されると、その連続的な押下操作が開始される時点に選択されていたチャンネルと、当該連続的な押下操作の速度がある程度遅くなったときに選択されたチャンネルとの間に存在する他のチャンネルの選択を無視するようになされている。これにより選択部１１２は、連続的な押下操作が開始される時点と、その連続的な押下操作の速度がある程度遅くなるまでの間に、再生部１１３により、多数のチャンネルに割り当てられているプレイリストＰＬ１及びＰＬ２に従い、順次異なる音楽データＤ１が僅かずつ再生されることで、あたかも異なる複数の音楽が数音ずつノイズのように聴こえることを回避している。
【０３１４】
ここで実際上、選択部１１２は、ユーザにより操作部１１１を介してリスト利用再生機能が選択されたことに応じてリスト利用再生機能を起動すると、図３３に示すリスト利用再生機能起動処理手順ＲＴ１０を開始する。選択部１１２は、かかるリスト利用再生機能起動処理手順ＲＴ１０を開始すると、ステップＳＰ２０１において起動初期使用チャンネル番号のチャンネルを選択すると共に、当該選択したチャンネルを再生部１１３に通知する。ステップＳＰ２０２において再生部１１３は、選択部１１２からの通知に応じて、コンテンツデータ記憶部１１４又は外部装置１１６から、選択部１１２により選択されたチャンネルに割り当てられているプレイリストＰＬ１及びＰＬ２を読み出して、次のステップＳＰ２０３に移る。
【０３１５】
ステップＳＰ２０３において再生部１１３は、プレイリストＰＬ１及びＰＬ２が正しく読み出せたか否かを判別する。このステップＳＰ２０３において肯定結果が得られると、このことは、例えばプレイリストＰＬ１及びＰＬ２のデータが破損してはいないことを表している。従って再生部１１３は、かかる肯定結果を得ると、次のステップＳＰ２０４に移る。そしてステップＳＰ２０４において再生部１１３は、プレイリストＰＬ１及びＰＬ２を用いてチャンネル初期化処理を実行する。ここで再生部１１３は、チャンネル初期化処理として、例えばプレイリストＰＬ１及びＰＬ２のリスト属性情報ＬＡＴに含まれている再生形態情報ＰＭが、シャッフル再生形態を示していると、当該プレイリストＰＬ１及びＰＬ２で規定されている音楽データＤ１の再生順序を無作為に並べ替えた他の順序に変更するような処理を実行する。そして再生部１１３は、このようなチャンネル初期化処理を実行した後、次のステップＳＰ２０５に移る。
【０３１６】
ステップＳＰ２０５において再生部１１３は、チャンネル初期化処理後のプレイリストＰＬ１及びＰＬ２のリスト属性情報ＬＡＴに含まれている再生利用設定情報ＬＳに基づき、当該プレイリストＰＬ１及びＰＬ２が音楽データＤ１の再生に利用するように設定されているか否かを判別する。このステップＳＰ５において否定結果が得られると、このことは、プレイリストＰＬ１及びＰＬ２を利用して音楽データＤ１を再生し得ないことを表している。従って再生部１１３は、かかる否定結果を得ると、これを選択部１１２に通知する。
【０３１７】
ここで、複数のチャンネルの中には、音楽データＤ１の再生に利用するように設定され、かつ当該設定を変更しないようになされた特定のプレイリストＰＬ１及びＰＬ２が、予め固定的に割り当てられたものがある。従ってステップＳＰ２０６において選択部１１２は、その特定のプレイリストＰＬ１及びＰＬ２が割り当てられているチャンネルを新たに選択し、当該選択したチャンネルを再生部１１３に通知する。再生部１１３は、選択部１１２から新たに選択されたチャンネルが通知されると、ステップＳＰ２０２に戻り、コンテンツデータ記憶部１１４又は外部装置１１６から、当該選択部１１２により新たに選択されたチャンネルに割り当てられている特定のプレイリストＰＬ１及びＰＬ２を読み出して、再び上述と同様の処理を実行する。
【０３１８】
ところでステップＳＰ２０５において肯定結果が得られると、このことは、プレイリストＰＬ１及びＰＬ２を利用して音楽データＤ１を再生し得ることを表している。従って再生部１１３は、かかる肯定結果を得ると、次のステップＳＰ２０７に移る。ステップＳＰ２０７において再生部１１３は、プレイリストＰＬ１及びＰＬ２に従い再生順序が１番目の音楽データＤ１をコンテンツデータ記憶部１１４又は外部装置１１６から読み出して、次のステップＳＰ２０８に移る。
【０３１９】
ステップＳＰ２０８において再生部１１３は、このとき音楽データＤ１を正しく読み出せたか否かを判別する。このステップＳＰ２０８において肯定結果が得られると、このことは、例えばこのとき読み出した音楽データＤ１が破損してはいないことを表している。従って再生部１１３は、かかる肯定結果を得ると、次のステップＳＰ２０９に移る。そしてステップＳＰ２０９において再生部１１３は、表示制御部１１７に対し表示部１１８に選択画面１２０を表示させると共に、音楽データＤ１に対する特徴位置からの再生を開始して、次のステップＳＰ２１０に移り、かかるリスト利用再生機能起動処理手順ＲＴ１０を終了する。
【０３２０】
因みに上述したステップＳＰ２０３において否定結果が得られると、このことは、例えばプレイリストＰＬ１及びＰＬ２のデータが破損していることを表している。従って再生部１１３は、かかる否定結果を得ると、ステップＳＰ２１１に移る。またステップＳＰ２０８において否定結果が得られると、このことは、例えば音楽データＤ１が破損していることを表している。従って再生部１１３は、かかる否定結果を得たときも、ステップＳＰ２１１に移る。そしてステップＳＰ２１１において再生部１１３は、エラー処理として、例えばユーザに対し音楽データＤ１を再生し得ないことを通知した後、ステップＳＰ２１０に移る。
【０３２１】
次いで、リスト利用再生機能の実行中におけるチャンネル切換処理について説明する。選択部１１２は、リスト利用再生機能を実行している状態で、ユーザによる操作部１１１の操作に応じてチャンネル切替命令が与えられると、図３４に示すチャンネル切替処理手順ＲＴ１１を開始する。そして選択部１１２は、かかるチャンネル切替処理手順ＲＴ１１を開始すると、ステップＳＰ２２１において、チャンネルリストＣＬに登録されているチャンネル番号ＣＮの並びと、ユーザにより指定されたチャンネル番号ＣＮの切替方向とに従い、現在選択中のチャンネルのチャンネル番号ＣＮを１増やしたチャンネル番号ＣＮ又は１減らしたチャンネル番号ＣＮのチャンネルを選択する。そして選択部１１２は、その選択したチャンネル（すなわち、選択したチャンネルのチャンネル番号ＣＮ）を再生部１１３に通知する。従ってステップＳＰ２２２において再生部１１３は、選択部１１２からの通知に応じて、コンテンツデータ記憶部１１４又は外部装置１１６から当該選択部１１２により選択されたチャンネルに割り当てられているプレイリストＰＬ１及びＰＬ２を読み出して、次のステップＳＰ２２３に移る。
【０３２２】
ステップＳＰ２２３において再生部１１３は、このときプレイリストＰＬ１及びＰＬ２を正しく読み出せたか否かを判別する。このステップＳＰ２２３において肯定結果が得られると、このことは、例えばプレイリストＰＬ１及びＰＬ２のデータが破損してはいないことを表している。従って再生部１１３は、かかる肯定結果を得ると、次のステップＳＰ２２４に移る。そしてステップＳＰ２２４において再生部１１３は、チャンネル変更時処理を実行する。
【０３２３】
ステップＳＰ２２４において再生部１１３は、チャンネル変更時処理として、例えばプレイリストＰＬ１及びＰＬ２のリスト属性情報ＬＡＴに含まれている再生形態情報ＰＭが、シャッフル再生形態を示していると、当該プレイリストＰＬ１及びＰＬ２で規定されている音楽データＤ１の再生順序を無作為に並べ替えた他の順序に変更するような処理を実行する。そして再生部１１３は、このようなチャンネル変更時処理を実行した後、次のステップＳＰ２２５に移る。
【０３２４】
ステップＳＰ２２５において再生部１１３は、チャンネル変更時処理後のプレイリストＰＬ１及びＰＬ２のリスト属性情報ＬＡＴに含まれている再生利用設定情報ＬＳに基づき、当該プレイリストＰＬ１及びＰＬ２が音楽データＤ１の再生に利用するように設定されているか否かを判別する。このステップＳＰ２２５において否定結果が得られると、このことは、プレイリストＰＬ１及びＰＬ２を利用して音楽データＤ１を再生し得ないことを表している。従って再生部１１３は、かかる否定結果を得ると、これを選択部１１２に通知する。従って、このとき選択部１１２は、ステップＳＰ２２１に戻り、そのプレイリストＰＬ１及びＰＬ２に対応するチャンネルのチャンネル番号ＣＮを、さらに１増やしたチャンネル番号ＣＮ又は１減らしたチャンネル番号ＣＮのチャンネルを新たに選択し直し、当該選択し直したチャンネルを再生部１１３に通知する。これにより再生部１１３は、再びステップＳＰ２２２以降の上述と同様な処理を実行する。
【０３２５】
ところでステップＳＰ２２５において肯定結果が得られると、このことは、プレイリストＰＬ１及びＰＬ２を利用して音楽データＤ１を再生し得ることを表している。従って再生部１１３は、かかる肯定結果を得ると、次のステップＳＰ２２６に移る。ステップＳＰ２２６において再生部１１３は、切替後のチャンネルに割り当てられているプレイリストＰＬ１及びＰＬ２に従い再生順序が１番目の音楽データＤ１をコンテンツデータ記憶部１１４又は外部装置１１６から読み出して、次のステップＳＰ２２７に移る。ステップＳＰ２２７において再生部１１３は、このとき音楽データＤ１を正しく読み出せたか否かを判別する。このステップＳＰ２２７において肯定結果が得られると、このことは、例えばこのとき読み出した音楽データＤ１が破損してはいないことを表している。従って再生部１１３は、かかる肯定結果を得ると、次のステップＳＰ２２８に移る。
【０３２６】
ステップＳＰ２２８において再生部１１３は、切替前のチャンネルに割り当てられていたプレイリストＰＬ１及びＰＬ２に従って再生していた音楽データＤ１の当該再生を中断して、次のステップＳＰ２２９に移る。そしてステップＳＰ２２９において再生部１１３は、表示制御部１１７に対し表示部１１８に表示させていた選択画面１２０の表示内容を更新させると共に、切替後のチャンネルに対応する音楽データＤ１の特徴位置からの再生を開始して、次のステップＳＰ２３０に移り、かかるチャンネル切替処理手順ＲＴ１１を終了する。
【０３２７】
因みに上述したステップＳＰ２２３において否定結果が得られると、このことは、例えばプレイリストＰＬ１及びＰＬ２のデータが破損していることを表している。従って再生部１１３は、かかる否定結果を得ると、ステップＳＰ２３１に移る。またステップＳＰ２２７において否定結果が得られると、このことは、例えば音楽データＤ１が破損していることを表している。従って再生部１１３は、かかる否定結果を得たときも、ステップＳＰ２３１に移る。そしてステップＳＰ２３１において再生部１１３は、エラー処理として、例えばユーザに対し音楽データＤ１を再生し得ないことを通知した後、ステップＳＰ２３０に移る。
【０３２８】
次いで、リスト利用再生機能の実行中における再生音楽切替処理について説明する。再生部１１３は、リスト利用再生機能を実行している状態で、選択部１１２から、再生する音楽データＤ１を切り替えること及びその切替方向が通知されると、図３５に示す再生音楽切替処理手順ＲＴ１２を開始する。再生部１１３は、かかる再生音楽切替処理手順ＲＴ１２を開始すると、ステップＳＰ２４１において、現在選択中のプレイリストＰＬ１及びＰＬ２に登録されているコンテンツ指示情報ＭＩＤの並び（シャッフル再生形態が指定されているときには、変更後の並び）と、選択部１１２により通知された（すなわち、ユーザにより指定された）音楽データＤ１の切替方向とに従い、現在再生中の音楽データＤ１よりも１つ前に再生する音楽データＤ１又は１つ後に再生する音楽データＤ１を切替後の音楽データＤ１とし、当該切替後の音楽データＤ１をコンテンツデータ記憶部１１４又は外部装置１１６から読み出して、次のステップＳＰ２４２に移る。
【０３２９】
ステップＳＰ２４２において再生部１１３は、切替後の音楽データＤ１が再生可能であるか否かを判別する。このステップＳＰ２４２において否定結果が得られると、このことは、例えば切替後の音楽データＤ１が破損していること、又は切替後の音楽データＤ１に対応する音楽登録情報ＴＲの再生設定情報ＰＳが、当該音楽データＤ１を再生しないことを示していることにより、このままでは音楽データＤ１を再生し得ないことを表している。従って再生部１１３は、かかる否定結果を得ると、ステップＳＰ２４１に戻り、切替後の音楽データＤ１よりもさらに１つ前に再生する音楽データＤ１又は１つ後に再生する音楽データＤ１を新たな切替後の音楽データＤ１として、再び上述と同様の処理を実行する。
【０３３０】
これに対してステップＳＰ２４２において肯定結果が得られると、このことは、例えば切替後の音楽データＤ１が破損してはいないし、当該切替後の音楽データＤ１に対応する音楽登録情報ＴＲの再生設定情報ＰＳも、その音楽データＤ１を再生し得ることを示していることにより、何ら問題なく音楽データＤ１を再生し得ることを表している。従って再生部１１３は、かかる肯定結果を得ると、次のステップＳＰ２４３に移る。ステップＳＰ２４３において再生部１１３は、現在再生中の音楽データＤ１の当該再生を中断して、次のステップＳＰ２４４に移る。そしてステップＳＰ２４４において再生部１１３は、表示制御部１１７に対し表示部１１８に表示させていた選択画面１２０の表示内容を更新させると共に、切替後の音楽データＤ１に対する特徴位置からの再生を開始して、次のステップＳＰ２４５に移り、かかる再生音楽切替処理手順ＲＴ１２を終了する。このようにして再生部１１３は、リスト利用再生機能の実行中に、ユーザの要求に応じて、再生する音楽データＤ１を切り替えている。
【０３３１】
かかる構成に加えて再生装置１１０の場合、コンテンツデータ記憶部１１４は、ネットワークＮＴを利用して購入可能な（すなわち、有料の）複数の音楽データの紹介用に、これら複数の音楽データＤ１を登録して生成されたプレイリスト（以下、これを紹介プレイリストと呼ぶ）ＰＬ１を記憶している。またコンテンツデータ記憶部１１４は、ネットワークＮＴを利用してストリーミング再生することにより無料で試聴可能な複数の音楽データＤ１を登録して生成されたプレイリスト（以下、これをストリーミングプレイリストと呼ぶ）ＰＬ１も記憶している。
【０３３２】
この場合、紹介プレイリストＰＬ１は、図４について上述した場合と同様にリスト属性情報ＬＡＴと複数の音楽登録情報ＴＲとが格納されて構成されている。ただし紹介プレイリストＰＬ１は、登録されている複数の音楽データＤ１が全てネットワークＮＴ上に存在するため、複数の音楽登録情報ＴＲには、それぞれ音楽データＤ１のネットワークＮＴ上の記憶場所を指示するコンテンツ指示情報ＭＩＤが含まれている。また紹介プレイリストＰＬ１は、外部装置１１６により生成されたものであり、当該外部装置１１６が紹介プレイリストＰＬ１の内容を適宜更新（すなわち、登録する音楽データＤ１を変更）することにより、自己のバージョンを示すバージョン情報が例えばリスト詳細情報ＬＤに含まれている。
【０３３３】
また、ストリーミングプレイリストＰＬ１も、図４について上述した場合と同様にリスト属性情報ＬＡＴと複数の音楽登録情報ＴＲとが格納されて構成されている。そしてストリーミングプレイリストＰＬ１は、登録されている複数の音楽データＤ１が全てネットワークＮＴ上に存在するため、複数の音楽登録情報ＴＲには、それぞれ音楽データＤ１のネットワークＮＴ上の記憶場所を指示するコンテンツ指示情報ＭＩＤが含まれている。またストリーミングプレイリストＰＬ１も、外部装置１１６により生成されたものであり、当該外部装置１１６がストリーミングプレイリストＰＬ１の内容を適宜更新（すなわち、登録する音楽データＤ１を変更）して、その都度、バージョンを改めることにより、自己のバージョンを示すバージョン情報が例えばリスト詳細情報ＬＤに含まれている。そしてこれら紹介プレイリストＰＬ１及びストリーミングプレイリストＰＬ１については、異なるチャンネルに割り当てられ、ユーザに対しチャンネルとして選択させて音楽データＤ１の再生に利用させ得るようになされている。
【０３３４】
ところで紹介プレイリストＰＬ１及びストリーミングプレイリストＰＬ１に登録されている複数の音楽データＤ１に対応するデータ関連情報ＤＲＥは、対応する音楽データＤ１と共に、例えば外部装置１１６に設けられたコンテンツデータ記憶部のコンテンツデータベースＣＤＢ２に記憶されている。ここで、紹介プレイリストＰＬ１に登録されている複数の音楽データＤ１は、それぞれネットワークＮＴを利用して購入可能なものである。このため、これら複数の音楽データＤ１に対応する複数のデータ属性情報ＤＡＴには、それぞれ対応する音楽データＤ１の購入価格等を示す購入に関する情報も格納されている。
【０３３５】
また、これら複数のデータ属性情報ＤＡＴには、それぞれ対応する音楽データＤ１に対し購入前には、例えばその音楽データＤ１に基づく音楽の「さび」と呼ばれる特徴部分に相当する区間（以下、これを特徴区間と呼ぶ）のみ試聴用として再生を許可し、当該音楽データＤ１の全体は再生しないように再生制限していることを示す再生制限指示情報も格納されている。すなわちネットワークＮＴを利用して購入可能な複数の音楽データＤ１については、それぞれ購入前には音楽の特徴部分のみをユーザに対し試聴させ、一曲全体（すなわち、音楽の全体）を試聴させることはできないようになされている。因みに、かかる再生制限指示情報には、特徴区間の開始位置（すなわち、上述と同様な特徴位置であり、以下、これを特に区間開始位置と呼ぶ）と、当該特徴区間の終了位置（例えば、タイムコードや特徴位置からの再生経過時間によって示すものであり、以下、これを区間終了位置と呼ぶ）とを含んでいる。
【０３３６】
一方、ストリーミングプレイリストＰＬ１に登録されている複数の音楽データＤ１は、それぞれネットワークＮＴを利用してストリーミング再生することで試聴させるものであるが、そのストリーミング再生により再生装置１１０には保存されない。このため、これら複数の音楽データＤ１に対応する複数のデータ属性情報ＤＡＴには、それぞれ対応する音楽データＤ１の全体のストリーミング再生を許可することを示す再生許可情報が格納されている。すなわちネットワークＮＴを利用して試聴可能な複数の音楽データＤ１については、ストリーミング再生により一曲全体をユーザに対し試聴させ得るようになされている。また、これら複数のデータ属性情報ＤＡＴには、それぞれ対応する音楽データＤ１をストリーミング再生ではなくダウンロードする際に利用する情報も格納されている。これによりネットワークＮＴを利用して試聴可能な複数の音楽データＤ１については、それぞれ再生装置１１０に対しダウンロードさせて保存させることもできるようになされている。
【０３３７】
ここで再生部１１３は、選択部１１２により、紹介プレイリストＰＬ１の割り当てられたチャンネルが選択されると、これに応じてコンテンツデータ記憶部１１４から紹介プレイリストＰＬ１を読み出す。そして再生部１１３は、紹介プレイリストＰＬ１に格納されているバージョン情報を通信制御部１１５に送出する。通信制御部１１５は、再生部１１３からバージョン情報が与えられると、外部装置１１６に対し現在、再生装置１１０で使用している紹介プレイリストＰＬ１が最新のものであるかを問い合わせ、その結果、最新のものであることが確認されると、再生部１１３にこれを通知する。
【０３３８】
また通信制御部１１５は、現在、再生装置１１０で使用している紹介プレイリストＰＬ１が更新前のものであると、外部装置１１６から最新の紹介プレイリストＰＬ１をダウンロードする。これにより通信制御部１１５は、その最新の紹介プレイリストＰＬ１を再生部１１３に送出すると共に、コンテンツデータ記憶部１１４にも送出する。これによりコンテンツデータ記憶部１１４は、通信制御部１１５から与えられた最新の紹介プレイリストＰＬ１を、更新前のものに上書きするように記憶して、当該紹介プレイリストＰＬ１を最新のものに変更する。
【０３３９】
従って再生部１１３は、コンテンツデータ記憶部１１４から読み出した、又は通信制御部１１５から与えられた最新の紹介プレイリストＰＬ１に従い、これに格納されている１つの音楽登録情報ＴＲ内のコンテンツ指示情報ＭＩＤを通信制御部１１５に送出する。これにより通信制御部１１５は、コンテンツ指示情報ＭＩＤに従い、対応する音楽データＤ１を試聴用としてダウンロードするように要求するダウンロード要求情報をネットワークＮＴ上の外部装置１１６に送信する。
【０３４０】
この場合、外部装置１１６は、再生装置１１０から送信されたダウンロード要求情報を受信すると、ダウンロード要求された音楽データＤ１のヘッダに対し、例えばその音楽データＤ１に対し特徴区間のみを試聴用として再生可能に設定する付加情報（すなわち、再生制限設定情報）を付加することにより、その音楽データＤ１を特徴区間のみ再生可能な試聴用音楽データとする。そして外部装置１１６は、第１の通信形態でその試聴用音楽データを、対応するデータ関連情報ＤＲＥと共に再生装置１１０に返信する。
【０３４１】
これにより通信制御部１１５は、外部装置１１６から送信された試聴用音楽データ及び対応するデータ関連情報ＤＲＥをダウンロードして再生部１１３に送出する。再生部１１３は、通信制御部１１５から与えられた試聴用音楽データ及び対応するデータ関連情報ＤＲＥをバッファに一時記憶しながら、当該試聴用音楽データのヘッダに付加されている付加情報と、データ関連情報ＤＲＥに含まれる再生制限指示情報とに基づき、その試聴用音楽データに対する特徴区間の区間開始位置からの再生を開始する。これにより再生部１１３は、ユーザに対し購入可能な音楽データＤ１に基づく音楽の特徴部分を試聴させる。
【０３４２】
また再生部１１３は、試聴用音楽データに対する特徴区間の再生途中に選択部１１２から、再生する音楽データＤ１を切り替えるように通知されると、紹介プレイリストＰＬ１に従い上述と同様に、通信制御部１１５により外部装置１１６から新たな試聴用音楽データ及び対応するデータ関連情報ＤＲＥをダウンロードさせて取り込みバッファに一時記憶する。そして再生部１１３は、その時点の試聴用音楽データに対する再生を中断すると共に、新たな試聴用音楽データに対する特徴区間の区間開始位置からの再生を開始し、その時点まで再生していた試聴用音楽データ及び対応するデータ関連情報ＤＲＥをバッファから破棄する。このようにして再生部１１３は、ユーザからの要求に応じて紹介プレイリストＰＬ１に従い、再生する試聴用音楽データを保存することなく切り替える。
【０３４３】
さらに再生部１１３は、試聴用音楽データに対する特徴区間の再生が完了すると（すなわち、特徴区間を区間終了位置まで再生すると）、紹介プレイリストＰＬ１に従い上述と同様に通信制御部１１５により外部装置１１６から新たな試聴用音楽データ及び対応するデータ関連情報ＤＲＥをダウンロードさせて取り込みバッファに一時記憶する。そして再生部１１３は、その時点に特徴区間の再生が完了した試聴用音楽データに替えて、新たな試聴用音楽データに対する特徴区間の区間開始位置からの再生を開始すると共に、その時点に特徴区間の再生が完了した試聴用音楽データ及び対応するデータ関連情報ＤＲＥをバッファから破棄する。このようにして再生部１１３は、試聴用音楽データに対する特徴区間の再生が完了したときにも、紹介プレイリストＰＬ１に従い、再生する試聴用音楽データを保存することなく切り替える。
【０３４４】
さらにまた選択部１１２は、再生部１１３により試聴用音楽データの特徴区間が再生されている途中に、ユーザにより例えばリモートコントローラＲＭ２の決定ボタンＲＭ１Ｊが押下操作され、再生中の試聴用音楽データに対応する元の音楽データＤ１（すなわち、再生制限のない音楽データＤ１）の購入を決定する購入決定命令が入力されると、これを通信制御部１１５に通知する。通信制御部１１５は、選択部１１２から音楽データＤ１の購入の決定が通知されると、再生部１１３に対しては、その時点の試聴用音楽データの再生を維持させながら、当該再生中の試聴用音楽データに対応する元の音楽データＤ１の購入処理に必要な購入情報を含む購入要求情報をネットワークＮＴ上の外部装置１１６に送信する。
【０３４５】
外部装置１１６は、再生装置１１０から送信された購入要求情報を受信すると、これに含まれる購入情報を用いて、その再生装置１１０から購入の要求された音楽データＤ１に対する購入処理を実行する。そして外部装置１１６は、その購入処理が完了すると、購入の要求された音楽データＤ１の全体の再生を許可する再生許可情報を、購入完了通知と共に再生装置１１０に返信する。
【０３４６】
これにより通信制御部１１５は、外部装置１１６から送信された再生許可情報及び購入完了通知をダウンロードして、当該再生許可情報を付加情報更新部１２５に送出すると共に、購入完了通知を表示制御部１１７に送出する。また通信制御部１１５は、このとき購入処理された音楽データＤ１に対応するコンテンツ指示情報ＭＩＤ（すなわち、ネットワークＮＴ上の記憶場所を指示するコンテンツ指示情報ＭＩＤ）を指示情報変更部１２６に送出する。付加情報更新部１２５は、通信制御部１１５から与えられた再生許可情報に応じて、再生部１１３においてその時点に再生中の試聴用音楽データ（すなわち、バッファに一時記憶されている試聴用音楽データ）のヘッダに付加されている付加情報を、試聴用音楽データの全体を再生可能に設定するように更新する。これにより付加情報更新部１２５は、試聴用音楽データを、再生制限を解除して全体の再生が許可された音楽データＤ１に変更し、当該音楽データＤ１の全体を自由に再生し得るようにする。
【０３４７】
再生部１１３は、試聴用音楽データに対する特徴区間の再生中に購入処理が完了し再生制限が解除される（すなわち、付加情報が更新される）と、その後、ユーザにより再生する音楽データＤ１を切り替えるように要求されなければ、当該試聴用音楽データを音楽データＤ１として特徴区間の区間終了位置以降も再生し続ける。このようにして再生部１１３は、試聴用音楽データに対する特徴区間の再生中に、その試聴用音楽データを元の音楽データＤ１として購入するように要求され実際に購入処理されても、その間、当該試聴用音楽データの特徴区間に対する再生を継続してユーザに対し音楽の特徴部分を試聴させることができる。また再生部１１３は、再生中に音楽データＤ１が購入されると、試聴用音楽データを当該音楽データＤ１として特徴区間の区間終了位置以降も再生し、ユーザに対し音楽の特徴部分以降もそのまま聴かせることができる。
【０３４８】
そして再生部１１３は、試聴用音楽データを再生制限の解除された音楽データＤ１として後尾位置まで再生してその再生が終了し、また試聴用音楽データを再生制限の解除された音楽データＤ１として再生している途中に選択部１１２から、再生する音楽データＤ１を切り替えるように通知されたことに応じて音楽データＤ１の再生を中断すると、バッファからこれに一時記憶していた当該音楽データＤ１（すなわち、試聴用音楽データの付加情報が更新されて得られた音楽データＤ１）及び対応するデータ関連情報ＤＲＥをコンテンツデータ記憶部１１４に送出する。これによりコンテンツデータ記憶部１１４は、再生部１１３から与えられた音楽データＤ１及び対応するデータ関連情報ＤＲＥをコンテンツデータベースＣＤＢ１に記憶して保存する。
【０３４９】
因みに再生部１１３は、このように音楽データＤ１の再生が完了し、また中断すると、紹介プレイリストＰＬ１に従い上述と同様に、通信制御部１１５により外部装置１１６から新たな試聴用音楽データ及び対応するデータ関連情報ＤＲＥを再びダウンロードさせて取り込みバッファに一時記憶しながら、当該新たな試聴用音楽データに対する特徴区間の区間開始位置からの再生を開始する。
【０３５０】
ところでコンテンツデータ記憶部１１４は、コンテンツデータベースＣＤＢ１に対する音楽データＤ１及び対応するデータ関連情報ＤＲＥの記憶が完了すると、当該音楽データＤ１に対するコンテンツデータ記憶部１１４内の記憶場所を指示する新たなコンテンツ指示情報を指示情報変更部１２６に送出する。指示情報変更部１２６は、コンテンツデータ記憶部１１４内の紹介プレイリストＰＬ１に格納されている音楽登録情報ＴＲ内の、このとき購入された音楽データＤ１に対応するコンテンツ指示情報ＭＩＤ（これは、ネットワークＮＴ上の記憶場所を指示するものであり、通信制御部１１５から与えられたコンテンツ指示情報ＭＩＤで判別する）を、コンテンツデータ記憶部１１４から与えられた新たなコンテンツ指示情報に変更する。
【０３５１】
これにより指示情報変更部１２６は、紹介プレイリストＰＬ１に従い試聴用音楽データを再生して試聴させている状態で、対応する元の音楽データＤ１が購入されると、この後、紹介プレイリストＰＬ１が最新のものに変更されるまでの間、その紹介プレイリストＰＬ１に従い、未購入の音楽データＤ１については、外部装置１１６から試聴用音楽データとしてダウンロードさせて再生させる。しかしながら指示情報変更部１２６は、その紹介プレイリストＰＬ１に従い、購入済の音楽データＤ１については何らネットワークＮＴを利用させることなくコンテンツデータ記憶部１１４から読み出させて再生させることができるようになされている。
【０３５２】
因みに再生部１１３は、試聴用音楽データに対する特徴区間の再生中に、選択部１１２から新たに選択したチャンネルが通知されると、当該選択されたチャンネルに応じて、上述と同様にコンテンツデータ記憶部１１４又は外部装置１１６から新たなプレイリストＰＬ１及びＰＬ２を読み出す。そして再生部１１３は、その新たなプレイリストＰＬ１及びＰＬ２に従いコンテンツデータ記憶部１１４又は外部装置１１６から音楽データＤ１及びデータ関連情報ＤＲＥを読み出して、その時点の試聴用音楽データの再生を中断すると共に、当該読み出した音楽データＤ１に対する特徴位置からの再生を開始する。このようにして再生部１１３は、紹介プレイリストＰＬ１を使用した購入可能な音楽データＤ１に基づく音楽の特徴部分に対する試聴を終了する。
【０３５３】
ところでコンテンツデータ記憶部１１４は、購入可能な音楽データＤ１を購入候補として登録するための購入候補登録リストを予め記憶している。そして選択部１１２は、再生部１１３により紹介プレイリストＰＬ１に従い試聴用音楽データの特徴区間が再生されている途中に、ユーザにより例えばリモートコントローラＲＭ２のお気に入りボタンＲＭ２Ａが押下操作され、その時点に再生中の試聴用音楽データに対応する元の音楽データＤ１を購入候補として登録するように要求する購入候補登録要求命令が入力されると、これを再生部１１３及び表示制御部１１７に通知する。
【０３５４】
再生部１１３は、選択部１１２から音楽データＤ１を購入候補として登録するように要求されたことが通知されると、コンテンツデータ記憶部１１４から購入候補登録リストを読み出す。そして再生部１１３は、選択部１１２から、さらに音楽データＤ１に対する購入候補としての登録の決定が通知されると、購入候補登録リストに対し、その時点に再生中の試聴用音楽データに対応するコンテンツ指示情報ＭＩＤや音楽タイトル等を載せることにより当該試聴用音楽データに対応する元の音楽データＤ１を購入候補として登録する。このようにして再生部１１３は、試聴用音楽データの再生中に対応する元の音楽データＤ１を購入候補として登録するように要求される毎に、購入候補登録リストに対し当該対応する音楽データＤ１を購入候補として登録する。
【０３５５】
そして選択部１１２は、紹介プレイリストＰＬ１が使用された音楽の試聴中や他のプレイリストＰＬ１が使用された音楽の聴取中のように、ユーザにより任意の時点に操作部１１１が操作され、購入候補として登録していた音楽データＤ１を購入する候補購入命令が入力されると、これを通信制御部１１５に通知する。この場合、通信制御部１１５は、選択部１１２からの通知に応じて、購入候補登録リストに登録されている音楽データＤ１のうち、ユーザにより最終的に購入するように決定された音楽データＤ１を購入要求するための購入要求情報（すなわち、購入処理に必要な購入情報を含む購入要求情報）を生成し、当該生成した購入要求情報をネットワークＮＴ上の外部装置１１６に送信する。
【０３５６】
この際、外部装置１１６は、再生装置１１０から送信された購入要求情報を受信すると、これに含まれる購入情報を用いて、その再生装置１１０から購入の要求された音楽データＤ１に対する購入処理を実行する。その結果、外部装置１１６は、購入処理が完了すると、購入の要求された音楽データＤ１のヘッダに対し当該音楽データＤ１の全体を再生可能に設定する付加情報（すなわち、再生許可情報）を付加する。そして外部装置１１６は、付加情報を付加した音楽データＤ１を対応するデータ関連情報ＤＲＥ及び購入完了通知と共に再生装置１１０に返信する。
【０３５７】
これにより通信制御部１１５は、外部装置１１６から返信された音楽データＤ１及び対応するデータ関連情報ＤＲＥと購入完了通知とをダウンロードする。そして通信制御部１１５は、ダウンロードした音楽データＤ１及び対応するデータ関連情報ＤＲＥをコンテンツデータ記憶部１１４に送出すると共に、購入完了通知を表示制御部１１７に送出する。また通信制御部１１５は、このとき購入処理された音楽データＤ１に対応するコンテンツ指示情報ＭＩＤ（すなわち、ネットワークＮＴ上の記憶場所を指示するコンテンツ指示情報ＭＩＤ）を指示情報変更部１２６に送出する。
【０３５８】
従ってコンテンツデータ記憶部１１４は、通信制御部１１５から与えられた音楽データＤ１及び対応するデータ関連情報ＤＲＥをコンテンツデータベースＣＤＢ１に記憶して保存する。またコンテンツデータ記憶部１１４は、コンテンツデータベースＣＤＢ１に対する音楽データＤ１及び対応するデータ関連情報ＤＲＥの記憶が完了すると、当該音楽データＤ１に対する当該コンテンツデータ記憶部１１４内の記憶場所を指示する新たなコンテンツ指示情報を指示情報変更部１２６に送出する。これにより指示情報変更部１２６は、上述と同様に、コンテンツデータ記憶部１１４内の紹介プレイリストＰＬ１に格納されている音楽登録情報ＴＲ内の、このとき購入された音楽データＤ１に対応するコンテンツ指示情報ＭＩＤを、コンテンツデータ記憶部１１４から与えられた新たなコンテンツ指示情報に変更する。
【０３５９】
このようにして指示情報変更部１２６は、事前に購入候補として登録されていた音楽データＤ１が購入されたときでも、これに応じて紹介プレイリストＰＬ１内のコンテンツ指示情報ＭＩＤを変更する。このため指示情報変更部１２６は、この後、紹介プレイリストＰＬ１が最新のものに変更されるまでの間、その紹介プレイリストＰＬ１に従い、購入済の音楽データＤ１を、何らネットワークＮＴを利用させることなくコンテンツデータ記憶部１１４から読み出させて再生させることができる。
【０３６０】
因みに通信制御部１１５は、このように音楽データＤ１を購入したときには、その購入した音楽データＤ１を再生部１１３に通知する。これにより再生部１１３は、このときコンテンツデータ記憶部１１４から購入候補登録リストを読み出すと共に、その購入候補登録リストに登録している１又は複数の音楽データＤ１のうち、購入された音楽データＤ１の登録を取り消すようにして当該購入候補登録リストを更新する。そして再生部１１３は、このように更新した購入候補登録リストをコンテンツデータ記憶部１１４に送出して記憶させることにより、この後、購入候補登録リストを利用して同一の音楽データＤ１が重複して購入されることを回避させる。
【０３６１】
これに加えて表示制御部１１７は、選択部１１２により、紹介プレイリストＰＬ１の割り当てられたチャンネルが選択されたことに応じて、再生部１１３から紹介プレイリストＰＬ１と、これに登録された音楽データＤ１に対応するデータ属性情報ＤＡＴとが与えられると、これら紹介プレイリストＰＬ１やデータ属性情報ＤＡＴに基づき、選択画面データを生成する。そして表示制御部１１７は、かかる選択画面データを表示部１１８に送出することにより、当該表示部１１８に対し選択画面データに基づき、図３１との対応部分に同一符号を付した図３６に示すような選択画面１３０を表示する。
【０３６２】
この場合、選択画面１３０には、チャンネル選択領域２１の中央部に、紹介プレイリストＰＬ１の割り当てられたチャンネルをチャンネル番号ＣＮによって通知する選択チャンネル通知アイコン２３が表示されると共に、音楽選択領域２２に当該紹介プレイリストＰＬ１に対応するリスト名２６や説明文２７等が表示されている。これに加えて紹介プレイリストＰＬ１に従い試聴用に再生される音楽データＤ１は購入可能であるため、選択画面１３０には、当該音楽データＤ１に基づく音楽の特徴部分が試聴されている間は（すなわち、未だ購入されてはいない音楽データＤ１が試聴用音楽データとして再生されている間は）、例えば音楽選択領域２２内の説明文２７の下側に、当該音楽データＤ１の購入価格を通知するアイコン（以下、これを価格通知アイコンと呼ぶ）１３１が表示されている。これにより表示制御部１１７は、試聴する音楽の音楽データＤ１が切り替えられる毎に、選択画面１３０内の価格通知アイコン１３１により、ユーザに対し試聴中の音楽の音楽データＤ１に対する購入価格を通知し得るようになされている。
【０３６３】
また再生部１１３は、試聴用音楽データに対する特徴区間の区間開始位置からの再生時間が所定時間（すなわち、区間開始位置から区間終了位置までの再生に要する再生時間よりも短い所定時間）に達するまでの間に、選択部１１２から新たに選択されたチャンネルや試聴用に再生する音楽データＤ１（すなわち、試聴用音楽データ）を切り替えることが通知されないときには、当該再生時間が所定時間に達した時点に、試聴用音楽データを特徴区間の区間開始位置から所定時間再生したことを表示制御部１１７に通知する。この場合、表示制御部１１７は、上述と同様に再生画面データを生成して表示部１１８に送出することにより、その表示部１１８に対し再生画面データに基づき、図３２との対応部分に同一符号を付した図３７に示すような再生画面１３２を表示する。
【０３６４】
かかる再生画面１３２は、音楽データＤ１に基づく音楽が試聴されている間は（すなわち、未だ購入されてはいない音楽データＤ１が試聴用音楽データとして再生されている間は）、例えばジャケット写真画像４７の上側に、当該音楽データＤ１の購入価格を通知する価格通知アイコン１３３が表示されている。これにより表示制御部１１７は、表示部１１８に表示していた選択画面１３０を再生画面１３２に切り替えた場合でも、その時点に未購入の音楽データＤ１に基づく音楽が試聴されていると、かかる再生画面１３２内の価格通知アイコン１３３により、ユーザに対し試聴中の音楽の音楽データＤ１に対する購入価格を通知し得るようになされている。
【０３６５】
また選択部１１２は、音楽データＤ１に基づく音楽が試聴されている途中（すなわち、未だ購入されてはいない音楽データＤ１が試聴用音楽データとして再生されている途中）に、ユーザにより例えばリモートコントローラＲＭ２の決定ボタンＲＭ１Ｊが１度押下操作され、試聴中の音楽の音楽データＤ１を購入するように要求する購入要求命令が入力されると、これを表示制御部１１７に通知する。この場合、表示制御部１１７は、選択部１１２からの通知に応じて、その時点に試聴中の音楽の音楽データＤ１に対応するデータ属性情報ＤＡＴに基づいて、購入確認画面データを生成する。そして表示制御部１１７は、かかる購入確認画面データを表示部１１８に送出することにより、当該表示部１１８において例えば選択画面１３０（又は再生画面１３２）に購入確認画面データに基づく図３８に示すような購入確認画面１３５を重ねて表示する。
【０３６６】
この場合、購入確認画面１３５には、現在試聴中の音楽の音楽データＤ１を購入するか否かを確認する購入確認文１３６が表示されている。また購入確認画面１３５には、現在試聴中の音楽の音楽データＤ１に対応する音楽タイトルやアーティスト名、購入価格等の当該音楽に関連する音楽関連情報１３７も表示されている。さらに購入確認画面１３５には、購入を決定するための購入決定ボタン１３８と、その購入を取り消すための購入取消ボタン１３９とが設けられている。そして表示制御部１１７は、購入確認画面１３５上で購入決定ボタン１３８と購入取消ボタン１３９との何れか一方を、例えば購入確認画面１３５内で唯一目立つような所定の表示状態で強調表示している。
【０３６７】
この状態で選択部１１２は、ユーザによりリモートコントローラＲＭ２の左方向選択ボタンＲＭ１Ｈや右方向選択ボタンＲＭ１Ｉが押下操作され、左方向選択命令や右方向選択命令が入力されると、これを表示制御部１１７に通知する。表示制御部１１７は、選択部１１２からの通知に応じて、購入確認画面１３５上で購入決定ボタン１３８と、購入取消ボタン１３９との強調表示の表示状態を交互に切り替える。これにより表示制御部１１７は、購入確認画面１３５上で購入決定ボタン１３８と購入取消ボタン１３９とを介してユーザに対し購入の決定及び取り消しの何れか一方を選択させ得るようになされている。このようにして表示制御部１１７は、表示部１１８に表示した購入確認画面１３５により、ユーザに対し購入しようとしている音楽データＤ１がどのようなものかを通知しつつ、当該音楽データＤ１を実際に購入するか否かを確認させることができる。
【０３６８】
そして選択部１１２は、表示部１１８に表示された購入確認画面１３５上で購入決定ボタン１３８が選択された状態で、ユーザによりリモートコントローラＲＭ２の決定ボタンＲＭ１Ｊが再び押下操作されると、そのとき入力された命令を購入決定命令と認識し、音楽データＤ１の購入が決定されたことを通信制御部１１５に通知する。このようにして選択部１１２は、ユーザによる操作部１１１（すなわち、リモートコントローラＲＭ２）の操作に応じて、上述したように試聴中の音楽の音楽データＤ１に対する購入を実行させることができる。
【０３６９】
また表示制御部１１７は、試聴中の音楽の音楽データＤ１に対する購入が実行され、その結果、通信制御部１１５から購入完了通知が与えられると、その時点に試聴中の音楽の音楽データＤ１（すなわち、このとき購入された音楽データＤ１）に対応するデータ属性情報ＤＡＴに基づき、購入完了通知画面データを生成する。そして表示制御部１１７は、かかる購入完了通知画面データを表示部１１８に送出する。これにより表示制御部１１７は、表示部１１８において例えば選択画面１３０（又は再生画面１３２）に購入完了通知画面データに基づく図３９に示すような購入完了通知画面１４０を重ねて表示する。
【０３７０】
この場合、購入完了通知画面１４０には、現在試聴中の音楽の音楽データＤ１に対する購入が完了したことを通知する購入完了通知文１４１が表示されている。また購入完了通知画面１４０には、購入の完了した音楽データＤ１の購入価格を示す価格情報１４２も表示され、さらに購入完了通知画面１４０を閉じるための閉ボタン１４３が設けられている。従って表示制御部１１７は、表示部１１８に表示した購入完了通知画面１４０により、ユーザに対しどのような音楽データＤ１を購入したかを通知することができる。
【０３７１】
そして選択部１１２は、表示制御部１１７により表示部１１８に対し購入完了通知画面１４０が表示された状態で、ユーザにより例えばリモートコントローラＲＭ２の決定ボタンＲＭ１Ｊが押下操作されると、そのとき入力された命令を、購入完了通知画面１４０を閉じる画面閉命令であると認識し、当該購入完了通知画面１４０を閉じるように要求されたことを表示制御部１１７に通知する。これにより表示制御部１１７は、表示部１１８において購入完了通知画面１４０を閉じて図４０に示すような選択画面１４５のみ（又は、図４１に示すような再生画面１４６のみ）を表示する。
【０３７２】
すなわち、表示制御部１１７は、試聴中の音楽の音楽データＤ１が購入処理されている間も、再生部１１３により当該音楽データＤ１が試聴用音楽データとして再生されているため、表示部１１８に対する選択画面１３０（又は、再生画面１３２）の表示を継続している。そして表示制御部１１７は、音楽データＤ１の購入が完了すると、選択画面１３０（又は、再生画面１３２）の表示内容の一部を更新する。従って表示制御部１１７は、音楽データＤ１の購入が完了した後にも、その音楽データＤ１（すなわち、試聴用音楽データに対する再生制限が解除されて得られた音楽データＤ１）の再生が維持されていると、表示内容を一部更新した選択画面１４５（又は、再生画面１４６）をユーザに見せることで、購入しても再生中の音楽データＤ１を音楽タイトル３０やアーティスト名３１等で確認させることができる。
【０３７３】
ただし購入の完了に応じて表示内容を一部更新した選択画面１４５（又は、再生画面１４６）については、その更新内容として、価格通知アイコン１３１（又は、価格通知アイコン１３３）が消去されている。これにより表示制御部１１７は、価格通知アイコン１３１（又は、価格通知アイコン１３３）を消去した選択画面１４５（又は、再生画面１４６）により、ユーザに対し再生中の音楽データＤ１が購入されていることも合わせて通知し得るようになされている。
【０３７４】
ところで、紹介プレイリストＰＬ１以外のプレイリストＰＬ１及びＰＬ２の割り当てられたチャンネルが選択されたときの選択画面１２０には、再生中の音楽データＤ１がネットワークＮＴを介して提供されていると、ネットワーク配信通知アイコン２８が表示されている。しかしながら紹介プレイリストＰＬ１の割り当てられたチャンネルが選択されたときの選択画面１３０には、未購入の音楽データＤ１が試聴用に再生されるとき、当該音楽データＤ１がネットワークＮＴを介して提供されてはいるものの、ネットワーク配信通知アイコン２８を表示せずに、替わりに価格通知アイコン１３１が表示されている。
【０３７５】
すなわち、選択画面１３０において価格通知アイコン１３１が表示されることは、再生中の音楽データＤ１が未購入であり、かつ再生装置１１０には保存（すなわち、取得）されていないため、必然的にネットワークＮＴを介して提供されていることも表している。従って選択画面１３０には、未購入の音楽データＤ１が試聴用に再生されている間は、ネットワーク配信通知アイコン２８に替えて、当該ネットワーク配信通知アイコン２８の意図する通知機能（すなわち、通知内容）も兼ねた価格通知アイコン１３１のみが表示されている。このようにして選択画面１３０は、その構成が極力簡易化されている。また再生画面１３２についても同様の理由でネットワーク配信通知アイコン４８に替えて価格通知アイコン１３３が表示され、その構成が極力簡易化されている。
【０３７６】
ところで表示制御部１１７は、購入候補登録要求命令の入力に応じて選択部１１２から、試聴中の音楽の音楽データＤ１を購入候補として登録するように要求されたことが通知されると、その時点に試聴中の音楽の音楽データＤ１に対応するデータ属性情報ＤＡＴに基づいて、購入候補登録確認画面データを生成する。そして表示制御部１１７は、かかる購入候補登録確認画面データを表示部１１８に送出する。これにより表示制御部１１７は、表示部１１８において例えば選択画面１３０（又は再生画面１３２）に、購入候補登録確認画面データに基づく図４２に示すような購入候補登録確認画面１５０を重ねて表示する。
【０３７７】
この場合、購入候補登録確認画面１５０には、現在試聴中の音楽の音楽データＤ１を購入候補として購入候補登録リストに登録するか否かを確認する登録確認文１５１が表示されている。また購入候補登録確認画面１５０には、現在試聴中の音楽の音楽データＤ１に対応する音楽タイトルやアーティスト名、購入価格等の音楽関連情報１５２も表示されている。さらに購入候補登録確認画面１５０には、購入候補の登録を決定するための購入候補登録決定ボタン１５３と、その購入候補の登録を取り消すための購入候補登録取消ボタン１５４とが設けられている。そして表示制御部１１７は、購入候補登録確認画面１５０上で購入候補登録決定ボタン１５３と購入候補登録取消ボタン１５４との何れか一方を、例えば購入候補登録確認画面１５０内で唯一目立つような所定の表示状態で強調表示している。
【０３７８】
この状態で選択部１１２は、ユーザによりリモートコントローラＲＭ２の左方向選択ボタンＲＭ１Ｈや右方向選択ボタンＲＭ１Ｉが押下操作され、左方向選択命令や右方向選択命令が入力されると、これを表示制御部１１７に通知する。表示制御部１１７は、選択部１１２からの通知に応じて、購入候補登録確認画面１５０上で購入候補登録決定ボタン１５３と購入候補登録取消ボタン１５４との強調表示の表示状態を交互に切り替える。これにより表示制御部１１７は、購入候補登録確認画面１５０上で購入候補登録決定ボタン１５３と購入候補登録取消ボタン１５４とを介してユーザに対し購入候補の登録に対する決定及び取り消しの何れか一方を選択させ得るようになされている。このようにして表示制御部１１７は、表示部１１８に表示した購入候補登録確認画面１５０により、ユーザに対し購入候補として登録しようとしている音楽データＤ１がどのようなものかを通知しつつ、当該音楽データＤ１を実際に購入候補として登録するか否かを確認させることができる。
【０３７９】
そして選択部１１２は、表示部１１８に表示された購入候補登録確認画面１５０上で購入候補登録決定ボタン１５３が選択された状態で、ユーザによりリモートコントローラＲＭ２の決定ボタンＲＭ１Ｊが押下操作されると、そのとき入力された命令を購入候補登録決定命令と認識し、試聴中の音楽の音楽データＤ１に対する購入候補としての登録が決定されたことを再生部１１３に通知する。これにより選択部１１２は、ユーザによる操作部１１１（すなわち、リモートコントローラＲＭ２）への操作に応じて、購入候補登録リストへ試聴中の音楽の音楽データＤ１を購入候補として登録させることができる。
【０３８０】
また再生部１１３は、購入候補登録リストへの、試聴中の音楽の音楽データＤ１に対する購入候補としての登録が完了すると、これを表示制御部１１７に通知している。従って表示制御部１１７は、再生部１１３から購入候補としての登録の完了が通知されると、その時点に試聴中の音楽の音楽データＤ１（すなわち、このとき購入候補として登録された音楽データＤ１）に対応するデータ属性情報ＤＡＴに基づいて、購入候補登録完了通知画面データを生成する。そして表示制御部１１７は、かかる購入候補登録完了通知画面データを表示部１１８に送出する。これにより表示制御部１１７は、表示部１１８において例えば選択画面１３０（又は再生画面１３２）に、購入候補登録完了通知画面データに基づく図４３に示すような購入候補登録完了通知画面１５５を重ねて表示する。
【０３８１】
この場合、購入候補登録完了通知画面１５５には、現在試聴中の音楽の音楽データＤ１に対する購入候補としての登録が完了したことを通知する購入候補登録完了通知文１５６が表示されている。また購入候補登録完了通知画面１５５には、当該購入候補登録完了通知画面１５５を閉じるための閉ボタン１５７が設けられている。従って表示制御部１１７は、表示部１１８に対し、かかる購入候補登録完了通知画面１５５を表示することにより、ユーザに対しどのような音楽データＤ１の購入候補としての登録が完了したかを通知することができる。
【０３８２】
これに加えて選択部１１２は、ユーザにより任意の時点に操作部１１１が操作され、購入候補として登録していた音楽データＤ１を購入するように要求する候補購入要求命令が入力されると、これを再生部１１３に通知する。このとき再生部１１３は、選択部１１２からの通知に応じて、コンテンツデータ記憶部１１４から購入候補登録リストを読み出して表示制御部１１７に送出する。これにより表示制御部１１７は、かかる購入候補登録リストに基づき、候補購入確認画面データを生成する。そして表示制御部１１７は、その候補購入確認画面データを表示部１１８に送出することにより、当該表示部１１８に対し候補購入確認画面データに基づく図４４に示すような候補購入確認画面１６０を表示する。
【０３８３】
この場合、候補購入確認画面１６０は、購入候補として登録された音楽データＤ１を提示するための提示項目１６１Ａ乃至１６１Ｃをリスト化して表示する購入候補提示欄１６１が設けられている。そして購入候補提示欄１６１の各提示項目１６１Ａ乃至１６１Ｃには、それぞれ購入候補として登録された１つの音楽データＤ１に対応する音楽タイトルやアーティスト名、購入金額等が表示されると共に、当該音楽データＤ１の購入の有無を確認するためのチェックボックス１６２が設けられている。因みにチェックボックス１６２は、チェックマークが入れられた場合、対応する提示項目１６１Ａ乃至１６１Ｃにより提示されている音楽データＤ１の購入が確定されたことを示す。
【０３８４】
また候補購入確認画面１６０には、購入候補登録リストに対し購入候補として登録した音楽データＤ１の購入を決定して当該候補購入確認画面１６０を閉じるための候補購入決定ボタン１６３も設けられている。これにより表示制御部１１７は、表示部１１８に表示した候補購入確認画面１６０により、ユーザに対し購入候補として登録した音楽データＤ１がどのようなものかを提示しつつ、その音楽データＤ１それぞれを実際に購入するか否かを確認させ得るようになされている。
【０３８５】
すなわち、選択部１１２は、表示制御部１１７により表示部１１８に対し候補購入確認画面１６０が表示された状態で、例えばユーザによりリモートコントローラＲＭ２の上方向選択ボタンＲＭ１Ｆ又は下方向選択ボタンＲＭ１Ｇが押下操作され、スクロール命令が入力されると、これを表示制御部１１７に通知する。このとき表示制御部１１７は、選択部１１２からの通知に応じて、候補購入確認画面１６０の購入候補提示欄１６１内で例えば何れか一つの提示項目１６１Ａ乃至１６１Ｃを指示するカーソル（図示せず）を上方向又は下方向に移動させる。
【０３８６】
また表示制御部１１７は、購入候補提示欄１６１内において一番上又は一番下の提示項目１６１Ａ乃至１６１Ｃをカーソルで指示した状態で、選択部１１２からさらにカーソルを上方向又は下方向に移動させるように通知されると、当該カーソルの位置はそのままに各提示項目１６１Ａ乃至１６１Ｃを、カーソルに対する移動方向とは逆方向にスクロールさせることにより、それまで表示し得なかった提示項目を新たに表示させるようにする。これにより表示制御部１１７は、候補購入確認画面１６０上でカーソルにより購入候補提示欄１６１内の提示項目１６１Ａ乃至１６１Ｃとして、購入候補の音楽データＤ１を１つずつ選択させる。
【０３８７】
選択部１１２は、候補購入確認画面１６０上で何れかの提示項目１６１Ａ乃至１６１Ｃがカーソルにより指示された状態で、例えばユーザによりリモートコントローラＲＭ２の決定ボタンＲＭ１Ｊが押下操作されると、このとき入力された命令が購入選択命令であると認識し、これを表示制御部１１７に通知する。これにより表示制御部１１７は、選択部１１２からの通知に応じて、候補購入確認画面１６０の購入候補提示欄１６１において、その時点にカーソルが指示していた提示項目１６１Ａ乃至１６１Ｃのチェックボックス１６２内にチェックマークを表示させる。因みに表示制御部１１７は、チェックボックス１６２内にチェックマークを表示させた提示項目１６１Ａ乃至１６１Ｃをカーソルが指示した状態で、再び選択部１１２から購入選択命令の入力が通知されると、そのチェックマークを消すようにしている。このようにして表示制御部１１７は、候補購入確認画面１６０内のチェックボックス１６２に表示させたチェックマークにより、対応する音楽データＤ１が実際に購入するものとして選択されたことを通知する。
【０３８８】
そして選択部１１２は、例えばユーザによりリモートコントローラＲＭ２の右方向選択ボタンＲＭ１Ｉが押下操作され、右方向選択命令が入力されると、これを表示制御部１１７に通知する。表示制御部１１７は、このとき選択部１１２からの通知に応じて、候補購入確認画面１６０上でカーソルを購入候補提示欄１６１から候補購入決定ボタン１６３に移動させる。因みに表示制御部１１７は、候補購入決定ボタン１６３上にカーソルを位置させた状態で、例えばユーザによりリモートコントローラＲＭ２の左方向選択ボタンＲＭ１Ｈが押下操作され、選択部１１２から左方向選択命令の入力が通知されると、候補購入確認画面１６０上でカーソルを候補購入決定ボタン１６３から購入候補提示欄１６１に移動させる。これにより表示制御部１１７は、再びカーソルにより提示項目１６１Ａ乃至１６１Ｃを指示させることができるようにする。
【０３８９】
選択部１１２は、候補購入決定ボタン１６３上にカーソルが位置している状態で、例えばユーザによりリモートコントローラＲＭ２の決定ボタンＲＭ１Ｊが押下操作されると、このとき入力された命令が候補購入命令であると認識し、これを表示制御部１１７及び通信制御部１１５に通知する。これにより表示制御部１１７は、選択部１１２からの通知に応じて、その時点の候補購入確認画面１６０の表示内容に基づき、ユーザにより購入するように決定された音楽データＤ１を判別し、当該判別した音楽データＤ１を購入対象として通信制御部１１５に通知すると共に、候補購入確認画面１６０を閉じる。
【０３９０】
これにより通信制御部１１５は、表示制御部１１７から通知された購入対象の１又は複数の音楽データＤ１を購入要求する購入要求情報（すなわち、購入情報を含む）をネットワークＮＴ上の外部装置１１６に送信する。その結果、通信制御部１１５は、外部装置１１６から購入処理の完了に応じて、購入対象の音楽データＤ１及び対応するデータ関連情報ＤＲＥと、購入完了通知とが送信されると、これらをダウンロードして、当該購入完了通知を表示制御部１１７に送出する。
【０３９１】
表示制御部１１７は、通信制御部１１５から購入完了通知が与えられると、例えば、その購入完了通知に基づき、候補購入完了通知画面データを生成する。そして表示制御部１１７は、かかる候補購入完了通知画面データを表示部１１８に送出する。これにより表示制御部１１７は、表示部１１８に対し候補購入完了通知画面データに基づく図４５に示すような候補購入完了通知画面１６５を表示する。
【０３９２】
この場合、候補購入完了通知画面１６５には、購入候補登録リストを利用した音楽データＤ１の購入が完了したことを通知する購入完了通知文１６６が表示されている。また候補購入完了通知画面１６５には、購入の完了した音楽データＤ１の購入価格の合計を示す価格情報１６７も表示され、さらに候補購入完了通知画面１６５を閉じるための閉ボタン１６８が設けられている。従って表示制御部１１７は、表示部１１８に表示した候補購入完了通知画面１６５により、ユーザに対し購入候補登録リストを利用した音楽データＤ１の購入が完了したことを通知することができる。
【０３９３】
そして選択部１１２は、表示制御部１１７により表示部１１８に対し候補購入完了通知画面１６５が表示された状態で、ユーザにより例えばリモートコントローラＲＭ２の決定ボタンＲＭ１Ｊが押下操作されると、そのとき入力された命令を候補購入完了通知画面１６５を閉じる画面閉命令であると認識し、これを表示制御部１１７に通知する。これにより表示制御部１１７は、表示部１１８に表示していた候補購入完了通知画面１６５を閉じる。
【０３９４】
一方、再生部１１３は、選択部１１２により、ストリーミングプレイリストＰＬ１の割り当てられたチャンネルが選択されると、これに応じてコンテンツデータ記憶部１１４からストリーミングプレイリストＰＬ１を読み出す。そして再生部１１３は、ストリーミングプレイリストＰＬ１に格納されているバージョン情報を通信制御部１１５に送出する。通信制御部１１５は、再生部１１３からバージョン情報が与えられると、外部装置１１６に対し現在、再生装置１１０で使用しているストリーミングプレイリストＰＬ１が最新のものであるかを問い合わせ、その結果、最新のものであることが確認されると、再生部１１３にこれを通知する。
【０３９５】
また通信制御部１１５は、現在、再生装置１１０で使用しているストリーミングプレイリストＰＬ１が更新前のものであると、外部装置１１６から最新のストリーミングプレイリストＰＬ１をダウンロードする。これにより通信制御部１１５は、その最新のストリーミングプレイリストＰＬ１を再生部１１３に送出すると共に、コンテンツデータ記憶部１１４にも送出する。これによりコンテンツデータ記憶部１１４は、通信制御部１１５から与えられた最新のストリーミングプレイリストＰＬ１を、更新前のものに上書きするように記憶して、当該ストリーミングプレイリストＰＬ１を最新のものに変更する。
【０３９６】
従って再生部１１３は、コンテンツデータ記憶部１１４から読み出した、又は通信制御部１１５から与えられた最新のストリーミングプレイリストＰＬ１に従い、これに格納されている１つの音楽登録情報ＴＲ内のコンテンツ指示情報ＭＩＤを通信制御部１１５に送出する。これにより通信制御部１１５は、コンテンツ指示情報ＭＩＤに従い、対応する音楽データＤ１をストリーミング再生用として配信（以下、この配信をストリーミング配信と呼ぶ）するように要求するストリーミング配信要求情報をネットワークＮＴ上の外部装置１１６に送信する。
【０３９７】
この場合、外部装置１１６は、再生装置１１０から送信されたストリーミング配信要求情報を受信すると、ストリーミング配信の要求された音楽データＤ１をそのまま試聴用音楽データとし、第２の通信形態でその試聴用音楽データを対応するデータ関連情報ＤＲＥと共に再生装置１１０に返信する。これにより通信制御部１１５は、外部装置１１６から送信された試聴用音楽データ及び対応するデータ関連情報ＤＲＥを受信しながら再生部１１３に送出する。再生部１１３は、通信制御部１１５から与えられた試聴用音楽データに対する先頭位置からのストリーミング再生を開始する。これにより再生部１１３は、ユーザに対し試聴可能な音楽データＤ１に基づく音楽の全体を試聴させることができる。因みに再生部１１３は、このとき通信制御部１１５から与えられたデータ関連情報ＤＲＥに含まれるデータ属性情報ＤＡＴを表示制御部１１７に送出している。
【０３９８】
また再生部１１３は、試聴用音楽データに対する全体のストリーミング再生途中に選択部１１２から、再生する音楽データＤ１を切り替えるように通知されると、ストリーミングプレイリストＰＬ１に従い上述と同様に、通信制御部１１５により外部装置１１６から第２の通信形態で新たな試聴用音楽データ及び対応するデータ関連情報ＤＲＥを受信させながら取り込む。これにより再生部１１３は、その時点の試聴用音楽データのストリーミング再生を中断すると共に、新たな試聴用音楽データに対する先頭位置からのストリーミング再生を開始する。このようにして再生部１１３は、ユーザからの要求に応じてストリーミングプレイリストＰＬ１に従い、試聴用音楽データを切り替えてストリーミング再生する。
【０３９９】
さらに再生部１１３は、試聴用音楽データに対する全体のストリーミング再生が完了すると、ストリーミングプレイリストＰＬ１に従い上述と同様に通信制御部１１５により外部装置１１６から第２の通信形態で新たな試聴用音楽データ及び対応するデータ関連情報ＤＲＥを受信させながら取り込む。これにより再生部１１３は、その時点に全体のストリーミング再生が完了した試聴用音楽データに替えて、新たな試聴用音楽データに対する先頭位置からのストリーミング再生を開始する。このようにして再生部１１３は、試聴用音楽データに対する全体の再生が完了したときにも、ストリーミングプレイリストＰＬ１に従い、ストリーミング再生する試聴用音楽データを切り替えて先頭位置からのストリーミング再生を開始する。
【０４００】
さらにまた選択部１１２は、再生部１１３により試聴用音楽データがストリーミング再生されている途中に、ユーザにより例えばリモートコントローラＲＭ２の決定ボタンＲＭ１Ｊが押下操作され、ストリーミング再生中の試聴用音楽データに対応する音楽データＤ１（すなわち、試聴用音楽データとは同じ音楽データＤ１）のダウンロードを決定するダウンロード決定命令が入力されると、これを通信制御部１１５に通知する。通信制御部１１５は、選択部１１２から音楽データＤ１に対するダウンロードの決定が通知されると、再生部１１３に対しては、その時点の試聴用音楽データに対するストリーミング再生を維持させながら、当該ストリーミング再生中の試聴用音楽データに対応する音楽データＤ１のダウンロードを要求するダウンロード要求情報をネットワークＮＴ上の外部装置１１６に送信する。
【０４０１】
外部装置１１６は、再生装置１１０から送信されたダウンロード要求情報を受信すると、第１の通信形態で、ダウンロードの要求された音楽データＤ１（すなわち、この時点に再生装置１１０でストリーミング再生されている試聴用音楽データと同一のもの）を対応するデータ関連情報ＤＲＥと共に再生装置１１０に返信する。これにより通信制御部１１５は、外部装置１１６から返信された音楽データＤ１及び対応するデータ関連情報ＤＲＥをダウンロードして、これら音楽データＤ１及び対応するデータ関連情報ＤＲＥをコンテンツデータ記憶部１１４に送出する。また通信制御部１１５は、そのダウンロードが完了すると、当該ダウンロードの完了を表示制御部１１７に通知する。さらに通信制御部１１５は、このときダウンロードされた音楽データＤ１に対応するコンテンツ指示情報ＭＩＤ（すなわち、ネットワークＮＴ上の記憶場所を指示するコンテンツ指示情報ＭＩＤ）を指示情報変更部１２６に送出する。
【０４０２】
これによりコンテンツデータ記憶部１１４は、通信制御部１１５からダウンロードして与えられた音楽データＤ１及び対応するデータ関連情報ＤＲＥをコンテンツデータベースＣＤＢ１に記憶して保存する。そしてコンテンツデータ記憶部１１４は、この際もコンテンツデータベースＣＤＢ１に対する音楽データＤ１及び対応するデータ関連情報ＤＲＥの記憶が完了すると、当該音楽データＤ１に対するコンテンツデータ記憶部１１４内の記憶場所を指示する新たなコンテンツ指示情報を指示情報変更部１２６に送出する。従って指示情報変更部１２６は、上述と同様にコンテンツデータ記憶部１１４内のストリーミングプレイリストＰＬ１に格納されている音楽登録情報ＴＲ内の、このときダウンロードされた音楽データＤ１に対応するコンテンツ指示情報ＭＩＤ（これは、ネットワークＮＴ上の記憶場所を指示するものであり、通信制御部１１５から与えられたコンテンツ指示情報ＭＩＤで判別する）を、コンテンツデータ記憶部１１４から与えられた新たなコンテンツ指示情報に変更する。
【０４０３】
これにより指示情報変更部１２６は、ストリーミングプレイリストＰＬ１に従い試聴用音楽データをストリーミング再生して試聴させている状態で、対応する音楽データＤ１がダウンロードされると、この後、ストリーミングプレイリストＰＬ１が最新のものに変更されるまでの間、そのストリーミングプレイリストＰＬ１に従い、未だダウンロードされてはいない音楽データＤ１については、外部装置１１６から試聴用音楽データとして受信させてストリーミング再生させる。しかしながら指示情報変更部１２６は、そのストリーミングプレイリストＰＬ１に従い、ダウンロード済の音楽データＤ１については何らネットワークＮＴを利用させることなくコンテンツデータ記憶部１１４から読み出させて再生させることができるようになされている。
【０４０４】
ところで再生部１１３は、試聴用音楽データに対するストリーミング再生中に当該試聴用音楽データに対応する音楽データＤ１がダウンロードされても、そのダウンロードを通信制御部１１５が実行するため、当該試聴用音楽データのストリーミング再生を維持している。これにより再生部１１３は、試聴用音楽データに対するストリーミング再生中に、その試聴用音楽データに対応する音楽データＤ１をダウンロードするように要求され実際にダウンロードされても、その間、当該試聴用音楽データをストリーミング再生して得られる音楽をユーザに試聴させ続けることができる。
【０４０５】
そして再生部１１３は、ストリーミング再生中の試聴用音楽データに対応する音楽データＤ１のダウンロードが完了しても、ユーザによりストリーミング再生する音楽データＤ１を切り替えるように要求されないまま、当該試聴用音楽データのストリーミング再生が後尾位置まで終了すると、再びストリーミングプレイリストＰＬ１に従い上述と同様に通信制御部１１５により外部装置１１６から新たな試聴用音楽データ及び対応するデータ関連情報ＤＲＥを受信させながら取り込む。これにより再生部１１３は、後尾位置までのストリーミング再生が終了した試聴用音楽データに替えて、新たな試聴用音楽データに対する先頭位置からのストリーミング再生を開始する。
【０４０６】
また再生部１１３は、ストリーミング再生中の試聴用音楽データに対応する音楽データＤ１のダウンロードが完了した後、その試聴用音楽データを後尾位置までストリーミング再生し終える前に、ユーザによりストリーミング再生する音楽データＤ１を切り替えるように要求されると、再びストリーミングプレイリストＰＬ１に従い上述と同様に通信制御部１１５により外部装置１１６から新たな試聴用音楽データ及び対応するデータ関連情報ＤＲＥを受信させながら取り込む。これにより再生部１１３は、その時点の試聴用音楽データのストリーミング再生を中断すると共に、新たな試聴用音楽データに対する先頭位置からのストリーミング再生を開始する。
【０４０７】
因みに再生部１１３は、試聴用音楽データに対するストリーミング再生中に、選択部１１２から新たに選択したチャンネルが通知されると、当該選択されたチャンネルに応じて、上述と同様にコンテンツデータ記憶部１１４又は外部装置１１６から新たなプレイリストＰＬ１及びＰＬ２を読み出す。そして再生部１１３は、その新たなプレイリストＰＬ１及びＰＬ２に従いコンテンツデータ記憶部１１４又は外部装置１１６から音楽データＤ１及びデータ関連情報ＤＲＥを読み出して、その時点に試聴用音楽データのストリーミング再生を中断すると共に、当該読み出した音楽データＤ１に対する特徴位置からの再生を開始する。このようにして再生部１１３は、ストリーミングプレイリストＰＬ１を使用した試聴可能な音楽データＤ１に基づく音楽の試聴を終了する。
【０４０８】
ところでコンテンツデータ記憶部１１４は、試聴可能な音楽データＤ１をダウンロード候補として登録するためのダウンロード候補登録リストを予め記憶している。そして選択部１１２は、再生部１１３によりストリーミングプレイリストＰＬ１に従い試聴用音楽データがストリーミング再生されている途中に、ユーザにより例えばリモートコントローラＲＭ２のお気に入りボタンＲＭ２Ａが押下操作され、その時点にストリーミング再生中の試聴用音楽データに対応する音楽データＤ１をダウンロード候補として登録するように要求するダウンロード候補登録要求命令が入力されると、これを再生部１１３に通知する。
【０４０９】
再生部１１３は、選択部１１２から音楽データＤ１をダウンロード候補として登録するように要求されたことが通知されると、コンテンツデータ記憶部１１４からダウンロード候補登録リストを読み出す。そして再生部１１３は、選択部１１２から、さらに音楽データＤ１に対するダウンロード候補としての登録の決定が通知されると、ダウンロード候補登録リストに対し、その時点にストリーミング再生中の試聴用音楽データに対応するコンテンツ指示情報ＭＩＤや音楽タイトル等を載せることにより当該試聴用音楽データに対応する音楽データＤ１をダウンロード候補として登録する。このようにして再生部１１３は、試聴用音楽データのストリーミング再生中に対応する音楽データＤ１をダウンロード候補として登録するように要求される毎に、ダウンロード候補登録リストに対し当該対応する音楽データＤ１をダウンロード候補として登録する。
【０４１０】
そして選択部１１２は、ストリーミングプレイリストＰＬ１が使用された音楽の試聴中や他のプレイリストＰＬ１が使用された音楽の聴取中のように、ユーザにより任意の時点に操作部１１１が操作され、ダウンロード候補として登録していた音楽データＤ１をダウンロードする候補ダウンロード命令が入力されると、これを通信制御部１１５に通知する。この場合、通信制御部１１５は、選択部１１２からの通知に応じて、ダウンロード候補登録リストに登録されている音楽データＤ１のうち、ユーザにより最終的にダウンロードするように決定された音楽データＤ１をダウンロード要求するためのダウンロード要求情報をネットワークＮＴ上の外部装置１１６に送信する。
【０４１１】
この場合、外部装置１１６は、再生装置１１０から送信されたダウンロード要求情報を受信すると、第１の通信形態で、ダウンロードの要求された音楽データＤ１を対応するデータ関連情報ＤＲＥと共に再生装置１１０に返信する。これにより通信制御部１１５は、外部装置１１６から返信された音楽データＤ１及び対応するデータ関連情報ＤＲＥをダウンロードしてコンテンツデータ記憶部１１４に送出する。また通信制御部１１５は、音楽データＤ１及び対応するデータ関連情報ＤＲＥのダウンロードが完了すると、当該ダウンロードの完了を表示制御部１１７に通知する。さらに通信制御部１１５は、このときダウンロードされた音楽データＤ１に対応するコンテンツ指示情報ＭＩＤ（すなわち、ネットワークＮＴ上の記憶場所を指示するコンテンツ指示情報ＭＩＤ）を指示情報変更部１２６に送出する。
【０４１２】
従ってコンテンツデータ記憶部１１４は、通信制御部１１５から与えられた音楽データＤ１及び対応するデータ関連情報ＤＲＥをコンテンツデータベースＣＤＢ１に記憶して保存する。またコンテンツデータ記憶部１１４は、コンテンツデータベースＣＤＢ１に対する音楽データＤ１及び対応するデータ関連情報ＤＲＥの記憶が完了すると、当該音楽データＤ１に対するコンテンツデータ記憶部１１４内の記憶場所を指示する新たなコンテンツ指示情報を指示情報変更部１２６に送出する。これにより指示情報変更部１２６は、上述と同様に、コンテンツデータ記憶部１１４内のストリーミングプレイリストＰＬ１に格納されている音楽登録情報ＴＲ内の、このときダウンロードされた音楽データＤ１に対応するコンテンツ指示情報ＭＩＤを、コンテンツデータ記憶部１１４から与えられた新たなコンテンツ指示情報に変更する。
【０４１３】
このようにして指示情報変更部１２６は、ダウンロード候補として登録されていた音楽データＤ１がダウンロードされたときでも、これに応じてストリーミングプレイリストＰＬ１内のコンテンツ指示情報ＭＩＤを変更する。このため指示情報変更部１２６は、この後、ストリーミングプレイリストＰＬ１が最新のものに変更されるまでの間、そのストリーミングプレイリストＰＬ１に従い、ダウンロード済の音楽データＤ１を、何らネットワークＮＴを利用させることなくコンテンツデータ記憶部１１４から読み出させて再生させることができる。
【０４１４】
因みに通信制御部１１５は、このように音楽データＤ１及び対応するデータ関連情報ＤＲＥをダウンロードしたときには、そのダウンロードした音楽データＤ１を再生部１１３に通知する。これにより再生部１１３は、このときコンテンツデータ記憶部１１４からダウンロード候補登録リストを読み出すと共に、そのダウンロード候補登録リストに登録している１又は複数の音楽データＤ１のうち、ダウンロードされた音楽データＤ１の登録を取り消すようにして当該ダウンロード候補登録リストを更新する。そして再生部１１３は、このように更新したダウンロード候補登録リストをコンテンツデータ記憶部１１４に送出して記憶させることにより、この後、ダウンロード候補登録リストを利用して同一の音楽データＤ１が重複してダウンロードされることを回避させる。
【０４１５】
これに加えて表示制御部１１７は、選択部１１２により、ストリーミングプレイリストＰＬ１の割り当てられたチャンネルが選択されたことに応じて、再生部１１３からストリーミングプレイリストＰＬ１と、これに登録された音楽データＤ１に対応するデータ属性情報ＤＡＴとが与えられると、これらストリーミングプレイリストＰＬ１やデータ属性情報ＤＡＴに基づき、選択画面データを生成する。そして表示制御部１１７は、かかる選択画面データを表示部１１８に送出することにより、当該表示部１１８に対し選択画面データに基づき、図３１との対応部分に同一符号を付した図４６に示すような選択画面１７０を表示する。
【０４１６】
この場合、選択画面１７０は、チャンネル選択領域２１の中央部に、ストリーミングプレイリストＰＬ１の割り当てられたチャンネルをチャンネル番号ＣＮとして通知する選択チャンネル通知アイコン２３が表示されると共に、音楽選択領域２２に当該ストリーミングプレイリストＰＬ１に対応するリスト名２６や説明文２７等が表示されている。これに加えて選択画面１７０は、ストリーミングプレイリストＰＬ１に従い試聴用にストリーミング再生される音楽データＤ１がネットワークＮＴを介して提供されるため、ネットワーク配信通知アイコン２８も表示されている。
【０４１７】
また再生部１１３は、試聴用音楽データに対する先頭位置からのストリーミング再生の再生時間が所定時間（すなわち、先頭位置から後尾位置までのストリーミング再生に要する再生時間よりも短い所定時間）に達するまでの間に、選択部１１２から新たに選択されたチャンネルや試聴用に再生する音楽データＤ１（すなわち、試聴用音楽データ）を切り替えることが通知されないときには、当該再生時間が所定時間に達した時点に、試聴用音楽データを先頭位置から所定時間ストリーミング再生したことを表示制御部１１７に通知する。この場合、表示制御部１１７は、上述と同様に再生画面データを生成して表示部１１８に送出することにより、その表示部１１８に対し再生画面データに基づき、図３２との対応部分に同一符号を付した図４７に示すような再生画面１７１を表示する。
【０４１８】
かかる再生画面１７１は、音楽データＤ１に基づく音楽が試聴されている間は（すなわち、未だダウンロードされてはいない音楽データＤ１が試聴用音楽データとしてストリーミング再生されている間は）、例えばジャケット写真画像４７の上側に、ネットワーク配信通知アイコン４８が表示されている。
【０４１９】
また選択部１１２は、音楽データＤ１に基づく音楽が試聴されている途中（すなわち、未だダウンロードされてはいない音楽データＤ１が試聴用音楽データとしてストリーミング再生されている途中）に、ユーザにより例えばリモートコントローラＲＭ２の決定ボタンＲＭ１Ｊが１度押下操作され、試聴中の音楽の音楽データＤ１をダウンロードするように要求するダウンロード要求命令が入力されると、これを表示制御部１１７に通知する。この場合、表示制御部１１７は、選択部１１２からの通知に応じて、その時点に試聴中の音楽の音楽データＤ１に対応するデータ属性情報ＤＡＴに基づいて、ダウンロード確認画面データを生成する。そして表示制御部１１７は、かかるダウンロード確認画面データを表示部１１８に送出することにより、当該表示部１１８において例えば選択画面１７０（又は再生画面１７１）にダウンロード確認画面データに基づく図４８に示すようなダウンロード確認画面１７２を重ねて表示する。
【０４２０】
この場合、ダウンロード確認画面１７２には、現在試聴中の音楽の音楽データＤ１をダウンロードするか否かを確認するダウンロード確認文１７３が表示されている。またダウンロード確認画面１７２には、ダウンロードを決定するためのダウンロード決定ボタン１７４と、そのダウンロードを取り消すためのダウンロード取消ボタン１７５とが設けられている。そして表示制御部１１７は、ダウンロード確認画面１７２上でダウンロード決定ボタン１７４とダウンロード取消ボタン１７５との何れか一方を、例えばダウンロード確認画面１７２内で唯一目立つような所定の表示状態で強調表示している。
【０４２１】
この状態で選択部１１２は、ユーザによりリモートコントローラＲＭ２の左方向選択ボタンＲＭ１Ｈや右方向選択ボタンＲＭ１Ｉが押下操作され、左方向選択命令や右方向選択命令が入力されると、これを表示制御部１１７に通知する。表示制御部１１７は、選択部１１２からの通知に応じて、ダウンロード確認画面１７２上でダウンロード決定ボタン１７４とダウンロード取消ボタン１７５との強調表示の表示状態を交互に切り替える。これにより表示制御部１１７は、ダウンロード確認画面１７２上でダウンロード決定ボタン１７４とダウンロード取消ボタン１７５とを介してユーザに対しダウンロードの決定及び取り消しの何れか一方を選択させ得るようになされている。このようにして表示制御部１１７は、表示部１１８に表示したダウンロード確認画面１７２により、ユーザに対し音楽データＤ１を実際にダウンロードするか否かを確認させることができる。
【０４２２】
そして選択部１１２は、表示部１１８に表示されたダウンロード確認画面１７２上でダウンロード決定ボタン１７４が選択された状態で、ユーザによりリモートコントローラＲＭ２の決定ボタンＲＭ１Ｊが再び押下操作されると、そのとき入力された命令をダウンロード決定命令と認識し、音楽データＤ１のダウンロードが決定されたことを通信制御部１１５に通知する。このようにして選択部１１２は、ユーザによる操作部１１１（すなわち、リモートコントローラＲＭ２）の操作に応じて、試聴中の音楽の音楽データＤ１に対するダウンロードを実行させることができる。
【０４２３】
また表示制御部１１７は、試聴中の音楽の音楽データＤ１に対するダウンロードが実行され、その結果、通信制御部１１５からダウンロードの完了が通知されると、その時点に試聴中の音楽の音楽データＤ１（すなわち、このときダウンロードされた音楽データＤ１）に対応するデータ属性情報ＤＡＴに基づき、ダウンロード完了通知画面データを生成する。そして表示制御部１１７は、かかるダウンロード完了通知画面データを表示部１１８に送出する。これにより表示制御部１１７は、表示部１１８において例えば選択画面１７０（又は再生画面１７１）にダウンロード完了通知画面データに基づく図４９に示すようなダウンロード完了通知画面１７６を重ねて表示する。
【０４２４】
この場合、ダウンロード完了通知画面１７６には、現在試聴中の音楽の音楽データＤ１に対するダウンロードが完了したことを通知するダウンロード完了通知文１７７が表示されている。またダウンロード完了通知画面１７６には、当該ダウンロード完了通知画面１７６を閉じるための閉ボタン１７８が設けられている。従って表示制御部１１７は、表示部１１８に表示したダウンロード完了通知画面１７６により、ユーザに対しどのような音楽データＤ１がダウンロードされたかを通知することができる。
【０４２５】
そして選択部１１２は、表示制御部１１７により表示部１１８に対しダウンロード完了通知画面１７６が表示された状態で、ユーザにより例えばリモートコントローラＲＭ２の決定ボタンＲＭ１Ｊが押下操作されると、そのとき入力された命令を、ダウンロード完了通知画面１７６を閉じる画面閉命令であると認識し、当該ダウンロード完了通知画面１７６を閉じるように要求されたことを表示制御部１１７に通知する。これにより表示制御部１１７は、表示部１１８においてダウンロード完了通知画面１７６を閉じて選択画面１７０のみ（又は、再生画面１７１のみ）を表示する。
【０４２６】
すなわち、表示制御部１１７は、試聴中の音楽の音楽データＤ１がダウンロード処理されている間も、ネットワークＮＴを利用して再生部１１３により当該音楽データＤ１が試聴用音楽データとしてストリーミング再生されているため、表示部１１８に対する選択画面１７０（又は、再生画面１７１）の表示を継続している。そして表示制御部１１７は、試聴可能な音楽データＤ１についてはその全体が試聴用音楽データとしてストリーミング再生されるため、当該音楽データＤ１のダウンロードが完了した後にも、表示部１１８に表示していた選択画面１７０（又は、再生画面１７１）をユーザに見せて、ダウンロードしてもストリーミング再生中の音楽データＤ１を音楽タイトル３０やアーティスト名３１等で確認させることができる。
【０４２７】
因みに再生部１１３は、音楽データＤ１に基づく音楽の試聴中に、当該音楽データＤ１のダウンロードが完了しても、その音楽データＤ１を試聴用音楽データとしてストリーミング再生し続けている。このため表示制御部１１７は、表示部１１８に表示する選択画面１７０（又は、再生画面１７１）に対し、ネットワーク配信通知アイコン２８（又は、ネットワーク配信通知アイコン４８）を継続して表示する。ただし再生部１１３は、音楽の試聴中にダウンロードの完了した音楽データＤ１を試聴用音楽データとしてストリーミング再生していても、そのストリーミング再生が終了した後に、同一の音楽の再生が要求されたときは、当該ダウンロードした音楽データＤ１を再生する。このため表示制御部１１７は、このとき表示部１１８に対しては、図５０に示すようにネットワーク配信通知アイコン２８を消去した選択画面１８０（又は、図５１に示すように、ネットワーク配信通知アイコン４８を消去した再生画面１８１）を表示する。これにより表示制御部１１７は、ダウンロードした音楽データＤ１を再生するときには、選択画面１８０（又は、再生画面１８１）の表示内容により、当該音楽データＤ１がすでにダウンロードされて再生装置１１０に保存されていることを認識させることができる。
【０４２８】
なお再生装置１１０では、例えば、音楽の試聴中にダウンロードの完了した音楽データＤ１を試聴用音楽データとしてストリーミング再生し続けていても、当該音楽データＤ１のダウンロードが完了した時点に、選択画面１７０（又は、再生画面１７１）の表示内容を一部更新する（すなわち、ネットワーク配信通知アイコン２８（又は、ネットワーク配信通知アイコン４８）が消去された選択画面１８０（又は、再生画面１８１）に更新する）ように設定することもできる。従って再生装置１１０では、このように設定していたときには、音楽の試聴中にダウンロードの完了した音楽データＤ１を試聴用音楽データとしてストリーミング再生し続けていても、その音楽データＤ１を、未だダウンロードしてはいないものと勘違いして再びダウンロードするように要求されることをほぼ確実に回避し得るようになされている。
【０４２９】
ところで表示制御部１１７は、ダウンロード候補登録要求命令の入力に応じて選択部１１２から、試聴中の音楽の音楽データＤ１をダウンロード候補として登録するように要求されたことが通知されると、その時点に試聴中の音楽の音楽データＤ１に対応するデータ属性情報ＤＡＴに基づいて、ダウンロード候補登録確認画面データを生成する。そして表示制御部１１７は、かかるダウンロード候補登録確認画面データを表示部１１８に送出する。これにより表示制御部１１７は、表示部１１８において例えば選択画面１７０（又は再生画面１７１）にダウンロード候補登録確認画面データに基づく図５２に示すようなダウンロード候補登録確認画面１８５を重ねて表示する。
【０４３０】
この場合、ダウンロード候補登録確認画面１８５には、現在試聴中の音楽の音楽データＤ１をダウンロード候補としてダウンロード候補登録リストに登録するか否かを確認する登録確認文１８６が表示されている。またダウンロード候補登録確認画面１８５には、ダウンロード候補の登録を決定するためのダウンロード候補登録決定ボタン１８７と、そのダウンロード候補の登録を取り消すためのダウンロード候補登録取消ボタン１８８とが設けられている。そして表示制御部１１７は、ダウンロード候補登録確認画面１８５上でダウンロード候補登録決定ボタン１８７とダウンロード候補登録取消ボタン１８８との何れか一方を、例えばダウンロード候補登録確認画面１８５内で唯一目立つような所定の表示状態で強調表示している。
【０４３１】
この状態で選択部１１２は、ユーザによりリモートコントローラＲＭ２の左方向選択ボタンＲＭ１Ｈや右方向選択ボタンＲＭ１Ｉが押下操作され、左方向選択命令や右方向選択命令が入力されると、これを表示制御部１１７に通知する。表示制御部１１７は、選択部１１２からの通知に応じて、ダウンロード候補登録確認画面１８５上でダウンロード候補登録決定ボタン１８７とダウンロード候補登録取消ボタン１８８との強調表示の表示状態を交互に切り替える。これにより表示制御部１１７は、ダウンロード候補登録確認画面１８５上でダウンロード候補登録決定ボタン１８７とダウンロード候補登録取消ボタン１８８とを介してユーザに対しダウンロード候補の登録に対する決定及び取り消しの何れか一方を選択させ得るようになされている。このようにして表示制御部１１７は、表示部１１８に表示したダウンロード候補登録確認画面１８５により、ユーザに対しダウンロード候補として登録しようとしている音楽データＤ１がどのようなものかを通知しつつ、当該音楽データＤ１を実際にダウンロード候補として登録するか否かを確認させることができる。
【０４３２】
そして選択部１１２は、表示部１１８に表示されたダウンロード候補登録確認画面１８５上でダウンロード候補登録決定ボタン１８７が選択された状態で、ユーザによりリモートコントローラＲＭ２の決定ボタンＲＭ１Ｊが押下操作されると、そのとき入力された命令をダウンロード候補登録決定命令と認識し、試聴中の音楽の音楽データＤ１に対するダウンロード候補としての登録が決定されたことを再生部１１３に通知する。これにより選択部１１２は、ユーザによる操作部１１１（すなわち、リモートコントローラＲＭ２）への操作に応じて、ダウンロード候補登録リストへ試聴中の音楽の音楽データＤ１をダウンロード候補として登録させることができる。
【０４３３】
また再生部１１３は、ダウンロード候補登録リストへの、試聴中の音楽の音楽データＤ１に対するダウンロード候補としての登録が完了すると、これを表示制御部１１７に通知している。従って表示制御部１１７は、再生部１１３からダウンロード候補としての登録の完了が通知されると、その時点に試聴中の音楽の音楽データＤ１（すなわち、このときダウンロード候補として登録された音楽データＤ１）に対応するデータ属性情報ＤＡＴに基づいて、ダウンロード候補登録完了通知画面データを生成する。そして表示制御部１１７は、かかるダウンロード候補登録完了通知画面データを表示部１１８に送出することにより、当該表示部１１８において例えば選択画面１７０（又は再生画面１７１）にダウンロード候補登録完了通知画面データに基づく図５３に示すようなダウンロード候補登録完了通知画面１９０を重ねて表示する。
【０４３４】
この場合、ダウンロード候補登録完了通知画面１９０には、現在試聴中の音楽の音楽データＤ１に対するダウンロード候補としての登録が完了したことを通知するダウンロード候補登録完了通知文１９１が表示されている。またダウンロード候補登録完了通知画面１９０には、当該ダウンロード候補登録完了通知画面１９０を閉じるための閉ボタン１９２が設けられている。従って表示制御部１１７は、表示部１１８に表示したダウンロード候補登録完了通知画面１９０により、ユーザに対しどのような音楽データＤ１がダウンロード候補として登録されたかを通知することができる。
【０４３５】
これに加えて選択部１１２は、ユーザにより任意の時点に操作部１１１が操作され、ダウンロード候補として登録していた音楽データＤ１をダウンロードするように要求する候補ダウンロード要求命令が入力されると、これを再生部１１３に通知する。このとき再生部１１３は、選択部１１２からの通知に応じて、コンテンツデータ記憶部１１４からダウンロード候補登録リストを読み出して表示制御部１１７に送出する。これにより表示制御部１１７は、かかるダウンロード候補登録リストに基づき、候補ダウンロード確認画面データを生成する。そして表示制御部１１７は、その候補ダウンロード確認画面データを表示部１１８に送出することにより、当該表示部１１８に対し候補ダウンロード確認画面データに基づく図５４に示すような候補ダウンロード確認画面１９５を表示する。
【０４３６】
この場合、候補ダウンロード確認画面１９５は、ダウンロード候補として登録された音楽データＤ１を提示する提示項目１９６Ａ乃至１９６Ｃをリスト化して表示するダウンロード候補提示欄１９６が設けられている。そしてダウンロード候補提示欄１９６の各提示項目１９６Ａ乃至１９６Ｃには、それぞれダウンロード候補として登録された１つの音楽データＤ１に対応する音楽タイトルやアーティスト名等が表示されると共に、当該音楽データＤ１のダウンロードの有無を確認するためのチェックボックス１９７が設けられている。因みにチェックボックス１９７は、チェックマークが入れられた場合、対応する提示項目１９６Ａ乃至１９６Ｃにより提示されている音楽データＤ１のダウンロードが確定されたことを示す。
【０４３７】
また候補ダウンロード確認画面１９５には、ダウンロード候補登録リストに対しダウンロード候補として登録した音楽データＤ１のダウンロードを決定して当該候補ダウンロード確認画面１９５を閉じるための候補ダウンロード決定ボタン１９８も設けられている。これにより表示制御部１１７は、表示部１１８に表示した候補ダウンロード確認画面１９５により、ユーザに対しダウンロード候補として登録した音楽データＤ１がどのようなものかを提示しつつ、その音楽データＤ１それぞれを実際にダウンロードするか否かを確認させ得るようになされている。
【０４３８】
すなわち、選択部１１２は、表示制御部１１７により表示部１１８に対し候補ダウンロード確認画面１９５が表示された状態で、例えばユーザによりリモートコントローラＲＭ２の上方向選択ボタンＲＭ１Ｆ又は下方向選択ボタンＲＭ１Ｇが押下操作され、スクロール命令が入力されると、これを表示制御部１１７に通知する。このとき表示制御部１１７は、選択部１１２からの通知に応じて、候補ダウンロード確認画面１９５のダウンロード候補提示欄１９６内で例えば何れか一つの提示項目１９６Ａ乃至１９６Ｃを指示するカーソル（図示せず）を上方向又は下方向に移動させる。
【０４３９】
また表示制御部１１７は、ダウンロード候補提示欄１９６内において一番上又は一番下の提示項目１９６Ａ乃至１９６Ｃをカーソルで指示した状態で、選択部１１２からさらにカーソルを上方向又は下方向に移動させるように通知されると、当該カーソルの位置はそのままに各提示項目１９６Ａ乃至１９６Ｃを、カーソルに対する移動方向とは逆方向にスクロールさせることにより、それまで表示し得なかった提示項目を新たに表示させるようにする。これにより表示制御部１１７は、候補ダウンロード確認画面１９５上でカーソルによりダウンロード候補提示欄１９６内の提示項目１９６Ａ乃至１９６Ｃとして、ダウンロード候補の音楽データＤ１を１つずつ選択させる。
【０４４０】
選択部１１２は、候補ダウンロード確認画面１９５上で何れかの提示項目１９６Ａ乃至１９６Ｃがカーソルにより指示された状態で、例えばユーザによりリモートコントローラＲＭ２の決定ボタンＲＭ１Ｊが押下操作されると、このとき入力された命令がダウンロード選択命令であると認識し、これを表示制御部１１７に通知する。これにより表示制御部１１７は、選択部１１２からの通知に応じて、候補ダウンロード確認画面１９５のダウンロード候補提示欄１９６において、その時点にカーソルが指示していた提示項目１９６Ａ乃至１９６Ｃのチェックボックス１９７内にチェックマークを表示させる。因みに表示制御部１１７は、チェックボックス１９７内にチェックマークを表示させた提示項目１９６Ａ乃至１９６Ｃをカーソルが指示した状態で、再び選択部１１２からダウンロード選択命令の入力が通知されると、そのチェックマークを消すようにしている。このようにして表示制御部１１７は、候補ダウンロード確認画面１９５内のチェックボックス１９７に表示させたチェックマークにより、対応する音楽データＤ１が実際にダウンロードするものとして選択されたことを通知する。
【０４４１】
そして選択部１１２は、例えばユーザによりリモートコントローラＲＭ２の右方向選択ボタンＲＭ１Ｉが押下操作され、右方向選択命令が入力されると、これを表示制御部１１７に通知する。表示制御部１１７は、このとき選択部１１２からの通知に応じて、候補ダウンロード確認画面１９５上でカーソルをダウンロード候補提示欄１９６から候補ダウンロード決定ボタン１９８に移動させる。因みに表示制御部１１７は、候補ダウンロード決定ボタン１９８上にカーソルを位置させた状態で、例えばユーザによりリモートコントローラＲＭ２の左方向選択ボタンＲＭ１Ｈが押下操作され、選択部１１２から左方向選択命令の入力が通知されると、候補ダウンロード確認画面１９５上でカーソルを候補ダウンロード決定ボタン１９８からダウンロード候補提示欄１９６に移動させる。これにより表示制御部１１７は、再びカーソルにより提示項目１９６Ａ乃至１９６Ｃを指示させることができるようにする。
【０４４２】
選択部１１２は、候補ダウンロード決定ボタン１９８上にカーソルが位置している状態で、例えばユーザによりリモートコントローラＲＭ２の決定ボタンＲＭ１Ｊが押下操作されると、このとき入力された命令が候補ダウンロード命令であると認識し、これを表示制御部１１７及び通信制御部１１５に通知する。これにより表示制御部１１７は、選択部１１２からの通知に応じて、その時点の候補ダウンロード確認画面１９５の表示内容に基づき、ユーザによりダウンロードするように決定された音楽データＤ１を判別し、当該判別した音楽データＤ１をダウンロード対象として通信制御部１１５に通知すると共に、候補ダウンロード確認画面１９５を閉じる。
【０４４３】
これにより通信制御部１１５は、表示制御部１１７から通知されたダウンロード対象の１又は複数の音楽データＤ１をダウンロード要求するダウンロード要求情報をネットワークＮＴ上の外部装置１１６に送信する。その結果、通信制御部１１５は、外部装置１１６からダウンロード対象の音楽データＤ１及び対応するデータ関連情報ＤＲＥが返信されると、これらをダウンロードして、当該ダウンロードの完了を表示制御部１１７に通知する。
【０４４４】
表示制御部１１７は、通信制御部１１５からダウンロードの完了が通知されると、これに応じて、候補ダウンロード完了通知画面データを生成する。そして表示制御部１１７は、かかる候補ダウンロード完了通知画面データを表示部１１８に送出する。これにより表示制御部１１７は、表示部１１８に対し候補ダウンロード完了通知画面データに基づく図５５に示すような候補ダウンロード完了通知画面２００を表示する。
【０４４５】
この場合、候補ダウンロード完了通知画面２００には、ダウンロード候補登録リストを利用した音楽データＤ１のダウンロードが完了したことを通知するダウンロード完了通知文２０１が表示されている。また候補ダウンロード完了通知画面２００には、当該候補ダウンロード完了通知画面２００を閉じるための閉ボタン２０２が設けられている。従って表示制御部１１７は、表示部１１８に表示した候補ダウンロード完了通知画面２００により、ユーザに対しダウンロード候補登録リストを利用した音楽データＤ１のダウンロードが完了したことを通知することができる。
【０４４６】
そして選択部１１２は、表示制御部１１７により表示部１１８に対し候補ダウンロード完了通知画面２００が表示された状態で、ユーザにより例えばリモートコントローラＲＭ２の決定ボタンＲＭ１Ｊが押下操作されると、そのとき入力された命令を、候補ダウンロード完了通知画面２００を閉じる画面閉命令であると認識し、これを表示制御部１１７に通知する。これにより表示制御部１１７は、表示部１１８に表示していた候補ダウンロード完了通知画面２００を閉じる。
【０４４７】
ここでチャンネルとして紹介プレイリストＰＬ１が選択されたときの試聴開始処理について説明する。この場合、選択部１１２は、ユーザによる操作部１１１の操作に応じて、紹介プレイリストＰＬ１の割り当てられたチャンネルを選択すると、図５６に示す第１の試聴開始処理手順ＲＴ１０を開始する。選択部１１２は、かかる第１の試聴開始処理手順ＲＴ１０を開始すると、ステップＳＰ３０１において、選択したチャンネル（すなわち、紹介プレイリストＰＬ１の割り当てられたチャンネル）を再生部１１３に通知する。
【０４４８】
ステップＳＰ３０２において再生部１１３は、選択部１１２からの通知に応じて、コンテンツデータ記憶部１１４に記憶されている紹介プレイリストＰＬ１のバージョン情報を通信制御部１１５に送出する。これにより通信制御部１１５は、そのバージョン情報に基づき、現在コンテンツデータ記憶部１１４に記憶されている紹介プレイリストＰＬ１が最新のものか否かを判別する。このステップＳＰ３０２において肯定結果が得られると、このことは、通信制御部１１５がバージョン情報をネットワークＮＴ上の外部装置１１６に送信し、コンテンツデータ記憶部１１４に記憶している紹介プレイリストＰＬ１が最新のものであるか否かを問い合わせた結果、当該外部装置１１６から最新のものであると返信されたことを表している。従って通信制御部１１５は、かかる肯定結果を得ると、次のステップＳＰ３０３に移る。
【０４４９】
これに対してステップＳＰ３０２において否定結果が得られると、このことは通信制御部１１５がバージョン情報をネットワークＮＴ上の外部装置１１６に送信し、コンテンツデータ記憶部１１４に記憶している紹介プレイリストＰＬ１が最新のものであるか否かを問い合わせた結果、当該外部装置１１６から過去のものであると返信されたことを表している。従って通信制御部１１５は、かかる否定結果を得ると、ステップＳＰ３０４に移る。
【０４５０】
そしてステップＳＰ３０４において通信制御部１１５は、外部装置１１６に対し最新の紹介プレイリストＰＬ１をダウンロードするように要求して、次のステップＳＰ３０５に移る。その結果、ステップＳＰ３０５において通信制御部１１５は、外部装置１１６から返信される最新の紹介プレイリストＰＬ１をダウンロードするようにして、その紹介プレイリストＰＬ１を正しくダウンロードし得たか否かを判別する。このステップＳＰ３０５において肯定結果が得られると、このことは、例えば外部装置１１６からダウンロードした紹介プレイリストＰＬ１のデータが破損してはいないことを表している。従って通信制御部１１５は、かかる肯定結果を得ると、ステップＳＰ３０３に移る。
【０４５１】
ステップＳＰ３０３において通信制御部１１５は、再生部１１３に対し紹介プレイリストＰＬ１が最新のものであることを通知し、又は最新の紹介プレイリストＰＬ１を送出する。従って再生部１１３は、最新の紹介プレイリストＰＬ１に格納されている複数のコンテンツ指示情報ＭＩＤの中から、当該紹介プレイリストＰＬ１に従い最初に試聴用として再生する音楽データＤ１のコンテンツ指示情報ＭＩＤを選択して通信制御部１１５に送出する。これにより通信制御部１１５は、そのコンテンツ指示情報ＭＩＤに従い、試聴用として再生する音楽データＤ１のダウンロードを要求するダウンロード要求情報をネットワークＮＴ上の外部装置１１６に送信して、次のステップＳＰ３０６に移る。その結果、ステップＳＰ３０６において通信制御部１１５は、外部装置１１６からダウンロード要求情報に応じて返信される試聴用音楽データ及び対応するデータ関連情報ＤＲＥをダウンロードするようにして、その試聴用音楽データを正しくダウンロードし得たか否かを判別する。
【０４５２】
このステップＳＰ３０６において肯定結果が得られると、このことは、例えば外部装置１１６からダウンロードした試聴用音楽データが破損してはいないことを表している。従って通信制御部１１５は、かかる肯定結果を得ると、試聴用音楽データと対応するデータ関連情報ＤＲＥとを再生部１１３に送出する。このためステップＳＰ３０７において再生部１１３は、通信制御部１１５から与えられた試聴用音楽データをバッファに一時記憶すると共に、その試聴用音楽データに対応するデータ関連情報ＤＲＥに含まれているデータ属性情報ＤＡＴを紹介プレイリストＰＬ１と共に、表示制御部１１７に送出する。これにより表示制御部１１７は、表示部１１８に表示していた例えば選択画面１２０の表示内容を、紹介プレイリストＰＬ１及びデータ属性情報ＤＡＴに基づいて更新（すなわち、図３６について上述した選択画面１３０に更新）する。
【０４５３】
そしてステップＳＰ３０８において再生部１１３は、試聴用音楽データに対し、その再生制限に従い特徴区間の区間開始位置からの再生を開始して、次のステップＳＰ３０９に移り、かかる第１の試聴開始処理手順ＲＴ１０を終了する。このようにして再生装置１１０では、ユーザによりチャンネルとして紹介プレイリストＰＬ１が選択されたとき、購入可能な音楽データＤ１の試聴を開始する。そして再生装置１１０では、購入可能な音楽データＤ１の試聴を開始すると、上述したように紹介プレイリストＰＬ１に従い外部装置１１６から試聴用音楽データを順次ダウンロードしてバッファに一時記憶すると共に当該試聴用音楽データに対する特徴区間の区間開始位置からの再生を開始する。これにより再生装置１１０では、紹介プレイリストＰＬ１に登録された購入可能な複数の音楽データＤ１に基づく音楽の特徴部分を連続的に試聴させることができる。
【０４５４】
因みに上述したステップＳＰ３０５において否定結果が得られると、このことは、例えば外部装置１１６からダウンロードした紹介プレイリストＰＬ１のデータが破損していることを表している。従って通信制御部１１５は、かかる否定結果を得ると、ステップＳＰ３１０に移る。またステップＳＰ３０６において否定結果が得られると、このことは、例えば外部装置１１６からダウンロードした試聴用音楽データが破損していることを表している。従って通信制御部１１５は、かかる否定結果を得たときも、ステップＳＰ３１０に移る。そしてステップＳＰ３１０において通信制御部１１５は、紹介プレイリストＰＬ１又は試聴用音楽データを正しくダウンロードし得なかったことを表示制御部１１７に通知する。これにより表示制御部１１７は、エラー処理として、例えばユーザに対し、購入可能な音楽データＤ１に基づく音楽を試聴し得ないことを通知した後、ステップＳＰ３０９に移る。
【０４５５】
次いで、紹介プレイリストＰＬ１を使用した試聴用音楽データの再生中に、当該試聴用音楽データに対応する音楽データＤ１を購入する音楽データ購入処理について説明する。この場合、選択部１１２は、再生部１１３により紹介プレイリストＰＬ１に従い試聴用音楽データの特徴区間が再生されている途中に、ユーザにより操作部１１１を介して、その試聴用音楽データに対応する音楽データＤ１の購入が要求されると、図５７に示す音楽データ購入処理手順ＲＴ１１を開始する。選択部１１２は、かかる音楽データ購入処理手順ＲＴ１１を開始すると、ステップＳＰ３２１において、音楽データＤ１の購入が要求されたことを表示制御部１１７に通知する。
【０４５６】
ステップＳＰ３２２において表示制御部１１７は、表示部１１８において、その時点に試聴用音楽データとして再生中の音楽データＤ１を通知可能な選択画面１３０又は再生画面１３２に重ねるように購入確認画面１３５を表示する。これにより表示制御部１１７は、その購入確認画面１３５を介してユーザに対し、音楽データＤ１を実際に購入するか否かを確認させるようにする。その結果、ステップＳＰ３２３において選択部１１２は、ユーザにより操作部１１１を介して、音楽データＤ１を実際に購入するように決定されると、これを通信制御部１１５に通知する。従ってステップＳＰ３２４において通信制御部１１５は、選択部１１２からの通知に応じて、再生部１１３に対し、その時点に再生中の試聴用音楽データの再生を維持させながら、当該再生中の試聴用音楽データに対応する元の音楽データＤ１を購入するための購入処理を実行する。その結果、通信制御部１１５は、音楽データＤ１の購入が完了すると、これを表示制御部１１７に通知する。
【０４５７】
これによりステップＳＰ３２５において表示制御部１１７は、表示部１１８において選択画面１３０又は再生画面１３２を音楽データＤ１の購入完了に応じて選択画面１４５又は再生画面１４６に更新すると共に、その選択画面１４５又は再生画面１４６に重ねるように購入完了通知画面１４０を表示して、ユーザに対し音楽データＤ１の購入が完了したことを通知する。そしてステップＳＰ３２６において選択部１１２は、ユーザにより購入した音楽データＤ１が確認されると、これを表示制御部１１７に通知する。従って表示制御部１１７は、選択部１１２からの通知に応じて表示部１１８に表示していた購入完了通知画面１４０を閉じる。これにより表示制御部１１７は、表示部１１８に対し購入完了通知画面１４０の下になっていた選択画面１４５又は再生画面１４６のみを表示して見せることで、その時点に再生中の音楽データＤ１（すなわち、そのとき購入された音楽データＤ１）を通知する。
【０４５８】
この状態でステップＳＰ３２７において再生部１１３は、再生する音楽データＤ１の切り替えを待ち受け、当該音楽データＤ１に対する後尾位置までの再生が終了し、又は再生する音楽データＤ１の切替要求に応じて、その時点に再生中の音楽データＤ１の再生を中断すると、次のステップＳＰ３２８に移る。ステップＳＰ３２８において再生部１１３は、その時点までバッファに一時記憶して再生していた音楽データＤ１（すなわち、購入された音楽データＤ１）を対応するデータ関連情報ＤＲＥと共にコンテンツデータ記憶部１１４に送出する。これによりコンテンツデータ記憶部１１４は、その購入された音楽データＤ１を対応するデータ関連情報ＤＲＥと共に記憶すると共に、当該音楽データＤ１の記憶場所を指示するコンテンツ指示情報を指示情報変更部１２６に送出する。
【０４５９】
従ってステップＳＰ３２９において指示情報変更部１２６は、紹介プレイリストＰＬ１に格納されている複数のコンテンツ指示情報ＭＩＤのうち、そのとき購入された音楽データＤ１に対応するコンテンツ指示情報ＭＩＤを、コンテンツデータ記憶部１１４から与えられた新たなコンテンツ指示情報に変更した後、次のステップＳＰ３３０に移って、かかる音楽データ購入処理手順ＲＴ１１を終了する。因みにステップＳＰ３２３において選択部１１２は、ユーザにより操作部１１１を介して、音楽データＤ１の購入を取り消すように決定されると、ステップＳＰ３３０に移り、音楽データ購入処理手順ＲＴ１１を終了する。
【０４６０】
ところで通信制御部１１５は、ステップＳＰ３２４に移ると、実際には図５８に示す音楽データ購入処理手順ＲＴ１１のサブルーチンＳＲＴ１１１を開始する。通信制御部１１５は、サブルーチンＳＲＴ１１１を開始すると、ステップＳＰ３４１において、購入対象の音楽データＤ１の購入処理に必要な購入情報を含む購入要求情報をネットワークＮＴ上の外部装置１１６に送信して、次のステップＳＰ３４２に移る。ステップＳＰ３４２において通信制御部１１５は、購入対象の音楽データＤ１に対する購入処理が成功したか否かを判別する。このステップＳＰ３４２において肯定結果が得られると、このことは外部装置１１６において購入対象の音楽データＤ１に対する購入処理が正常に完了し、これに応じて返信された購入完了通知と再生許可情報とを通信制御部１１５がダウンロードしたことを表している。従って通信制御部１１５は、かかる肯定結果を得ると、次のステップＳＰ３４３に移る。
【０４６１】
ステップＳＰ３４３において通信制御部１１５は、購入の完了を表示制御部１１７に通知すると共に、外部装置１１６からダウンロードした再生許可情報を付加情報更新部１２５に送出する。これにより付加情報更新部１２５は、再生許可情報に基づき、その時点に再生中の試聴用音楽データＤ１に付加されている付加情報（すなわち、再生制限設定情報）を更新する。従ってステップＳＰ３４４において再生部１１３は、その時点まで付加情報に従い特徴区間のみを再生するように制限していた試聴用音楽データを、更新後の付加情報に従い再生制限を解除して全体を再生可能な音楽データＤ１として扱うようにする。すなわち再生部１１３は、この後、音楽データＤ１を特徴区間の区間終了位置まで再生しても、その区間終了位置で自動的に再生を停止させることなく、当該区間終了位置以降も再生を維持するようにして、次のステップＳＰ３４５に移る。これにより再生部１１３は、かかるサブルーチンＳＲＴ１１１を終了する。よって、引き続き表示制御部１１７が上述したステップＳＰ３２５の処理を実行する。
【０４６２】
因みにステップＳＰ３４２において否定結果が得られると、このことは外部装置１１６において、例えば購入要求情報を正常に受信し得なかったために、購入対象の音楽データＤ１に対する購入処理を実行し得なかったことを表している。従って通信制御部１１５は、かかる否定結果を得ると、ステップＳＰ３４６に移る。そしてステップＳＰ３４６において通信制御部１１５は、購入対象の音楽データＤ１に対する購入処理が失敗したことを例えば表示制御部１１７に通知する。これにより表示制御部１１７は、例えばその時点に表示部１１８に表示している選択画面１３０又は再生画面１３２により音楽データＤ１の購入に失敗したことをユーザに通知してサブルーチンＳＲＴ１１１を抜け、このときにはステップＳＰ３３０に移って音楽データ購入処理手順ＲＴ１１を終了する。このようにして再生装置１１０では、紹介プレイリストＰＬ１に従い試聴用音楽データを再生してユーザにより購入可能な音楽データＤ１に基づく音楽が試聴されているときに、その音楽データＤ１の購入が要求されると、試聴用音楽データの再生を維持して音楽を試聴させながら当該音楽データＤ１を購入している。
【０４６３】
次いで、ユーザにより購入候補として選定された音楽データＤ１を購入候補登録リストに登録する購入候補登録処理について説明する。この場合、選択部１１２は、再生部１１３により紹介プレイリストＰＬ１に従い試聴用音楽データの特徴区間が再生されている途中に、ユーザにより操作部１１１を介して、その試聴用音楽データに対応する音楽データＤ１を購入候補として登録するように要求されると、図５９に示す購入候補登録処理手順ＲＴ１２を開始する。選択部１１２は、かかる購入候補登録処理手順ＲＴ１２を開始すると、ステップＳＰ３５１において、その時点に再生中の試聴用音楽データに対応する音楽データＤ１を購入候補として登録するように要求されたことを表示制御部１１７に通知する。
【０４６４】
従ってステップＳＰ３５２において表示制御部１１７は、表示部１１８において選択画面１３０又は再生画面１３２に重ねるように購入候補登録確認画面１５０を表示する。これにより表示制御部１１７は、購入候補登録確認画面１５０を介してユーザに対し、その時点に再生中の試聴用音楽データに対応する音楽データＤ１を購入候補として実際に登録するか否かを確認させるようにする。その結果、ステップＳＰ３５３において選択部１１２は、ユーザにより操作部１１１を介して、音楽データＤ１を購入候補として実際に登録するように決定されると、これを再生部１１３に通知する。従ってステップＳＰ３５４において再生部１１３は、コンテンツデータ記憶部１１４から購入候補登録リストを読み出すと共に、その購入候補登録リストに対し、その時点に再生中の試聴用音楽データに対応する音楽データＤ１を購入候補として登録する。そして再生部１１３は、購入候補登録リストに対する購入候補としての音楽データＤ１の登録が完了したことを表示制御部１１７に通知する。
【０４６５】
よってステップＳＰ３５５において表示制御部１１７は、表示部１１８において選択画面１３０又は再生画面１３２に重ねるように購入候補登録完了通知画面１５５を表示する。このようにして表示制御部１１７は、購入候補登録完了通知画面１５５によりユーザに対し、その時点に再生中の試聴用音楽データに対応する音楽データＤ１の購入候補としての登録が完了したことを通知した後、次のステップＳＰ３５６に移る。これにより表示制御部１１７は、かかる購入候補登録処理手順ＲＴ１２を終了する。因みにステップＳＰ３５３において選択部１１２は、ユーザにより操作部１１１を介して、音楽データＤ１を購入候補として登録することを取り消すように決定されると、ステップＳＰ３５６に移り、購入候補登録処理手順ＲＴ１２を終了する。このようにして再生装置１１０では、紹介プレイリストＰＬ１に従い試聴用音楽データを再生してユーザにより購入可能な音楽データＤ１に基づく音楽が試聴されているときに、その音楽データＤ１を購入候補として登録するように要求されると、試聴用音楽データの再生を維持して音楽が試聴されている間に、当該音楽データＤ１を購入候補として登録している。
【０４６６】
次いで、購入候補登録リストを利用して、購入候補として登録していた音楽データＤ１を購入する候補購入処理について説明する。この場合、選択部１１２は、ユーザにより操作部１１１を介して、購入候補として登録していた音楽データＤ１を購入するように要求されると、図６０に示す候補購入処理手順ＲＴ１３を開始する。選択部１１２は、かかる候補購入処理手順ＲＴ１３を開始すると、ステップＳＰ３６１において、購入候補として登録していた音楽データＤ１を購入するように要求されたことを再生部１１３に通知する。
【０４６７】
従ってステップＳＰ３６２において再生部１１３は、コンテンツデータ記憶部１１４から購入候補登録リストを読み出して表示制御部１１７に送出する。この際、表示制御部１１７は、表示部１１８に対し、購入候補登録リストの内容に応じた候補購入確認画面１６０を表示する。これにより表示制御部１１７は、その候補購入確認画面１６０を介してユーザに対し、購入候補として登録している音楽データＤ１を実際に購入するか否かを確認させるようにする。その結果、ステップＳＰ３６３において選択部１１２は、ユーザにより操作部１１１を介して、購入候補として登録していた音楽データＤ１を実際に購入するように決定されると、これを表示制御部１１７及び通信制御部１１５に通知する。
【０４６８】
ステップＳＰ３６４において表示制御部１１７は、その時点の候補購入確認画面１６０の表示内容に基づき、ユーザにより購入するように決定された音楽データＤ１を購入対象として判別して通信制御部１１５に通知する。これにより通信制御部１１５は、上述したステップＳＰ３２４と同様に購入対象の音楽データＤ１を購入するための購入処理を実行する。その結果、通信制御部１１５は、購入対象の音楽データＤ１に対する購入が完了すると、これを表示制御部１１７に通知する。
【０４６９】
従ってステップＳＰ３６５において表示制御部１１７は、通信制御部１１５からの通知に応じて表示部１１８に対し候補購入完了通知画面１６５を表示する。これにより表示制御部１１７は、候補購入完了通知画面１６５によりユーザに対し、購入候補として登録していた音楽データＤ１の購入が完了したことを通知する。またステップＳＰ３６６において再生部１１３は、購入された音楽データＤ１をコンテンツデータ記憶部１１４に送出する。これによりコンテンツデータ記憶部１１４は、その購入された音楽データＤ１を記憶すると共に、当該音楽データＤ１の記憶場所を指示するコンテンツ指示情報を指示情報変更部１２６に通知する。
【０４７０】
従ってステップＳＰ３６７において指示情報変更部１２６は、紹介プレイリストＰＬ１に格納されている複数のコンテンツ指示情報ＭＩＤのうち、そのとき購入された音楽データＤ１に対応するコンテンツ指示情報ＭＩＤを、コンテンツデータ記憶部１１４から与えられた新たなコンテンツ指示情報に変更した後、次のステップＳＰ３６８に移って、かかる候補購入処理手順ＲＴ１３を終了する。因みにステップＳＰ３６３において選択部１１２は、ユーザにより操作部１１１を介して、購入候補として登録していた音楽データＤ１の購入が取り止められると、ステップＳＰ３６８に移り、候補購入処理手順ＲＴ１３を終了する。このようにして再生装置１１０では、購入候補登録リストに購入候補として登録していた音楽データＤ１をユーザからの要求に応じて購入することができる。
【０４７１】
一方、チャンネルとしてストリーミングプレイリストＰＬ１が選択されたときの試聴開始処理について説明する。この場合、選択部１１２は、ユーザによる操作部１１１の操作に応じて、ストリーミングプレイリストＰＬ１の割り当てられたチャンネルを選択すると、図６１に示す第２の試聴開始処理手順ＲＴ１４を開始する。選択部１１２は、かかる第２の試聴開始処理手順ＲＴ１４を開始すると、ステップＳＰ３７１において、選択したチャンネル（すなわち、ストリーミングプレイリストＰＬ１の割り当てられたチャンネル）を再生部１１３に通知する。
【０４７２】
ステップＳＰ３７２において再生部１１３は、選択部１１２からの通知に応じて、コンテンツデータ記憶部１１４に記憶されているストリーミングプレイリストＰＬ１のバージョン情報を通信制御部１１５に送出する。これにより通信制御部１１５は、そのバージョン情報に基づき、現在コンテンツデータ記憶部１１４に記憶されているストリーミングプレイリストＰＬ１が最新のものか否かを判別する。このステップＳＰ３７２において肯定結果が得られると、このことは、通信制御部１１５がバージョン情報をネットワークＮＴ上の外部装置１１６に送信し、コンテンツデータ記憶部１１４に記憶しているストリーミングプレイリストＰＬ１が最新のものであるか否かを問い合わせた結果、当該外部装置１１６から最新のものであると返信されたことを表している。従って通信制御部１１５は、かかる肯定結果を得ると、次のステップＳＰ３７３に移る。
【０４７３】
これに対してステップＳＰ３７２において否定結果が得られると、このことは通信制御部１１５がバージョン情報をネットワークＮＴ上の外部装置１１６に送信し、コンテンツデータ記憶部１１４に記憶しているストリーミングプレイリストＰＬ１が最新のものであるか否かを問い合わせた結果、当該外部装置１１６から過去のものであると返信されたことを表している。従って通信制御部１１５は、かかる否定結果を得ると、ステップＳＰ３７４に移る。
【０４７４】
そしてステップＳＰ３７４において通信制御部１１５は、外部装置１１６に対し最新のストリーミングプレイリストＰＬ１のダウンロードを要求して、次のステップＳＰ３７５に移る。その結果、ステップＳＰ３７５において通信制御部１１５は、外部装置１１６から返信される最新のストリーミングプレイリストＰＬ１をダウンロードするようにして、そのストリーミングプレイリストＰＬ１を正しくダウンロードし得たか否かを判別する。このステップＳＰ３７５において肯定結果が得られると、このことは、例えば外部装置１１６からダウンロードしたストリーミングプレイリストＰＬ１のデータが破損してはいないことを表している。従って通信制御部１１５は、かかる肯定結果を得ると、次のステップＳＰ３７３に移る。
【０４７５】
ステップＳＰ３７３において通信制御部１１５は、再生部１１３に対しストリーミングプレイリストＰＬ１が最新のものであることを通知し、又は最新のストリーミングプレイリストＰＬ１を送出する。従って再生部１１３は、最新のストリーミングプレイリストＰＬ１に格納されている複数のコンテンツ指示情報ＭＩＤの中から、当該ストリーミングプレイリストＰＬ１に従い最初に試聴用としてストリーミング再生する音楽データＤ１のコンテンツ指示情報ＭＩＤを選択して通信制御部１１５に送出する。これにより通信制御部１１５は、そのコンテンツ指示情報ＭＩＤに従い、試聴用としてストリーミング再生する音楽データＤ１のストリーミング配信を要求するストリーミング配信要求情報をネットワークＮＴ上の外部装置１１６に送信して、次のステップＳＰ３７６に移る。その結果、ステップＳＰ３７６において通信制御部１１５は、外部装置１１６からストリーミング配信要求情報に応じて返信される試聴用音楽データ及び対応するデータ関連情報ＤＲＥを受信するようにして、試聴用音楽データの少なくとも一部を受信し得たか否かを判別する。
【０４７６】
このステップＳＰ３７６において肯定結果が得られると、このことは、例えば外部装置１１６から何ら問題なく試聴用音楽データが返信され、その試聴用音楽データの少なくとも一部を受信し得たことを表している。従って通信制御部１１５は、かかる肯定結果を得ると、試聴用音楽データと対応するデータ関連情報ＤＲＥとを再生部１１３に送出する。このためステップＳＰ３７７において再生部１１３は、通信制御部１１５から与えられたデータ関連情報ＤＲＥに含まれているデータ属性情報ＤＡＴをストリーミングプレイリストＰＬ１と共に、表示制御部１１７に送出する。これにより表示制御部１１７は、表示部１１８に表示していた例えば選択画面１２０の表示内容を、ストリーミングプレイリストＰＬ１及びデータ属性情報ＤＡＴに基づいて更新（すなわち、図４６について上述した選択画面１７０）する。
【０４７７】
そしてステップＳＰ３７８において再生部１１３は、通信制御部１１５から受信されながら与えられる試聴用音楽データに対する先頭位置からのストリーミング再生を開始して、次のステップＳＰ３７９に移り、かかる第２の試聴開始処理手順ＲＴ１４を終了する。このようにして再生装置１１０では、ユーザによりチャンネルとしてストリーミングプレイリストＰＬ１が選択されたとき、試聴可能な音楽データＤ１の試聴を開始する。そして再生装置１１０では、試聴可能な音楽データＤ１の試聴を開始すると、上述したようにストリーミングプレイリストＰＬ１に従い外部装置１１６から試聴用音楽データを順次受信しながら先頭位置からのストリーミング再生を開始する。これにより再生装置１１０では、ストリーミングプレイリストＰＬ１に登録された試聴可能な複数の音楽データＤ１に基づく音楽を連続的にその先頭から試聴させることができる。
【０４７８】
因みに上述したステップＳＰ３７５において否定結果が得られると、このことは、例えば外部装置１１６からダウンロードしたストリーミングプレイリストＰＬ１のデータが破損していることを表している。従って通信制御部１１５は、かかる否定結果を得ると、ステップＳＰ３８０に移る。またステップＳＰ３７６において否定結果が得られると、このことは、例えば外部装置１１６からの試聴用音楽データの送信が滞り、その試聴用音楽データを受信し得なかったことを表している。従って通信制御部１１５は、かかる否定結果を得たときも、ステップＳＰ３８０に移る。そしてステップＳＰ３８０において通信制御部１１５は、ストリーミングプレイリストＰＬ１を正しくダウンロードし得なかった、又は試聴用音楽データを受信し得なかったことを表示制御部１１７に通知する。これにより表示制御部１１７は、エラー処理として、例えばユーザに対し、試聴可能な音楽データＤ１に基づく音楽を試聴し得ないことを通知した後、ステップＳＰ３７９に移る。
【０４７９】
次いで、ストリーミングプレイリストＰＬ１を使用した試聴用音楽データのストリーミング再生中に、当該試聴用音楽データに対応する音楽データＤ１をダウンロードする音楽データダウンロード処理について説明する。この場合、選択部１１２は、再生部１１３によりストリーミングプレイリストＰＬ１に従い試聴用音楽データがストリーミング再生されている途中に、ユーザにより操作部１１１を介して、その試聴用音楽データに対応する音楽データＤ１のダウンロードが要求されると、図６２に示す音楽データダウンロード処理手順ＲＴ１５を開始する。選択部１１２は、かかる音楽データダウンロード処理手順ＲＴ１５を開始すると、ステップＳＰ３９１において、音楽データＤ１のダウンロードが要求されたことを表示制御部１１７に通知する。
【０４８０】
ステップＳＰ３９２において表示制御部１１７は、表示部１１８において、その時点に試聴用音楽データとしてストリーミング再生中の音楽データＤ１を通知可能な選択画面１７０又は再生画面１７１に重ねるようにダウンロード確認画面１７２を表示する。これにより表示制御部１１７は、そのダウンロード確認画面１７２を介してユーザに対し、音楽データＤ１を実際にダウンロードするか否かを確認させるようにする。その結果、ステップＳＰ３９３において選択部１１２は、ユーザにより操作部１１１を介して、音楽データＤ１を実際にダウンロードするように決定されると、これを通信制御部１１５に通知する。従ってステップＳＰ３９４において通信制御部１１５は、選択部１１２からの通知に応じて、再生部１１３に対し、その時点の試聴用音楽データのストリーミング再生を維持させながら、当該ストリーミング再生中の試聴用音楽データに対応する音楽データＤ１をダウンロードするためのダウンロード処理を実行する。その結果、通信制御部１１５は、ダウンロード対象の音楽データＤ１に対するダウンロードが完了すると、当該ダウンロードした音楽データＤ１及び対応するデータ関連情報ＤＲＥをコンテンツデータ記憶部１１４に送出すると共に、そのダウンロードの完了を表示制御部１１７に通知する。
【０４８１】
これによりステップＳＰ３９５において表示制御部１１７は、表示部１１８において選択画面１７０又は再生画面１７１に重ねるようにダウンロード完了通知画面１７６を表示して、ユーザに対し音楽データＤ１のダウンロードが完了したことを通知する。そしてステップＳＰ３９６において選択部１１２は、ユーザにより、ダウンロードした音楽データＤ１が確認されると、これを表示制御部１１７に通知する。従って表示制御部１１７は、選択部１１２からの通知に応じて表示部１１８に表示していたダウンロード完了通知画面１７６を閉じる。これにより表示制御部１１７は、表示部１１８に対しダウンロード完了通知画面１７６の下になっていた選択画面１７０又は再生画面１７１のみを表示して見せることで、その時点にストリーミング再生中の試聴用音楽データ（すなわち、そのときダウンロードされた音楽データＤ１）を通知した後、次のステップＳＰ３９７に移って、かかる音楽データダウンロード処理手順ＲＴ１５を終了する。因みにステップＳＰ３９３において選択部１１２は、ユーザにより操作部１１１を介して、音楽データＤ１のダウンロードを取り消すように決定されると、ステップＳＰ３９７に移り、音楽データダウンロード処理手順ＲＴ１５を終了する。
【０４８２】
ところで通信制御部１１５は、ステップＳＰ３９４に移ると、実際には図６３に示す音楽データダウンロード処理手順ＲＴ１５のサブルーチンＳＲＴ１５１を開始する。通信制御部１１５は、サブルーチンＳＲＴ１５１を開始すると、ステップＳＰ４０１において、ダウンロード対象の音楽データＤ１をダウンロード要求するダウンロード要求情報をネットワークＮＴ上の外部装置１１６に送信して、次のステップＳＰ４０２に移る。ステップＳＰ４０２において通信制御部１１５は、ダウンロード対象の音楽データＤ１のダウンロードが成功したか否かを判別する。このステップＳＰ４０２において肯定結果が得られると、このことは外部装置１１６からダウンロード要求情報に応じて返信された音楽データＤ１が破損してはいないことを表している。従って通信制御部１１５は、かかる肯定結果を得ると、次のステップＳＰ４０３に移る。
【０４８３】
ステップＳＰ４０３において通信制御部１１５は、ダウンロードの完了を表示制御部１１７に通知すると共に、外部装置１１６からダウンロードした音楽データＤ１及び対応するデータ関連情報ＤＲＥをコンテンツデータ記憶部１１４に送出する。従ってコンテンツデータ記憶部１１４は、通信制御部１１５から与えられた音楽データＤ１及び対応するデータ関連情報ＤＲＥを記憶すると共に、当該音楽データＤ１の記憶場所を指示するコンテンツ指示情報を指示情報変更部１２６に送出する。
【０４８４】
従ってステップＳＰ４０４において指示情報変更部１２６は、ストリーミングプレイリストＰＬ１に格納されている複数のコンテンツ指示情報ＭＩＤのうち、そのときダウンロードされた音楽データＤ１に対応するコンテンツ指示情報ＭＩＤを、コンテンツデータ記憶部１１４から与えられた新たなコンテンツ指示情報に変更した後、次のステップＳＰ４０５に移る。これにより指示情報変更部１２６は、かかるサブルーチンＳＲＴ１５１を終了する。よって、引き続き表示制御部１１７が上述したステップＳＰ３９５の処理を実行する。
【０４８５】
因みにステップＳＰ４０２において否定結果が得られると、このことは、例えば外部装置１１６からダウンロードした音楽データＤ１が破損していたことを表している。従って通信制御部１１５は、かかる否定結果を得ると、ステップＳＰ４０６に移る。そしてステップＳＰ４０６において通信制御部１１５は、音楽データＤ１に対するダウンロード処理が失敗したことを例えば表示制御部１１７に通知する。これにより表示制御部１１７は、例えばその時点に表示部１１８に表示している選択画面１７０又は再生画面１７１により音楽データＤ１のダウンロードに失敗したことをユーザに通知してサブルーチンＳＲＴ１５１を抜け、このときにはステップＳＰ３９７に移って音楽データダウンロード処理手順ＲＴ１５を終了する。このようにして再生装置１１０では、ストリーミングプレイリストＰＬ１に従い試聴用音楽データをストリーミング再生してユーザにより試聴可能な音楽データＤ１に基づく音楽が試聴されているときに、その音楽データＤ１のダウンロードが要求されると、試聴用音楽データのストリーミング再生を維持して音楽を試聴させながら当該音楽データＤ１をダウンロードすることができる。
【０４８６】
次いで、ユーザによりダウンロード候補として選定された音楽データＤ１をダウンロード候補登録リストに登録するダウンロード候補登録処理について説明する。この場合、選択部１１２は、再生部１１３によりストリーミングプレイリストＰＬ１に従い試聴用音楽データがストリーミング再生されている途中に、ユーザにより操作部１１１を介して、その試聴用音楽データに対応する音楽データＤ１をダウンロード候補として登録するように要求されると、図６４に示すダウンロード候補登録処理手順ＲＴ１６を開始する。選択部１１２は、かかるダウンロード候補登録処理手順ＲＴ１６を開始すると、ステップＳＰ４１１において、その時点にストリーミング再生中の試聴用音楽データに対応する音楽データＤ１をダウンロード候補として登録するように要求されたことを表示制御部１１７に通知する。
【０４８７】
従ってステップＳＰ４１２において表示制御部１１７は、表示部１１８において選択画面１７０又は再生画面１７１に重ねるようにダウンロード候補登録確認画面１８５を表示する。これにより表示制御部１１７は、ダウンロード候補登録確認画面１８５を介してユーザに対し、その時点にストリーミング再生中の試聴用音楽データに対応する音楽データＤ１をダウンロード候補として実際に登録するか否かを確認させるようにする。その結果、ステップＳＰ４１３において選択部１１２は、ユーザにより操作部１１１を介して、音楽データＤ１をダウンロード候補として実際に登録するように決定されると、これを再生部１１３に通知する。従ってステップＳＰ４１４において再生部１１３は、コンテンツデータ記憶部１１４からダウンロード候補登録リストを読み出すと共に、そのダウンロード候補登録リストに対し、その時点にストリーミング再生中の試聴用音楽データに対応する音楽データＤ１をダウンロード候補として登録する。そして再生部１１３は、ダウンロード候補登録リストに対するダウンロード候補としての音楽データＤ１の登録が完了したことを表示制御部１１７に通知する。
【０４８８】
よってステップＳＰ４１５において表示制御部１１７は、表示部１１８において選択画面１７０又は再生画面１７１に重ねるようにダウンロード候補登録完了通知画面１９０を表示する。このようにして表示制御部１１７は、ダウンロード候補登録完了通知画面１９０によりユーザに対し、その時点にストリーミング再生中の試聴用音楽データに対応する音楽データＤ１のダウンロード候補としての登録が完了したことを通知した後、次のステップＳＰ４１６に移る。これにより表示制御部１１７は、かかるダウンロード候補登録処理手順ＲＴ１６を終了する。因みにステップＳＰ４１３において選択部１１２は、ユーザにより操作部１１１を介して、音楽データＤ１をダウンロード候補として登録することを取り消すように決定されると、ステップＳＰ４１６に移り、ダウンロード候補登録処理手順ＲＴ１６を終了する。このようにして再生装置１１０では、ストリーミングプレイリストＰＬ１に従い試聴用音楽データをストリーミング再生してユーザにより試聴可能な音楽データＤ１に基づく音楽が試聴されているときに、その音楽データＤ１をダウンロード候補として登録するように要求されると、試聴用音楽データのストリーミング再生を維持して音楽が試聴されている間に、当該音楽データＤ１をダウンロード候補として登録している。
【０４８９】
次いで、ダウンロード候補登録リストを利用して、ダウンロード候補として登録していた音楽データＤ１をダウンロードする候補ダウンロード処理について説明する。この場合、選択部１１２は、ユーザにより操作部１１１を介して、ダウンロード候補として登録していた音楽データＤ１をダウンロードするように要求されると、図６５に示す候補ダウンロード処理手順ＲＴ１７を開始する。選択部１１２は、かかる候補ダウンロード処理手順ＲＴ１７を開始すると、ステップＳＰ４２１において、ダウンロード候補として登録していた音楽データＤ１をダウンロードするように要求されたことを再生部１１３に通知する。
【０４９０】
従ってステップＳＰ４２２において再生部１１３は、コンテンツデータ記憶部１１４からダウンロード候補登録リストを読み出して表示制御部１１７に送出する。この際、表示制御部１１７は、表示部１１８に対し、ダウンロード候補登録リストの内容に応じた候補ダウンロード確認画面１９５を表示する。これにより表示制御部１１７は、その候補ダウンロード確認画面１９５を介してユーザに対し、ダウンロード候補として登録している音楽データＤ１を実際にダウンロードするか否かを確認させるようにする。その結果、ステップＳＰ４２３において選択部１１２は、ユーザにより操作部１１１を介して、ダウンロード候補として登録していた音楽データＤ１を実際にダウンロードするように決定されると、これを表示制御部１１７及び通信制御部１１５に通知する。
【０４９１】
ステップＳＰ４２４において表示制御部１１７は、その時点の候補ダウンロード確認画面１９５の表示内容に基づき、ユーザによりダウンロードするように決定された音楽データＤ１をダウンロード対象として判別して通信制御部１１５に通知する。これにより通信制御部１１５は、上述したステップＳＰ３９４と同様にダウンロード対象の音楽データＤ１をダウンロードするためのダウンロード処理を実行する。その結果、通信制御部１１５は、ダウンロード対象の音楽データＤ１に対するダウンロードが完了すると、これを表示制御部１１７に通知する。
【０４９２】
従ってステップＳＰ４２５において表示制御部１１７は、通信制御部１１５からの通知に応じて表示部１１８に対し候補ダウンロード完了通知画面２００を表示する。これにより表示制御部１１７は、候補ダウンロード完了通知画面２００によりユーザに対し、ダウンロード候補として登録していた音楽データＤ１のダウンロードが完了したことを通知した後、次のステップＳＰ４２６に移って、かかる候補ダウンロード処理手順ＲＴ１７を終了する。因みにステップＳＰ４２３において選択部１１２は、ユーザにより操作部１１１を介して、ダウンロード候補として登録していた音楽データＤ１のダウンロードが取り止められると、ステップＳＰ４２６に移り、候補ダウンロード処理手順ＲＴ１７を終了する。このようにして再生装置１１０では、ダウンロード候補登録リストにダウンロード候補として登録していた音楽データＤ１をユーザからの要求に応じてダウンロードすることができる。
【０４９３】
（２−３）動作及び効果
以上の構成において、再生装置１１０は、紹介プレイリストＰＬ１に従い購入可能な音楽データＤ１に基づく音楽を試聴する場合、外部装置１１６から再生制限設定情報でなる付加情報が付加された音楽データＤ１の全体を試聴用音楽データとしてダウンロードして一時記憶し、その付加情報に従い試聴用音楽データの特徴区間を再生する。これにより再生装置１１０は、ユーザに対し購入可能な音楽データＤ１に基づく音楽の特徴部分を試聴させる。その後、再生装置１１０は、かかる試聴用音楽データの特徴区間の再生が完了すると、その一時記憶していた試聴用音楽データを破棄する。
【０４９４】
ところで再生装置１１０は、ユーザにより、購入可能な音楽データＤ１に基づく音楽の特徴部分の試聴中（すなわち、付加情報に従った試聴用音楽データの特徴区間の再生中）に、その時点に再生中の試聴用音楽データに対応する音楽データＤ１（すなわち、全体が再生可能な音楽データＤ１）の購入が命令されると、当該試聴用音楽データの再生を維持しながら、購入対象の当該音楽データＤ１の購入処理に必要な購入情報を含む購入要求情報を外部装置１１６に送信する。その結果、再生装置１１０は、外部装置１１６から購入要求情報に応じて購入処理が実行され、かかる購入処理の完了により返信される再生許可情報をダウンロードすると、その再生許可情報に基づき、購入処理の間に再生を維持していた試聴用音楽データの付加情報を更新する。
【０４９５】
これにより再生装置１１０は、再生中の試聴用音楽データを、購入処理の完了に応じて再生制限を解除して全体が再生可能な音楽データＤ１に変更させる。そして再生装置１１０は、試聴用音楽データを再生中に音楽データＤ１に変更しても、その再生を維持し、当該音楽データＤ１を特徴区間の区間終了位置以降もそのまま再生する。このようにして再生装置１１０は、全体を再生可能にした音楽データＤ１の再生が終了すると、当該音楽データＤ１を一時記憶の状態からコンテンツデータ記憶部１１４での本記憶の状態に移行させて保存する。従って再生装置１１０は、試聴用音楽データの特徴区間を再生している途中に、当該試聴用音楽データに対応する音楽データＤ１を購入するときでも、試聴用音楽データに基づく音楽の試聴を継続させることができる。
【０４９６】
また再生装置１１０は、ストリーミングプレイリストＰＬ１に従い試聴可能な音楽データＤ１に基づく音楽を試聴する場合、外部装置１１６から試聴可能な音楽データＤ１を再生装置１１０ではそのとき保存しない試聴用音楽データとして受信しながら当該試聴用音楽データの全体をストリーミング再生する。これにより再生装置１１０は、ユーザに対し試聴可能な音楽データＤ１に基づく音楽の全体を試聴させる。その後、再生装置１１０は、かかる試聴用音楽データの全体の再生が終了すると、当該試聴用音楽データを破棄する。
【０４９７】
ところで再生装置１１０は、ユーザにより、試聴可能な音楽データＤ１に基づく音楽の試聴中（すなわち、試聴用音楽データのストリーミング再生中）に、その時点にストリーミング再生中の試聴用音楽データに対応する音楽データＤ１（すなわち、保存用に送信させる音楽データＤ１）のダウンロードが命令されると、当該試聴用音楽データのストリーミング再生を維持しながら、当該音楽データＤ１をダウンロード要求するダウンロード要求情報を外部装置１１６に送信する。その結果、再生装置１１０は、外部装置１１６からダウンロード要求情報に応じて返信される音楽データＤ１をダウンロードすると、そのダウンロードした音楽データＤ１をコンテンツデータ記憶部１１４に記憶して保存するものの、その時点の試聴用音楽データに対するストリーミング再生をさらに維持する。従って再生装置１１０は、試聴用音楽データの全体をストリーミング再生している途中に、当該試聴用音楽データに対応する音楽データＤ１をダウンロードするときにも、試聴用音楽データに基づく音楽の試聴を継続させることができる。
【０４９８】
以上の構成によれば、試聴用音楽データに対する特徴区間の再生の途中やストリーミング再生の途中に、当該試聴用音楽データに対応する音楽データＤ１が購入要求やダウンロード要求のように取得要求されると、当該取得要求に応じて、試聴用音楽データの特徴区間の再生やストリーミング再生を維持しながら、音楽データＤ１を取得要求する取得要求情報を外部装置１１６に送信して、当該外部装置１１６から取得要求情報に応じた再生許可情報や音楽データＤ１のような返信情報をダウンロードするようにした。これにより再生装置１１０は、試聴用音楽データに対する特徴区間の再生の途中やストリーミング再生の途中に、当該試聴用音楽データに対応する音楽データＤ１が取得要求されても、試聴用音楽データに基づく音楽の試聴を継続させることができ、かくして音楽データＤ１の取得を何ら意識させずに音楽の試聴を充分に楽しませることができる。
【０４９９】
また再生装置１１０は、購入可能な音楽データＤ１に基づく音楽の試聴中に当該音楽データＤ１を購入するときには、再生制限された試聴用音楽データをダウンロードしておき、再生許可情報を追加でダウンロードして、かかる再生許可情報により当該試聴用音楽データの再生制限を解除し音楽データＤ１として取得するようにした。従って再生装置１１０は、音楽データＤ１に基づく音楽の試聴中に当該音楽データＤ１を購入したときには、その音楽データＤ１を、特徴区間を超えて再生し続けるようにして、試聴中の音楽を、試聴範囲を超えて聴かせることができる。
【０５００】
さらに再生装置１１０は、音楽データＤ１に基づく音楽の試聴中に当該音楽データＤ１を購入及びダウンロードするようにして、その購入やダウンロードが完了した後も、音楽データＤ１の再生を維持している間は、表示部１１８に対し選択画面１４５及び１７０、又は再生画面１４６及び１７１を表示するようにした。従って再生装置１１０は、音楽データＤ１の購入やダウンロードが完了した後も、その音楽データＤ１の再生を維持している間は、選択画面１４５及び１７０、又は再生画面１４６及び１７１により再生中の音楽データＤ１を知らせることができる。
【０５０１】
さらに再生装置１１０は、音楽データＤ１を購入及びダウンロードしたときには、紹介プレイリストＰＬ１及びストリーミングプレイリストＰＬ１に格納されている複数のコンテンツ指示情報ＭＩＤのうち、そのとき購入及びダウンロードした音楽データＤ１に対応するコンテンツ指示情報ＭＩＤを、コンテンツデータ記憶部１１４内で当該音楽データＤ１を指示する新たなコンテンツ指示情報に変更するようにした。従って再生装置１１０は、この後、紹介プレイリストＰＬ１やストリーミングプレイリストＰＬ１に従い音楽データＤ１を再生するときには、すでに外部装置１１６から取得してコンテンツデータ記憶部１１４に記憶している音楽データＤ１をわざわざ外部装置１１６から取得しなくても、再生装置１１０内のコンテンツデータ記憶部１１４から迅速に読み出すことができる。
【０５０２】
（２−４）他の実施の形態
なお上述した第２の実施の形態においては、音楽データＤ１を購入した際に、当該音楽データＤ１を特徴区間の区間終了位置以降も引き続き再生するようにした場合について述べたが、本発明はこれに限らず、音楽データＤ１を購入した際に、購入完了が通知されたときや特徴区間の再生が完了した（すなわち、区間終了位置まで再生した）とき等に当該音楽データＤ１を改めて先頭位置から再生するようにしても良い。これにより、音楽の試聴中に音楽データＤ１を購入した際に、その音楽の全体を音楽データＤ１の購入完了からすぐに聴かせることができる。
【０５０３】
また上述した第２の実施の形態においては、音楽データＤ１をダウンロードした際、試聴用音楽データを後尾位置までストリーミング再生するようにした場合について述べたが、本発明はこれに限らず、音楽データＤ１をダウンロードした際、そのダウンロードが完了したとき等に試聴用音楽データのストリーミング再生を中断して当該音楽データＤ１を先頭位置から再生するようにしても良い。これにより、音楽の試聴中に音楽データＤ１をダウンロードした際、その音楽の全体を音楽データＤ１のダウンロードの完了からすぐに聴かせることができる。
【０５０４】
さらに上述した第２の実施の形態においては、購入可能な音楽データＤ１に基づく音楽を試聴する際に、再生の制限された試聴用音楽データをダウンロードして一時記憶して特徴区間を再生し、当該試聴用音楽データに対応する音楽データＤ１を購入するときには再生許可情報をダウンロードするようにした場合について述べたが、本発明はこれに限らず、購入可能な音楽データＤ１に基づく音楽を試聴する際に、再生の制限された試聴用音楽データの特徴区間をストリーミング再生し、当該試聴用音楽データに対応する音楽データＤ１を購入するときにはその音楽データＤ１の全体をダウンロードするようにしても良い。
【０５０５】
そして、このように購入要求に応じて音楽データＤ１をダウンロードするときには、コンテンツデータ記憶部１１４に対しダウンロードした音楽データＤ１を記憶すると、試聴用音楽データのストリーミング再生を中断すると共に、その試聴用音楽データのストリーミング再生の中断部分に対応する、音楽データＤ１の中途部分から再生を開始するようにして、再生対象の切り替えを再生を維持しながら実行するようにしても良い。これにより再生装置１１０は、ユーザに対し、あたかも最初から１つの音楽データＤ１のみを再生していたように、音楽に対する試聴用の一部分と共にその一部分に繋がる他の部分を途中で途切れさせずに何ら違和感無く聴かせることができる。
【０５０６】
さらに上述した第２の実施の形態においては、試聴可能な音楽データＤ１に基づく音楽を試聴する際に、試聴用音楽データの全体をストリーミング再生し、試聴中にダウンロードの要求があると、当該試聴用音楽データに対応する音楽データＤ１の全体をダウンロードするようにした場合について述べたが、本発明はこれに限らず、試聴可能な音楽データＤ１に基づく音楽を試聴する際に、試聴用音楽データの一部のみストリーミング再生するようにして音楽の一部分のみを試聴させ、その試聴中にダウンロードの要求があると、当該試聴用音楽データに対応する音楽データＤ１の全体をダウンロードするようにしても良い。
【０５０７】
さらに上述した第２の実施の形態においては、購入可能な音楽データＤ１に基づく音楽を試聴する際に、再生の制限された試聴用音楽データをダウンロードして一時記憶して特徴区間を再生し、当該試聴用音楽データに対応する音楽データＤ１を購入するときには再生許可情報をダウンロードするようにした場合について述べたが、本発明はこれに限らず、試聴可能な音楽データＤ１に基づく音楽を試聴する際にも、再生の制限された試聴用音楽データをダウンロードして一時記憶して特徴区間を再生し、当該試聴用音楽データに対応する音楽データＤ１をダウンロードするときには再生許可情報をダウンロードするようにしても良い。
【０５０８】
さらに上述した第２の実施の形態においては、ユーザによるチャンネルや音楽データＤ１の切り替えの要求に応じてプレイリストＰＬ１及びＰＬ２に従い音楽データＤ１の特徴位置から後尾位置まで再生するようにした場合について述べたが、本発明はこれに限らず、例えば音楽データＤ１に対する音楽の特徴部分に相当する区間を示す情報を保持しておき、ユーザによるチャンネルや音楽データＤ１の切り替えの要求に応じてプレイリストＰＬ１及びＰＬ２に従い音楽データＤ１を特徴位置から特徴部分に相当する区間の終了位置まで再生するようにしても良い。
【０５０９】
（３）第３の実施の形態
次いで、図６６を用いて第３の実施の形態による再生装置３００のハードウェア回路ブロックによるハードウェア回路構成を示す。かかる再生装置３００は、当該再生装置３００の筐体表面やリモートコントローラ（図示せず）に設けられた各種操作ボタンでなる操作入力部３０１がユーザによって操作されると、当該操作入力部３０１でこれを認識し、その操作に応じた操作入力信号を入力処理部３０２に送出する。入力処理部３０２は、供給される操作入力信号に対して所定の処理を施すことにより、当該操作入力信号を操作コマンドに変換し、これをバス３０３を介して中央処理ユニット（CPU:Central Processing Unit ）３０４に送出する。
【０５１０】
中央処理ユニット３０４は、ＲＯＭ（Read Only Memory）３０５又はハードディスクドライブ３０６に予め記憶されている基本プログラムやアプリケーションプログラム等の各種プログラムをバス３０３を介してＲＡＭ（Random Access Memory）３０７に読み出す。そして中央処理ユニット３０４は、ＲＡＭ３０７上で展開したこれら各種プログラムに従って全体を制御すると共に、所定の演算処理や、入力処理部３０２から与えられる操作コマンドに応じた各種処理を実行する。
【０５１１】
これにより中央処理ユニット３０４は、通信処理部３０８及びネットワークインタフェース３０９を順次介してネットワークＮＴに接続し、当該ネットワークＮＴ上の音楽提供サーバ３１０にアクセスすることができる。この場合、音楽提供サーバ３１０は、所定フォーマットの多数の音楽データを蓄積している。
【０５１２】
従って中央処理ユニット３０４は、ユーザにより操作入力部３０１を介して、所望の音楽データをダウンロード要求するための操作入力信号が入力されると、これに応じて音楽提供サーバ３１０にアクセスし所望の音楽データをダウンロード要求する。その結果、中央処理ユニット３０４は、音楽提供サーバ３１０から返信される所望の音楽データをネットワークインタフェース３０９及び通信処理部３０８を順次介してダウンロードする。これにより中央処理ユニット３０４は、かかる音楽データをハードディスクドライブ３０６に送出してハードディスクに記憶する。
【０５１３】
また中央処理ユニット３０４は、ユーザにより操作入力部３０１を介して、ＣＤ等の記録媒体に記録された音楽データを録音するための操作入力信号が入力されると、メディアドライブ３１１により記録媒体から音楽データを読み出すと共に、当該読み出した音楽データをデータ処理回路３１２に送出する。データ処理回路３１２は、メディアドライブ３１１から与えられた音楽データを圧縮符号化してハードディスクドライブ３０６に送出してハードディスクに記憶する。
【０５１４】
そして中央処理ユニット３０４は、ユーザにより操作入力部３０１を介してハードディスクドライブ３０６内の音楽データが指定され、かつ当該指定された音楽データを再生要求する操作入力信号が入力されると、これに応じてハードディスクドライブ３０６から、当該指定された音楽データを読み出してデータ処理回路３１２に送出する。データ処理回路３１２は、この際、音楽データを復号した後、デジタルアナログ変換や増幅等の音声処理を施し、得られた音楽信号をスピーカ３１３に送出する。このようにして中央処理ユニット３０４は、スピーカ３１３から音楽信号に基づく音楽を出力してユーザに聴かせることができる。
【０５１５】
さらにハードディスクドライブ３０６は、ハードディスクに対し複数種類のプレイリストを記憶している。そして中央処理ユニット３０４は、ユーザにより操作部３０１を介して、音楽データの再生に利用するプレイリストが指定され、かつそのプレイリストに従い音楽データを再生するように要求する操作入力信号が入力されると、これに応じてハードディスクドライブ３０６から当該指定されたプレイリストを読み出す。また中央処理ユニット３０４は、そのプレイリストに従いこれに登録されている複数の音楽データを順次ハードディスクドライブ３０６から読み出してデータ処理回路３１２に送出する。従ってデータ処理回路３１２は、この際、中央処理ユニット３０４から音楽データが与えられる毎に当該音楽データを復号した後、デジタルアナログ変換や増幅等の音声処理を施し、得られた音楽信号をスピーカ３１３に送出する。このようにして中央処理ユニット３０４は、スピーカ３１３から音楽信号に基づく音楽を順次出力するようにしてユーザに対し複数の音楽を連続的に聴かせることができる。
【０５１６】
さらに中央処理ユニット３０４は、各種プログラムの実行結果（例えば、音楽データの取得、録音及び再生等）に応じた表示用データを生成して表示処理部３１４に送出する。表示処理部３１４は、中央処理ユニット３０４から与えられた表示用データに基づく画面をディスプレイ３１５に表示する。このようにして中央処理ユニット３０４は、ディスプレイ３１５を介して、音楽データの取得、録音及び再生等に関する各種画面をユーザに視認させることができる。
【０５１７】
ところで再生装置３００は、上述したように基本的には中央処理ユニット３０４がＲＯＭ３０５又はハードディスクドライブ３０６に記憶された各種プログラムに従って各種処理を実行すると共に各ハードウェアを制御している。このため再生装置３００では、図２について上述した機能回路ブロックによるハードウェア構成の再生装置１０の機能に応じて、ＲＯＭ３０５又はハードディスクドライブ３０６に記憶させる各種プログラムを適宜選定することにより、中央処理ユニット３０４、メディアドライブ３１１、データ処理回路３１２及びスピーカ３１３を、上述の再生部１１（図２）と同様に機能させることができる。また再生装置３００では、操作入力部３０１及び入力処理部３０２を、上述の操作部１２（図２）と同様に機能させることができると共に、中央処理ユニット３０４及びハードディスクドライブ３０６を、上述のコンテンツデータ記憶部１３やプレイリスト記憶部１６（図２）と同様に機能させることができる。
【０５１８】
さらに再生装置３００では、中央処理ユニット３０４、通信処理部３０８及びネットワークインタフェース３０９を、上述の通信部１４（図２）と同様に機能させることができると共に、中央処理ユニット３０４及び表示処理部３１４を、上述の表示制御部１７（図２）と同様に機能させることができる。さらにまた再生装置３００では、中央処理ユニット３０４を、上述のプレイリスト再構成部５０（図２）、計時部５１（図２）、要求情報生成部５２（図２）、データ再生履歴取得部７０（図２）、データ属性重付部７１（図２）、リスト利用履歴取得部７７（図２）、リスト属性更新部７８（図２）それぞれと同様に機能させることができる。
【０５１９】
そして、ディスプレイ３１５は、上述の表示部１８（図２）に対応する。また音楽提供サーバ３１０は、上述の外部装置１５（図２）に対応する。従って再生装置３００は、再生装置１０の機能に応じて、ＲＯＭ３０５又はハードディスクドライブ３０６に記憶させる各種プログラムを適宜選定することにより、当該再生装置１０と同様の上述した処理を実行することができ、かくして上述した第１の実施の形態と同様の効果を得ることができる。
【０５２０】
一方、再生装置３００では、図２９について上述した機能回路ブロックによるハードウェア構成の再生装置１１０の機能に応じて、ＲＯＭ３０５又はハードディスクドライブ３０６に記憶させる各種プログラムを適宜選定することにより、操作入力部３０１及び入力処理部３０２を、上述の操作部１１１（図２９）と同様に機能させることができると共に、中央処理ユニット３０４を、上述の選択部１１２（図２９）と同様に機能させることができる、また再生装置３００では、中央処理ユニット３０４、メディアドライブ３１１、データ処理回路３１２及びスピーカ３１３を、上述の再生部１１３（図２９）と同様に機能させることができると共に、中央処理ユニット３０４及びハードディスクドライブ３０６を、上述のコンテンツデータ記憶部１１４（図２９）と同様に機能させることができる。
【０５２１】
さらに再生装置３００では、中央処理ユニット３０４、通信処理部３０８及びネットワークインタフェース３０９を、上述の通信制御部１１５（図２９）と同様に機能させることができると共に、中央処理ユニット３０４及び表示処理部３１４を、上述の表示制御部１１７（図２９）と同様に機能させることができる。さらにまた再生装置３００では、中央処理ユニット３０４を、上述の付加情報更新部１２５（図２９）や指示情報変更部１２６（図２９）それぞれと同様に機能させることができる。
【０５２２】
そして、ディスプレイ３１５は、上述の表示部１１８（図２９）に対応する。また音楽提供サーバ３１０は、上述の外部装置１１６（図２９）に対応する。従って再生装置３００は、再生装置１１０の機能に応じて、ＲＯＭ３０５又はハードディスクドライブ３０６に記憶させる各種プログラムを適宜選定することにより、当該再生装置１１０と同様の上述した処理を実行することができ、かくして上述した第２の実施の形態と同様の効果を得ることができる。
【０５２３】
（４）他の実施の形態
なお上述した第１乃至第３の実施の形態においては、プレイリストにより再生順序の規定されたコンテンツデータとして、図１乃至図６６について上述した音楽データを適用するようにした場合について述べたが、本発明はこれに限らず、テレビジョン放送やラジオ放送により放送されている番組データ、映画のような画像データ等のように、この他種々のコンテンツデータを広く適用することができる。
【０５２４】
また上述した第１乃至第３の実施の形態においては、本発明による再生装置を、図１乃至図２７及び図６６について上述した再生装置１、１０及び３００に適用するようにした場合について述べたが、本発明はこれに限らず、パーソナルコンピュータや携帯電話機、ＰＤＡ（Personal Digital Assistance ）等の情報処理装置、また携帯型音楽再生装置、据置型音楽再生装置等の再生装置、さらにＤＶＤ（Digital Versatile Disc）レコーダやハードディスクレコーダ等の記録再生装置等のように、この他種々の構成の再生装置に広く適用することができる。
【産業上の利用可能性】
【０５２５】
本発明は、プレイリストに従い音楽データを再生する音楽再生装置等の再生装置に利用することができる。
【図面の簡単な説明】
【０５２６】
【図１】第１の実施の形態による再生装置の概要を示すブロック図である。
【図２】第１の実施の形態による再生装置の詳細構成を示すブロック図である。
【図３】リモートコントローラの構成を示す略線図である。
【図４】コンテンツデータベース及びプレイリストの構成を示す略線図である。
【図５】選択画面の構成を示す略線図である。
【図６】再生画面の構成を示す略線図である。
【図７】リスト利用再生機能の実行時における表示画面の切り替えの説明に供する略線図である。
【図８】チャンネルの切り替えに応じた音楽データの再生の切り替えの説明に供する略線図である。
【図９】リスト利用再生機能起動処理手順を示すフローチャートである。
【図１０】チャンネル切替処理手順を示すフローチャートである。
【図１１】再生音楽切替処理手順を示すフローチャートである。
【図１２】季節の変化に応じて１つのプレイリストを再構成するときの再構成問合画面の表示の説明に供する略線図である。
【図１３】季節の変化に応じたプレイリストの再構成後の選択画面の説明に供する略線図である。
【図１４】季節の変化に応じて複数のプレイリストを再構成するときの再構成問合画面の構成を示す略線図である。
【図１５】データ再生履歴を用いて１つのプレイリストを再構成するときの再構成問合画面の構成を示す略線図である。
【図１６】データ再生履歴を用いてチャンネル全てのプレイリストを再構成するときの再構成問合画面の構成を示す略線図である。
【図１７】外部装置からの要求で１つのプレイリストを再構成するときの再構成問合画面の構成を示す略線図である。
【図１８】外部装置からの要求でチャンネル全てのプレイリストを再構成するときの再構成問合画面の構成を示す略線図である。
【図１９】季節契機プレイリスト再構成処理手順を示すフローチャートである。
【図２０】プレイリスト再構成処理の第１のサブルーチンを示すフローチャートである。
【図２１】ユーザ契機プレイリスト再構成処理手順を示すフローチャートである。
【図２２】プレイリスト再構成処理の第２のサブルーチンを示すフローチャートである。
【図２３】プレイリスト再構成処理の第３のサブルーチンを示すフローチャートである。
【図２４】ネットワーク契機プレイリスト再構成処理手順を示すフローチャートである。
【図２５】プレイリスト再構成処理の第４のサブルーチンを示すフローチャートである。
【図２６】プレイリスト再構成処理の第５のサブルーチンを示すフローチャートである。
【図２７】再生契機プレイリスト再構成処理手順を示すフローチャートである。
【図２８】第２の実施の形態による再生装置の概要を示すブロック図である。
【図２９】第２の実施の形態による再生装置の詳細構成を示すブロック図である。
【図３０】リモートコントローラの構成を示す略線図である。
【図３１】選択画面の構成を示す略線図である。
【図３２】再生画面の構成を示す略線図である。
【図３３】リスト利用再生機能起動処理手順を示すフローチャートである。
【図３４】チャンネル切替処理手順を示すフローチャートである。
【図３５】再生音楽切替処理手順を示すフローチャートである。
【図３６】紹介プレイリストの割り当てられたチャンネルが選択されているときの選択画面の構成を示す略線図である。
【図３７】紹介プレイリストの割り当てられたチャンネルが選択されているときの再生画面の構成を示す略線図である。
【図３８】購入確認画面の構成を示す略線図である。
【図３９】購入完了通知画面の構成を示す略線図である。
【図４０】購入された音楽データが再生されるときの選択画面の構成を示す略線図である。
【図４１】購入された音楽データが再生されるときの再生画面の構成を示す略線図である。
【図４２】購入候補登録確認画面の構成を示す略線図である。
【図４３】購入候補登録完了通知画面の構成を示す略線図である。
【図４４】候補購入確認画面の構成を示す略線図である。
【図４５】候補購入完了通知画面の構成を示す略線図である。
【図４６】ストリーミングプレイリストの割り当てられたチャンネルが選択されているときの選択画面の構成を示す略線図である。
【図４７】ストリーミングプレイリストの割り当てられたチャンネルが選択されているときの再生画面の構成を示す略線図である。
【図４８】ダウンロード確認画面の構成を示す略線図である。
【図４９】ダウンロード完了通知画面の構成を示す略線図である。
【図５０】ダウンロードの完了した音楽データが再生されるときの選択画面の構成を示す略線図である。
【図５１】ダウンロードの完了した音楽データが再生されるときの再生画面の構成を示す略線図である。
【図５２】ダウンロード候補登録確認画面の構成を示す略線図である。
【図５３】ダウンロード候補登録完了通知画面の構成を示す略線図である。
【図５４】候補ダウンロード確認画面の構成を示す略線図である。
【図５５】候補ダウンロード完了通知画面の構成を示す略線図である。
【図５６】第１の試聴開始処理手順を示すフローチャートである。
【図５７】音楽データ購入処理手順を示すフローチャートである。
【図５８】購入処理のサブルーチンを示すフローチャートである。
【図５９】購入候補登録処理手順を示すフローチャートである。
【図６０】候補購入処理手順を示すフローチャートである。
【図６１】第２の試聴開始処理手順を示すフローチャートである。
【図６２】音楽データダウンロード処理手順を示すフローチャートである。
【図６３】ダウンロード処理のサブルーチンを示すフローチャートである。
【図６４】ダウンロード候補登録処理手順を示すフローチャートである。
【図６５】候補ダウンロード処理手順を示すフローチャートである。
【図６６】第３の実施の形態による再生装置の構成を示すブロック図である。
【符号の説明】
【０５２７】
１、１０、３００……再生装置、２、１６……プレイリスト記憶部、３、５２……要求情報生成部、４、５０……プレイリスト再構成部、１１……再生部、１２……操作部、１３……コンテンツデータ記憶部、１４……通信部、１５……外部装置、１７……表示制御部、１８……表示部、５１……計時部、７０……データ再生履歴取得部、７１……データ属性重付部、７７……リスト利用履歴取得部、７８……リスト属性更新部、３０４……中央処理ユニット、３０６……ハードディスクドライブ、３１２……データ処理回路、ＣＨＡ……リスト属性情報、Ｄ１……音楽データ、ＤＡＴ……データ属性情報、ＭＩＤ……コンテンツ識別情報、ＰＬ１、ＰＬ２……プレイリスト、ＲＴ４……季節契機プレイリスト再構成処理手順、ＲＴ５……ユーザ契機プレイリスト再構成処理手順、ＲＴ６……ネットワーク契機プレイリスト再構成処理手順、ＲＴ７……再生契機プレイリスト再構成処理手順。
【図１】
2008047269.tif 000003
【図２】
2008047269.tif 000004
【図３】
2008047269.tif 000005
【図４】
2008047269.tif 000006
【図５】
2008047269.tif 000007
【図６】
2008047269.tif 000008
【図７】
2008047269.tif 000009
【図８】
2008047269.tif 000010
【図９】
2008047269.tif 000011
【図１０】
2008047269.tif 000012
【図１１】
2008047269.tif 000013
【図１２】
2008047269.tif 000014
【図１３】
2008047269.tif 000015
【図１４】
2008047269.tif 000016
【図１５】
2008047269.tif 000017
【図１６】
2008047269.tif 000018
【図１７】
2008047269.tif 000019
【図１８】
2008047269.tif 000020
【図１９】
2008047269.tif 000021
【図２０】
2008047269.tif 000022
【図２１】
2008047269.tif 000023
【図２２】
2008047269.tif 000024
【図２３】
2008047269.tif 000025
【図２４】
2008047269.tif 000026
【図２５】
2008047269.tif 000027
【図２６】
2008047269.tif 000028
【図２７】
2008047269.tif 000029
【図２８】
2008047269.tif 000030
【図２９】
2008047269.tif 000031
【図３０】
2008047269.tif 000032
【図３１】
2008047269.tif 000033
【図３２】
2008047269.tif 000034
【図３３】
2008047269.tif 000035
【図３４】
2008047269.tif 000036
【図３５】
2008047269.tif 000037
【図３６】
2008047269.tif 000038
【図３７】
2008047269.tif 000039
【図３８】
2008047269.tif 000040
【図３９】
2008047269.tif 000041
【図４０】
2008047269.tif 000042
【図４１】
2008047269.tif 000043
【図４２】
2008047269.tif 000044
【図４３】
2008047269.tif 000045
【図４４】
2008047269.tif 000046
【図４５】
2008047269.tif 000047
【図４６】
2008047269.tif 000048
【図４７】
2008047269.tif 000049
【図４８】
2008047269.tif 000050
【図４９】
2008047269.tif 000051
【図５０】
2008047269.tif 000052
【図５１】
2008047269.tif 000053
【図５２】
2008047269.tif 000054
【図５３】
2008047269.tif 000055
【図５４】
2008047269.tif 000056
【図５５】
2008047269.tif 000057
【図５６】
2008047269.tif 000058
【図５７】
2008047269.tif 000059
【図５８】
2008047269.tif 000060
【図５９】
2008047269.tif 000061
【図６０】
2008047269.tif 000062
【図６１】
2008047269.tif 000063
【図６２】
2008047269.tif 000064
【図６３】
2008047269.tif 000065
【図６４】
2008047269.tif 000066
【図６５】
2008047269.tif 000067
【図６６】
2008047269.tif 000068